(57)【要約】ユーザ体験に関するユーザ解説が、受信され、ユーザ体験データカードが、少なくとも部分的にユーザ解説に基づいてユーザ体験のために生成される。ユーザ体験データカードは、記憶され、記憶されたユーザ体験データカードは、第２のユーザからのユーザ体験データカードの第１の表示に対応する。ユーザ体験データカードは、少なくとも部分的に第２のユーザから受信される要求に基づいて、第２のユーザに提供され、第２のユーザからユーザ体験データカードに関するフィードバックを受信する。ユーザ体験データカードの第２の表示が、少なくとも部分的に第２のユーザからのフィードバックに基づいて生成され、ユーザ体験データカードの第２の表示は、体験データカードの第１の表示とは異なる。
2015507290.tif 000002
【特許請求の範囲】
【請求項１】
１つ以上のコンピュータデバイス上で、ユーザ体験に関するユーザ解説を受信することと、
前記１つ以上のコンピュータデバイス上で、少なくとも部分的に前記ユーザ解説に基づいて、前記ユーザ体験のためのユーザ体験データカードを生成することと、
前記１つ以上のコンピュータデバイスを使用して、前記ユーザ体験データカードを記憶することであって、前記記憶されたユーザ体験データカードは、前記ユーザ体験データカードの第１の表示に対応する、ことと、
前記１つ以上のコンピュータデバイスを使用して、第２のユーザから体験データカードの要求を受信することと、
少なくとも部分的に前記第２のユーザから受信される前記要求に基づいて、前記１つ以上のコンピュータデバイスを使用して、前記ユーザ体験データカードを前記第２のユーザに提供することと、
前記第２のユーザから前記ユーザ体験データカードに関するフィードバックを受信することと、
少なくとも部分的に前記第２のユーザからの前記フィードバックに基づいて、前記ユーザ体験データカードの第２の表示を生成することであって、前記ユーザ体験データカードの前記第２の表示は、前記体験データカードの前記第１の表示とは異なる、ことと
を含む、コンピュータ実装方法。
【請求項２】
前記１つ以上のコンピュータデバイスを使用して、第３のユーザから第２の要求体験データカードの第２の要求を受信することと、
前記１つ以上のコンピュータデバイスを使用して、前記第２の要求に応答して前記体験データカードを前記第３のユーザに提示するかどうかを決定することと、
前記第２の要求に基づいて、前記体験データカードを前記第３のユーザに提示することが決定された場合、前記１つ以上のコンピュータデバイスを使用して、前記第３のユーザに前記体験データカードの前記第１の表示を提示するか、前記体験データカードの前記第２の表示を提示するかを決定することと、
前記体験データカードの前記第１の表示または前記体験データカードの前記第２の表示のいずれか一方を前記第３のユーザに提示することと
をさらに含む、請求項１に記載のコンピュータ実装方法。
【請求項３】
前記第３のユーザに前記体験データカードの前記第１の表示を提示するか、前記第２の表示を提示するかを決定することは、前記第１のユーザとの前記第３のユーザの第１の社会的類似性および第２の社会的類似性を決定することと、少なくとも部分的に前記第１の社会的類似性および前記第２の社会的類似性のうちの少なくとも１つに基づいて、前記第３のユーザに前記体験データカードの前記第１の表示を提示するか、前記第２の表示を提示するかを決定することとを含む、請求項２に記載のコンピュータ実装方法。
【請求項４】
前記ユーザ解説は、テキストベースの解説を含む、請求項１に記載のコンピュータ実装方法。
【請求項５】
前記ユーザ解説は、ビデオベースの解説を含む、請求項１に記載のコンピュータ実装方法。
【請求項６】
前記ユーザ解説は、音声ベースの解説を含む、請求項１に記載のコンピュータ実装方法。
【請求項７】
前記ユーザ解説は、写真解説を含む、請求項１に記載のコンピュータ実装方法。
【請求項８】
前記第２のユーザが前記ユーザ体験データカードを第２のユーザの将来体験リストに保存することを可能にすることをさらに含む、請求項１に記載のコンピュータ実装方法。
【請求項９】
前記体験データカードは、地理データに関連付けられている、請求項１に記載のコンピュータ実装方法。
【請求項１０】
少なくとも１つのプロセッサと、
前記少なくとも１つのプロセッサと連結されている少なくとも１つのメモリアーキテクチャと、
前記少なくとも１つのプロセッサおよび前記少なくとも１つのメモリアーキテクチャ上で実行される１つ以上のソフトウェアモジュールと
を備え、
前記１つ以上のソフトウェアモジュールは、
前記１つ以上のコンピュータデバイス上で、ユーザ体験に関するユーザ解説を受信することと、
前記１つ以上のコンピュータデバイス上で、少なくとも部分的に前記ユーザ解説に基づいて、前記ユーザ体験のためのユーザ体験データカードを生成することと、
前記１つ以上のコンピュータデバイスを使用して、前記ユーザ体験データカードを記憶することであって、前記記憶されたユーザ体験データカードは、前記ユーザ体験データカードの第１の表示に対応する、ことと、
前記１つ以上のコンピュータデバイスを使用して、第２のユーザから体験データカードの要求を受信することと、
前記１つ以上のコンピュータデバイスを使用して、少なくとも部分的に前記第２のユーザから受信される前記要求に基づいて、前記ユーザ体験データカードを前記第２のユーザに提供することと、
前記第２のユーザから前記ユーザ体験データカードに関するフィードバックを受信することと、
少なくとも部分的に前記第２のユーザからの前記フィードバックに基づいて、前記ユーザ体験データカードの第２の表示を生成することであって、前記ユーザ体験データカードの前記第２の表示は、前記体験データカードの前記第１の表示とは異なる、ことと
を含む動作を行うように構成されている、コンピュータシステム。
【請求項１１】
動作は、
前記１つ以上のコンピュータデバイスを使用して、第３のユーザから第２の要求体験データカードの第２の要求を受信することと、
前記１つ以上のコンピュータデバイスを使用して、前記第２の要求に応答して前記体験データカードを前記第３のユーザに提示するかどうかを決定することと、
前記第２の要求に基づいて、前記体験データカードを前記第３のユーザに提示することが決定された場合、前記１つ以上のコンピュータデバイスを使用して、前記第３のユーザに前記体験データカードの前記第１の表示を提示するか、前記体験データカードの前記第２の表示を提示するかを決定することと、
前記体験データカードの前記第１の表示または前記体験データカードの前記第２の表示のいずれか一方を前記第３のユーザに提示することと
をさらに含む、請求項１０に記載のコンピュータシステム。
【請求項１２】
前記第３のユーザに前記体験データカードの前記第１の表示を提示するか、前記第２の表示を提示するかを決定することは、前記第１のユーザとの前記第３のユーザの第１の社会的類似性および第２の社会的類似性を決定することと、少なくとも部分的に前記第１の社会的類似性および前記第２の社会的類似性のうちの少なくとも１つに基づいて、前記第３のユーザに前記体験データカードの前記第１の表示を提示するか、前記第２の表示を提示するかを決定することとを含む、請求項１１に記載のコンピュータシステム。
【請求項１３】
前記ユーザ解説は、テキストベースの解説を含む、請求項１０に記載のコンピュータシステム。
【請求項１４】
前記ユーザ解説は、ビデオベースの解説を含む、請求項１０に記載のコンピュータシステム。
【請求項１５】
前記ユーザ解説は、音声ベースの解説を含む、請求項１０に記載のコンピュータシステム。
【請求項１６】
前記ユーザ解説は、写真解説を含む、請求項１０に記載のコンピュータシステム。
【請求項１７】
動作は、前記第２のユーザが前記ユーザ体験データカードを第２のユーザの将来体験リストに保存することを可能にすることをさらに含む、請求項１０に記載のコンピュータシステム。
【請求項１８】
前記体験データカードは、地理データに関連付けられている、請求項１０に記載のコンピュータシステム。
【請求項１９】
コンピュータ読み取り可能な記憶媒体上に存在するコンピュータプログラム製品であって、前記コンピュータプログラム製品は、前記記憶媒体上に記憶された複数の命令を有し、
前記複数の命令は、プロセッサによって実行されると、
１つ以上のコンピュータデバイス上で、ユーザ体験に関するユーザ解説を受信することと、
前記１つ以上のコンピュータデバイス上で、少なくとも部分的に前記ユーザ解説に基づいて、前記ユーザ体験のためのユーザ体験データカードを生成することと、
前記１つ以上のコンピュータデバイスを使用して、前記ユーザ体験データカードを記憶することであって、前記記憶されたユーザ体験データカードは、前記ユーザ体験データカードの第１の表示に対応する、ことと、
前記１つ以上のコンピュータデバイスを使用して、第２のユーザから体験データカードの要求を受信することと、
前記１つ以上のコンピュータデバイスを使用して、少なくとも部分的に前記第２のユーザから受信される前記要求に基づいて、前記ユーザ体験データカードを前記第２のユーザに提供することと、
前記第２のユーザから前記ユーザ体験データカードに関するフィードバックを受信することと、
少なくとも部分的に前記第２のユーザからの前記フィードバックに基づいて、前記ユーザ体験データカードの第２の表示を生成することであって、前記ユーザ体験データカードの前記第２の表示は、前記体験データカードの前記第１の表示とは異なる、ことと
を含む動作を前記プロセッサに行わせる、コンピュータプログラム製品。
【請求項２０】
動作は、
前記１つ以上のコンピュータデバイスを使用して、第３のユーザから第２の要求体験データカードの第２の要求を受信することと、
前記１つ以上のコンピュータデバイスを使用して、前記第２の要求に応答して前記体験データカードを前記第３のユーザに提示するかどうかを決定することと、
前記第２の要求に基づいて、前記体験データカードを前記第３のユーザに提示することが決定された場合、前記１つ以上のコンピュータデバイスを使用して、前記第３のユーザに前記体験データカードの前記第１の表示を提示するか、前記体験データカードの前記第２の表示を提示するかを決定することと、
前記体験データカードの前記第１の表示または前記体験データカードの前記第２の表示のいずれか一方を前記第３のユーザに提示することと
をさらに含む、請求項１９に記載のコンピュータプログラム製品。
【請求項２１】
前記第３のユーザに前記体験データカードの前記第１の表示を提示するか、前記第２の表示を提示するかを決定することは、前記第１のユーザとの前記第３のユーザの第１の社会的類似性および第２の社会的類似性を決定することと、少なくとも部分的に前記第１の社会的類似性および前記第２の社会的類似性のうちの少なくとも１つに基づいて、前記第３のユーザに前記体験データカードの前記第１の表示を提示するか、前記第２の表示を提示するかを決定することとを含む、請求項２０に記載のコンピュータプログラム製品。
【請求項２２】
前記ユーザ解説は、テキストベースの解説を含む、請求項１９に記載のコンピュータプログラム製品。
【請求項２３】
前記ユーザ解説は、ビデオベースの解説を含む、請求項１９に記載のコンピュータプログラム製品。
【請求項２４】
前記ユーザ解説は、音声ベースの解説を含む、請求項１９に記載のコンピュータプログラム製品。
【請求項２５】
前記ユーザ解説は、写真解説を含む、請求項１９に記載のコンピュータプログラム製品。
【請求項２６】
前記第２のユーザが前記ユーザ体験データカードを第２のユーザの将来体験リストに保存することを可能にすることをさらに含む、請求項１９に記載のコンピュータプログラム製品。
【請求項２７】
前記体験データカードは、地理データに関連付けられている、請求項１９に記載のコンピュータプログラム製品。
【発明の詳細な説明】
【技術分野】
【０００１】
（関連出願の引用）
本願は、米国出願第１３／３６３，１２０号（２０１２年１月３１日出願）を基礎とする優先権を主張する。該出願の全内容は、参照により本明細書に引用される。
【０００２】
（技術分野）
本開示は、ソーシャルネットワークに関し、より具体的には、体験型ソーシャルネットワークに関する。
【背景技術】
【０００３】
技術が進歩し続けるにつれて、人々はますます、従来の刊行物を介することとは対照的に、コンピュータを介してコンテンツを消費する可能性が高まっている。多くの場合、そのようなコンテンツを消費するとき、消費者の関心は、将来にしたいこと（例えば、エッフェル塔の上で食事をする、グランドキャニオンを通って急流下りをする、チリのアンデス山脈でスキーをする）に関してかき立てられ得る。極めて多くの場合、これらの構想は、特に、思い出すことが困難である個別的な詳細（例えば、ニューヨーク市のあるフレンチベーカーリーでチョコレートクロワッサンを食べること）に関するとき、個人の記憶の中に埋もれ、すぐに忘れられるであろう。代替として、人々は、いつか体験したいこれらの体験に関する、ツードゥーリスト（ｔｏ  ｄｏ  ｌｉｓｔ）を編纂しようとし得る。しかしながら、このツードゥーリストが容易に利用可能ではない限り、多くの場合、使用されず、または代替として、管理不可能なサイズ／複雑性に増大し得る。
【発明の概要】
【課題を解決するための手段】
【０００４】
第１の実装では、体験データカードをブラウズする方法が、クライアント電子デバイス上で実行される。本方法は、クライアント電子デバイスを介して、体験データベースにアクセスすることを含む。体験データベースは、各々が体験に関連付けられ、各々が体験データベースのユーザによってアクセス可能である、複数の体験データカードを含む。複数の体験データカードから選択される第１の体験データカードは、クライアント電子デバイスに関連付けられるディスプレイ上にレンダリングされる。クライアント電子デバイスが複数の体験データカードから選択される第２の体験データカードをレンダリングすることを要求する、ブラウズ指示が、クライアント電子デバイスに関連付けられる物理的インターフェース上で受信される。ブラウズ指示は、クライアント電子デバイス内に含まれる物理的インターフェースを横断して、ユーザが事実上直線状に指を素早く動かすことに応答して生成される。第２の体験データカードは、少なくとも部分的に受信したブラウズ指示に基づいて、クライアント電子デバイスに関連付けられるディスプレイ上にレンダリングされる。
【０００５】
以下の特徴のうちの１つ以上が含まれ得る。クライアント電子デバイスが第２の体験データカードにタグ付けすることを要求する、選択指示が、クライアント電子デバイス上で受信され得る。選択指示は、クライアント電子デバイス内に含まれる物理的インターフェースを横断して、ユーザが事実上垂直に指を素早く動かすことに応答して生成され得る。第２の体験データカードが、タグ付けされ得る。第２の体験データカードをタグ付けすることは、第２の体験データカードを体験データベース上のユーザに関連付けられる体験ツードゥーリスト（ｔｏ  ｄｏ  ｌｉｓｔ）に追加することを含み得る。第２の体験データカードをタグ付けすることは、第２の体験データカードを体験データベース上のユーザに関連付けられる検討リストに追加することを含み得る。クライアント電子デバイスに関連付けられるディスプレイは、タッチスクリーンディスプレイを含み得、クライアント電子デバイスに関連付けられる物理的インターフェースは、タッチスクリーンディスプレイであり得る。
【０００６】
クライアント電子デバイス内に含まれる物理的インターフェースを横断して、事実上直線状に指を素早く動かすことは、クライアント電子デバイス内に含まれる物理的インターフェースを横断して、事実上水平に指を素早く動かすことを含み得る。クライアント電子デバイス内に含まれるディスプレイを横断して、事実上水平に指を素早く動かすことは、第１の方向へ体験データベース内に含まれる複数の体験データカードを反復して回覧するように、クライアント電子デバイス内に含まれるディスプレイを横断して、事実上水平に指を左から右へ素早く動かすこと、および第２の方向へ体験データベース内に含まれる複数の体験データカードを反復して回覧するように、クライアント電子デバイス内に含まれるディスプレイを横断して、事実上水平に指を右から左へ素早く動かすことのうちの１つ以上を含み得る。
【０００７】
別の実装では、コンピュータプログラム製品が、コンピュータ読み取り可能な媒体上に存在し、その上に記憶された複数の命令を有する。プロセッサによって実行されたとき、命令は、クライアント電子デバイスを介して体験データベースにアクセスすることを含む、動作をプロセッサに行わせる。体験データベースは、各々が体験に関連付けられ、各々が体験データベースのユーザによってアクセス可能である、複数の体験データカードを含む。複数の体験データカードから選択される第１の体験データカードは、クライアント電子デバイスに関連付けられるディスプレイ上にレンダリングされる。クライアント電子デバイスが複数の体験データカードから選択される第２の体験データカードをレンダリングすることを要求する、ブラウズ指示が、クライアント電子デバイスに関連付けられる物理的インターフェース上で受信される。ブラウズ指示は、クライアント電子デバイス内に含まれる物理的インターフェースを横断して、ユーザが事実上直線状に指を素早く動かすことに応答して生成される。第２の体験データカードは、少なくとも部分的に受信したブラウズ指示に基づいて、クライアント電子デバイスに関連付けられるディスプレイ上にレンダリングされる。
【０００８】
以下の特徴のうちの１つ以上が含まれ得る。クライアント電子デバイスが第２の体験データカードにタグ付けすることを要求する、選択指示がクライアント電子デバイス上で受信され得る。選択指示は、クライアント電子デバイス内に含まれる物理的インターフェースを横断して、ユーザが事実上垂直に指を素早く動かすことに応答して生成され得る。第２の体験データカードが、タグ付けされ得る。第２の体験データカードをタグ付けすることは、第２の体験データカードを体験データベース上のユーザに関連付けられる体験ツードゥーリストに追加することを含み得る。第２の体験データカードをタグ付けすることは、第２の体験データカードを体験データベース上のユーザに関連付けられる検討リストに追加することを含み得る。クライアント電子デバイスに関連付けられるディスプレイは、タッチスクリーンディスプレイを含み得、クライアント電子デバイスに関連付けられる物理的インターフェースは、タッチスクリーンディスプレイであり得る。
【０００９】
クライアント電子デバイス内に含まれる物理的インターフェースを横断して、事実上直線状に指を素早く動かすことは、クライアント電子デバイス内に含まれる物理的インターフェースを横断して、事実上水平に指を素早く動かすことを含み得る。クライアント電子デバイス内に含まれるディスプレイを横断して、事実上水平に指を素早く動かすことは、第１の方向へ体験データベース内に含まれる複数の体験データカードを反復して回覧するように、クライアント電子デバイス内に含まれるディスプレイを横断して、事実上水平に指を左から右へ素早く動かすこと、および第２の方向へ体験データベース内に含まれる複数の体験データカードを反復して回覧するように、クライアント電子デバイス内に含まれるディスプレイを横断して、事実上水平に指を右から左へ素早く動かすことのうちの１つ以上を含み得る。
【００１０】
別の実装では、コンピュータシステムが、少なくとも１つのプロセッサと、少なくとも１つのプロセッサと連結されている少なくとも１つのメモリアーキテクチャとを含む。１つ以上のソフトウェアモジュールが、少なくとも１つのプロセッサおよび少なくとも１つのメモリアーキテクチャ上で実行され、クライアント電子デバイスを介して体験データベースにアクセスすることを含む動作を行う。体験データベースは、各々が体験に関連付けられ、各々が体験データベースのユーザによってアクセス可能である、複数の体験データカードを含む。複数の体験データカードから選択される第１の体験データカードは、クライアント電子デバイスに関連付けられるディスプレイ上にレンダリングされる。クライアント電子デバイスが複数の体験データカードから選択される第２の体験データカードをレンダリングすることを要求する、ブラウズ指示が、クライアント電子デバイスに関連付けられる物理的インターフェース上で受信される。ブラウズ指示は、クライアント電子デバイス内に含まれる物理的インターフェースを横断して、ユーザが事実上直線状に指を素早く動かすことに応答して生成される。第２の体験データカードは、少なくとも部分的に受信したブラウズ指示に基づいて、クライアント電子デバイスに関連付けられるディスプレイ上にレンダリングされる。
【００１１】
以下の特徴のうちの１つ以上が含まれ得る。クライアント電子デバイスが第２の体験データカードにタグ付けすることを要求する、選択指示がクライアント電子デバイス上で受信され得る。選択指示は、クライアント電子デバイス内に含まれる物理的インターフェースを横断して、ユーザが事実上垂直に指を素早く動かすことに応答して生成され得る。第２の体験データカードが、タグ付けされ得る。第２の体験データカードをタグ付けすることは、第２の体験データカードを体験データベース上のユーザに関連付けられる体験ツードゥーリストに追加することを含み得る。第２の体験データカードをタグ付けすることは、第２の体験データカードを体験データベース上のユーザに関連付けられる検討リストに追加することを含み得る。クライアント電子デバイスに関連付けられるディスプレイは、タッチスクリーンディスプレイを含み得、クライアント電子デバイスに関連付けられる物理的インターフェースは、タッチスクリーンディスプレイであり得る。
【００１２】
クライアント電子デバイス内に含まれる物理的インターフェースを横断して、事実上直線状に指を素早く動かすことは、クライアント電子デバイス内に含まれる物理的インターフェースを横断して、事実上水平に指を素早く動かすことを含み得る。クライアント電子デバイス内に含まれるディスプレイを横断して、事実上水平に指を素早く動かすことは、第１の方向へ体験データベース内に含まれる複数の体験データカードを反復して回覧するように、クライアント電子デバイス内に含まれるディスプレイを横断して、事実上水平に指を左から右へ素早く動かすこと、および第２の方向へ体験データベース内に含まれる複数の体験データカードを反復して回覧するように、クライアント電子デバイス内に含まれるディスプレイを横断して、事実上水平に指を右から左へ素早く動かすことのうちの１つ以上を含み得る。
【００１３】
第１の実装では、体験を共有する方法が、提供される。本方法は、ユーザ体験に関するユーザ解説を受信することと、少なくとも部分的にユーザ解説に基づいて、ユーザ体験のためのユーザ体験データカードを生成することとを含み得る。本方法はさらに、ユーザ体験データカードを記憶することであって、記憶されたユーザ体験データカードは、ユーザ体験データカードの第１の表示に対応する、ことと、第２のユーザから体験データカードの要求を受信することとを含み得る。本方法はさらに、少なくとも部分的に第２のユーザから受信される要求に基づいて、ユーザ体験データカードを第２のユーザに提供することと、第２のユーザからユーザ体験データカードに関するフィードバックを受信することとを含み得る。本方法はまた、少なくとも部分的に第２のユーザからのフィードバックに基づいて、ユーザ体験データカードの第２の表示を生成することであって、ユーザ体験データカードの第２の表示は、体験データカードの第１の表示とは異なる、ことを含み得る。
【００１４】
以下の特徴のうちの１つ以上が含まれ得る。本方法は、第３のユーザから第２の要求体験データカードの第２の要求を受信することと、第２の要求に応答して体験データカードを第３のユーザに提示するかどうかを決定することとを含み得る。第２の要求に基づいて、体験データカードを第３のユーザに提示することが決定された場合、本方法は、第３のユーザに体験データカードの第１の表示を提示するか、体験データカードの第２の表示を提示するかを決定することを含み得る。本方法はさらに、体験データカードの第１の表示または体験データカードの第２の表示のいずれか一方を第３のユーザに提示することを含み得る。いくつかの実施形態では、第３のユーザに体験データカードの第１の表示を提示するか、第２の表示を提示するかを決定することは、第１のユーザとの第３のユーザの第１の社会的類似性および第２の社会的類似性を決定することと、少なくとも部分的に第１の社会的類似性および第２の社会的類似性のうちの少なくとも１つに基づいて、第３のユーザに体験データカードの第１の表示を提示するか、第２の表示を提示するかを決定することとを含み得る。いくつかの実施形態では、ユーザ解説は、テキストベースの解説、ビデオベースの解説、音声ベースの解説、および／または写真解説を含み得る。本方法はさらに、第２のユーザがユーザ体験データカードを第２のユーザの将来体験リストに保存することを可能にすることを含み得る。いくつかの実施形態では、体験データカードは、地理データに関連付けられ得る。
【００１５】
別の実装では、コンピュータプログラム製品が、コンピュータ読み取り可能な媒体上に存在し、その上に記憶された複数の命令を有する。プロセッサによって実行されたとき、命令は、ユーザ体験に関するユーザ解説を受信することと、少なくとも部分的にユーザ解説に基づいて、ユーザ体験のためのユーザ体験データカードを生成することとを含む、動作をプロセッサに行わせる。動作はさらに、ユーザ体験データカードを記憶することであって、記憶されたユーザ体験データカードは、ユーザ体験データカードの第１の表示に対応する、ことと、第２のユーザから体験データカードの要求を受信することとを含み得る。動作はさらに、少なくとも部分的に第２のユーザから受信される要求に基づいて、ユーザ体験データカードを第２のユーザに提供することと、第２のユーザからユーザ体験データカードに関するフィードバックを受信することとを含み得る。動作はまた、少なくとも部分的に第２のユーザからのフィードバックに基づいて、ユーザ体験データカードの第２の表示を生成することであって、ユーザ体験データカードの第２の表示は、体験データカードの第１の表示とは異なる、ことを含み得る。
【００１６】
以下の特徴のうちの１つ以上が含まれ得る。動作は、第３のユーザから第２の要求体験データカードの第２の要求を受信することと、第２の要求に応答して体験データカードを第３のユーザに提示するかどうかを決定することとを含み得る。第２の要求に基づいて、体験データカードを第３のユーザに提示することが決定された場合、本方法は、第３のユーザに体験データカードの第１の表示を提示するか、体験データカードの第２の表示を提示するかを決定することを含み得る。動作はさらに、体験データカードの第１の表示または体験データカードの第２の表示のいずれか一方を第３のユーザに提示することを含み得る。いくつかの実施形態では、第３のユーザに体験データカードの第１の表示を提示するか、第２の表示を提示するかを決定することは、第１のユーザとの第３のユーザの第１の社会的類似性および第２の社会的類似性を決定することと、少なくとも部分的に第１の社会的類似性および第２の社会的類似性のうちの少なくとも１つに基づいて、第３のユーザに体験データカードの第１の表示を提示するか、第２の表示を提示するかを決定することとを含み得る。いくつかの実施形態では、ユーザ解説は、テキストベースの解説、ビデオベースの解説、音声ベースの解説、および／または写真解説を含み得る。動作はさらに、第２のユーザがユーザ体験データカードを第２のユーザの将来体験リストに保存することを可能にすることを含み得る。いくつかの実施形態では、体験データカードは、地理データに関連付けられ得る。
【００１７】
別の実装では、コンピュータシステムが、少なくとも１つのプロセッサと、少なくとも１つのプロセッサと連結されている少なくとも１つのメモリアーキテクチャとを含む。１つ以上のソフトウェアモジュールが、少なくとも１つのプロセッサおよび少なくとも１つのメモリアーキテクチャ上で実行され、ユーザ体験に関するユーザ解説を受信することと、少なくとも部分的にユーザ解説に基づいて、ユーザ体験のためのユーザ体験データカードを生成することとを含む、動作を行う。動作はさらに、ユーザ体験データカードを記憶することであって、記憶されたユーザ体験データカードは、ユーザ体験データカードの第１の表示に対応する、ことと、第２のユーザから体験データカードの要求を受信することとを含み得る。動作はさらに、少なくとも部分的に第２のユーザから受信される要求に基づいて、ユーザ体験データカードを第２のユーザに提供することと、第２のユーザからユーザ体験データカードに関するフィードバックを受信することとを含み得る。動作はまた、少なくとも部分的に第２のユーザからのフィードバックに基づいて、ユーザ体験データカードの第２の表示を生成することであって、ユーザ体験データカードの第２の表示は、体験データカードの第１の表示とは異なる、ことを含み得る。
【００１８】
以下の特徴のうちの１つ以上が含まれ得る。動作は、第３のユーザから第２の要求体験データカードの第２の要求を受信することと、第２の要求に応答して体験データカードを第３のユーザに提示するかどうかを決定することとを含み得る。第２の要求に基づいて、体験データカードを第３のユーザに提示することが決定された場合、本方法は、第３のユーザに体験データカードの第１の表示を提示するか、体験データカードの第２の表示を提示するかを決定することを含み得る。動作はさらに、体験データカードの第１の表示または体験データカードの第２の表示のいずれか一方を第３のユーザに提示することを含み得る。いくつかの実施形態では、第３のユーザに体験データカードの第１の表示を提示するか、第２の表示を提示するかを決定することは、第１のユーザとの第３のユーザの第１の社会的類似性および第２の社会的類似性を決定することと、少なくとも部分的に第１の社会的類似性および第２の社会的類似性のうちの少なくとも１つに基づいて、第３のユーザに体験データカードの第１の表示を提示するか、第２の表示を提示するかを決定することとを含み得る。いくつかの実施形態では、ユーザ解説は、テキストベースの解説、ビデオベースの解説、音声ベースの解説、および／または写真解説を含み得る。動作はさらに、第２のユーザがユーザ体験データカードを第２のユーザの将来体験リストに保存することを可能にすることを含み得る。いくつかの実施形態では、体験データカードは、地理データに関連付けられ得る。
【００１９】
第１の実装では、体験を共有する方法が、提供される。本方法は、２つ以上のイベントに関係するイベントデータを描写するインターフェースを表示のために提供することと、第１のユーザからイベントデータの１つ以上の要素の選択を受信することであって、１つ以上の要素は、２つ以上のイベントのうちの少なくとも１つに関係する、こととを含み得る。本方法はさらに、少なくとも部分的に選択された１つ以上の要素に基づいて、体験データベースの中に体験データカードを生成することと、生成された体験データカードの収集されたカードを記憶するように、第１のユーザから指示を受信することとを含み得る。本方法はまた、１つ以上のコンピュータデバイスに連結される体験データ記憶部の中に、生成された体験データカードを記憶することを含み得る。
【００２０】
以下の特徴のうちの１つ以上が含まれ得る。本方法はさらに、第２のユーザに表示するために体験データカードの表現を提供することを含み得る。本方法はまた、第２のユーザからのコメントであって、体験データカードに関連付けられるコメントを受信することを含み得る。本方法は、加えて、第２のユーザから受信されるコメントを記憶することを含み得る。本方法はさらに、第１のユーザのソーシャルネットワーキングストリームのメンバーが生成された体験データカードを収集したという通知を第１のユーザに提供することを含み得る。本方法はまた、第１のユーザが収集されたカードを記憶したという指示を生成することを含み得る。本方法はまた、イベントデータのストリームにおいて指示を提供することを含み得る。いくつかの実施形態では、１つ以上のコンピュータデバイスは、複数のユーザであって、第１のユーザとは異なる複数のユーザから、体験データカードに関連付けられるコメントを受信するように構成され得る。いくつかの実施形態では、選択を受信することは、ソーシャルネットワーキングストリームに関連付けられる１つ以上の要素の選択を受信することを含み得る。いくつかの実施形態では、生成された体験データカードは、文字による説明、写真、および地理的位置のうちの少なくとも１つを含み得る。
【００２１】
別の実装では、コンピュータプログラム製品が、コンピュータ読み取り可能な媒体上に存在し、その上に記憶された複数の命令を有する。プロセッサによって実行されたとき、命令は、２つ以上のイベントに関係するイベントデータを描写するインターフェースを表示のために提供することと、第１のユーザからイベントデータの１つ以上の要素の選択を受信することであって、１つ以上の要素は、２つ以上のイベントのうちの少なくとも１つに関係する、こととを含む、動作をプロセッサに行わせる。動作はさらに、少なくとも部分的に選択された１つ以上の要素に基づいて、体験データベースの中に体験データカードを生成することと、生成された体験データカードの収集されたカードを記憶するように、第１のユーザから指示を受信することとを含み得る。動作はまた、１つ以上のコンピュータデバイスに連結される体験データ記憶部の中に、生成された体験データカードを記憶することを含み得る。
【００２２】
以下の特徴のうちの１つ以上が含まれ得る。動作はさらに、第２のユーザに表示するために体験データカードの表現を提供することを含み得る。動作はまた、第２のユーザからのコメントであって、体験データカードに関連付けられるコメントを受信することを含み得る。動作は、加えて、第２のユーザから受信されるコメントを記憶することを含み得る。動作はさらに、第１のユーザのソーシャルネットワーキングストリームのメンバーが生成された体験データカードを収集したという通知を第１のユーザに提供することを含み得る。動作はまた、第１のユーザが収集されたカードを記憶したという指示を生成することを含み得る。動作はまた、イベントデータのストリームにおいて指示を提供することを含み得る。いくつかの実施形態では、１つ以上のコンピュータデバイスは、複数のユーザであって、第１のユーザとは異なる複数のユーザから、体験データカードに関連付けられるコメントを受信するように構成され得る。いくつかの実施形態では、選択を受信することは、ソーシャルネットワーキングストリームに関連付けられる１つ以上の要素の選択を受信することを含み得る。いくつかの実施形態では、生成された体験データカードは、文字による説明、写真、および地理的位置のうちの少なくとも１つを含み得る。
【００２３】
別の実装では、コンピュータシステムが、少なくとも１つのプロセッサと、少なくとも１つのプロセッサと連結されている少なくとも１つのメモリアーキテクチャとを含む。１つ以上のソフトウェアモジュールが、少なくとも１つのプロセッサおよび少なくとも１つのメモリアーキテクチャ上で実行され、２つ以上のイベントに関係するイベントデータを描写するインターフェースを表示のために提供することと、第１のユーザからイベントデータの１つ以上の要素の選択を受信することであって、１つ以上の要素は、２つ以上のイベントのうちの少なくとも１つに関係する、こととを含む、動作を行う。動作はさらに、少なくとも部分的に選択された１つ以上の要素に基づいて、体験データベースの中に体験データカードを生成することと、生成された体験データカードの収集されたカードを記憶するように、第１のユーザから指示を受信することとを含み得る。動作はまた、１つ以上のコンピュータデバイスに連結される体験データ記憶部の中に、生成された体験データカードを記憶することを含み得る。
【００２４】
以下の特徴のうちの１つ以上が含まれ得る。動作はさらに、第２のユーザに表示するために体験データカードの表現を提供することを含み得る。動作はまた、第２のユーザからのコメントであって、体験データカードに関連付けられるコメントを受信することを含み得る。動作は、加えて、第２のユーザから受信されるコメントを記憶することを含み得る。動作はさらに、第１のユーザのソーシャルネットワーキングストリームのメンバーが生成された体験データカードを収集したという通知を第１のユーザに提供することを含み得る。動作はまた、第１のユーザが収集されたカードを記憶したという指示を生成することを含み得る。動作はまた、イベントデータのストリームにおいて指示を提供することを含み得る。いくつかの実施形態では、１つ以上のコンピュータデバイスは、複数のユーザであって、第１のユーザとは異なる複数のユーザから、体験データカードに関連付けられるコメントを受信するように構成され得る。いくつかの実施形態では、選択を受信することは、ソーシャルネットワーキングストリームに関連付けられる１つ以上の要素の選択を受信することを含み得る。いくつかの実施形態では、生成された体験データカードは、文字による説明、写真、および地理的位置のうちの少なくとも１つを含み得る。
【００２５】
第１の実装では、体験を共有する方法が、提供される。本方法は、第１のユーザであって、体験データ記憶部に記憶された第１のユーザプロファイルデータに関連付けられる第１のユーザから、提案された体験データの要求を受信することと、第１のユーザの位置データを決定することとを含み得る。本方法はさらに、少なくとも部分的に第１のユーザプロファイルデータに基づいて、第１のユーザにとっての１つ以上の関心を決定することを含み得る。本方法はまた、少なくとも部分的に第１のユーザの位置データおよび第１のユーザにとっての１つ以上の決定された関心に基づいて、少なくとも１つの提案された体験を決定することを含み得る。本方法はさらに、受信した要求に応答して、少なくとも１つの提案された体験を第１のユーザに提供することを含み得る。
【００２６】
以下の特徴のうちの１つ以上が含まれ得る。いくつかの実施形態では、第１のユーザにとっての１つ以上の関心を決定することは、第２のユーザプロファイルであって、第１のユーザプロファイルに関連付けられる第２のユーザプロファイルから、１つ以上の関心を決定することを含み得る。いくつかの実施形態では、位置を決定することは、全地球測位システム、補助全地球測位システム、およびディファレンシャル全地球測位システムのうちの少なくとも１つを使用して、位置座標を受信することを含み得る。いくつかの実施形態では、位置を決定することは、少なくとも部分的にＷｉＦｉネットワークからの情報または近距離通信に基づいて得られる情報に基づき得る。いくつかの実施形態では、位置を決定することは、ユーザが、その位置にチェックインしたという指示を受信することを含み得る。いくつかの実施形態では、位置データは、要求内に含まれ得るか、または要求から分離して受信され得る。本方法はさらに、少なくとも部分的に第１の提案された体験と第２の提案された体験との間の関係に基づいて、第２の提案された体験を第１のユーザに提供することを含み得る。いくつかの実施形態では、関係は、第１の提案された体験と第２の提案された体験との間の移動時間、第１の提案された体験および第２の提案された体験のうちの１つの開始位置、ならびに第１の提案された体験および第２の提案された体験のうちの１つの終了位置のうちの少なくとも１つを含み得る。
【００２７】
別の実装では、コンピュータプログラム製品が、コンピュータ読み取り可能な媒体上に存在し、その上に記憶された複数の命令を有する。プロセッサによって実行されたとき、命令は、第１のユーザであって、体験データ記憶部に記憶された第１のユーザプロファイルデータに関連付けられる第１のユーザから、提案された体験データの要求を受信することと、第１のユーザの位置データを決定することとを含む、動作をプロセッサに行わせる。動作はさらに、少なくとも部分的に第１のユーザプロファイルデータに基づいて、第１のユーザにとっての１つ以上の関心を決定することを含み得る。動作はまた、少なくとも部分的に第１のユーザの位置データおよび第１のユーザにとっての１つ以上の決定された関心に基づいて、少なくとも１つの提案された体験を決定することを含み得る。動作はさらに、受信した要求に応答して、少なくとも１つの提案された体験を第１のユーザに提供することを含み得る。
【００２８】
以下の特徴のうちの１つ以上が含まれ得る。いくつかの実施形態では、第１のユーザにとっての１つ以上の関心を決定することは、第２のユーザプロファイルであって、第１のユーザプロファイルに関連付けられる第２のユーザプロファイルから、１つ以上の関心を決定することを含み得る。いくつかの実施形態では、位置を決定することは、全地球測位システム、補助全地球測位システム、およびディファレンシャル全地球測位システムのうちの少なくとも１つを使用して、位置座標を受信することを含み得る。いくつかの実施形態では、位置を決定することは、少なくとも部分的にＷｉＦｉネットワークからの情報または近距離通信に基づいて得られる情報に基づき得る。いくつかの実施形態では、位置を決定することは、ユーザが、その位置にチェックインしたという指示を受信することを含み得る。いくつかの実施形態では、位置データは、要求内に含まれ得るか、または要求から分離して受信され得る。動作はさらに、少なくとも部分的に第１の提案された体験と第２の提案された体験との間の関係に基づいて、第２の提案された体験を第１のユーザに提供することを含み得る。いくつかの実施形態では、関係は、第１の提案された体験と第２の提案された体験との間の移動時間、第１の提案された体験および第２の提案された体験のうちの１つの開始位置、ならびに第１の提案された体験および第２の提案された体験のうちの１つの終了位置のうちの少なくとも１つを含み得る。
【００２９】
別の実装では、コンピュータシステムが、少なくとも１つのプロセッサと、少なくとも１つのプロセッサと連結されている少なくとも１つのメモリアーキテクチャとを含む。１つ以上のソフトウェアモジュールが、少なくとも１つのプロセッサおよび少なくとも１つのメモリアーキテクチャ上で実行され、第１のユーザであって、体験データ記憶部に記憶された第１のユーザプロファイルデータに関連付けられる第１のユーザから、提案された体験データの要求を受信することと、第１のユーザの位置データを決定することとを含む、動作を行う。動作はさらに、少なくとも部分的に第１のユーザプロファイルデータに基づいて、第１のユーザにとっての１つ以上の関心を決定することを含み得る。動作はまた、少なくとも部分的に第１のユーザの位置データおよび第１のユーザにとっての１つ以上の決定された関心に基づいて、少なくとも１つの提案された体験を決定することを含み得る。動作はさらに、受信した要求に応答して、少なくとも１つの提案された体験を第１のユーザに提供することを含み得る。
【００３０】
以下の特徴のうちの１つ以上が含まれ得る。いくつかの実施形態では、第１のユーザにとっての１つ以上の関心を決定することは、第２のユーザプロファイルであって、第１のユーザプロファイルに関連付けられる第２のユーザプロファイルから、１つ以上の関心を決定することを含み得る。いくつかの実施形態では、位置を決定することは、全地球測位システム、補助全地球測位システム、およびディファレンシャル全地球測位システムのうちの少なくとも１つを使用して、位置座標を受信することを含み得る。いくつかの実施形態では、位置を決定することは、少なくとも部分的にＷｉＦｉネットワークからの情報または近距離通信に基づいて得られる情報に基づき得る。いくつかの実施形態では、位置を決定することは、ユーザが、その位置にチェックインしたという指示を受信することを含み得る。いくつかの実施形態では、位置データは、要求内に含まれ得るか、または要求から分離して受信され得る。動作はさらに、少なくとも部分的に第１の提案された体験と第２の提案された体験との間の関係に基づいて、第２の提案された体験を第１のユーザに提供することを含み得る。いくつかの実施形態では、関係は、第１の提案された体験と第２の提案された体験との間の移動時間、第１の提案された体験および第２の提案された体験のうちの１つの開始位置、ならびに第１の提案された体験および第２の提案された体験のうちの１つの終了位置のうちの少なくとも１つを含み得る。
【００３１】
第１の実装では、体験データカードを生成する方法が、１つ以上のコンピュータデバイス上で実行される。本方法は、１つ以上のコンピュータデバイス上で、体験コンテンツを含み得るコンテンツフィード部分を監視することを含む。コンテンツフィード部分は、フィード部分の一部分である。コンテンツフィード部分は、コンテンツフィード部分が体験コンテンツを含むかどうかに関して決定が行われ得るように、第１のデータ処理体に転送される。コンテンツフィード部分が体験コンテンツを含むことが決定された場合、コンテンツフィード部分は、特定の体験コンテンツを抽出するように、第２のデータ処理体に転送される。特定の体験コンテンツは、第２のデータ処理体から受信される。体験データカードが、少なくとも部分的に特定の体験コンテンツに基づいて、１つ以上のコンピュータデバイス上で生成される。体験データカードは、１つ以上のコンピュータデバイスを使用して、体験データベースに記憶される。体験データベースは、各々が体験に関連付けられ、各々が体験データベースへのインターフェースのユーザによってアクセス可能である、複数の体験データカードを含む。
【００３２】
以下の特徴のうちの１つ以上が含まれ得る。閲覧指示が、１つ以上のコンピュータデバイス上で、体験データベース内の体験データカードを閲覧する要求に関して、体験データベースのユーザから受信され得る。体験データカードの表現が、ユーザに提供され得る。コンテンツフィードは、ソーシャルメディアストリームであり得る。コンテンツフィードは、ＸＭＬ形式のコンテンツであり得る。第１のデータ処理体は、１人以上の人間のデータ検討専門家を含み得る。第２のデータ処理体は、１人以上の人間のデータ処理専門家を含み得る。
【００３３】
別の実装では、コンピュータプログラム製品が、コンピュータ読み取り可能な媒体上に存在し、その上に記憶された複数の命令を有する。プロセッサによって実行されたとき、命令は、１つ以上のコンピュータデバイス上で、体験コンテンツを含み得るコンテンツフィード部分を監視することを含む、動作をプロセッサに行わせる。コンテンツフィード部分は、フィード部分の一部分である。コンテンツフィード部分は、コンテンツフィード部分が体験コンテンツを含むかどうかに関して決定が行われ得るように、第１のデータ処理体に転送される。コンテンツフィード部分が体験コンテンツを含むことが決定された場合、コンテンツフィード部分は、特定の体験コンテンツを抽出するように、第２のデータ処理体に転送される。特定の体験コンテンツは、第２のデータ処理体から受信される。体験データカードが、少なくとも部分的に特定の体験コンテンツに基づいて、１つ以上のコンピュータデバイス上で生成される。体験データカードは、１つ以上のコンピュータデバイスを使用して、体験データベースに記憶される。体験データベースは、各々が体験に関連付けられ、各々が体験データベースへのインターフェースのユーザによってアクセス可能である、複数の体験データカードを含む。
【００３４】
以下の特徴のうちの１つ以上が含まれ得る。閲覧指示が、１つ以上のコンピュータデバイス上で、体験データベース内の体験データカードを閲覧する要求に関して、体験データベースのユーザから受信され得る。体験データカードの表現が、ユーザに提供され得る。コンテンツフィードは、ソーシャルメディアストリームであり得る。コンテンツフィードは、ＸＭＬ形式のコンテンツであり得る。第１のデータ処理体は、１人以上の人間のデータ検討専門家を含み得る。第２のデータ処理体は、１人以上の人間のデータ処理専門家を含み得る。
【００３５】
別の実装では、コンピュータシステムが、少なくとも１つのプロセッサと、少なくとも１つのプロセッサと連結されている少なくとも１つのメモリアーキテクチャとを含む。１つ以上のソフトウェアモジュールが、少なくとも１つのプロセッサおよび少なくとも１つのメモリアーキテクチャ上で実行され、１つ以上のコンピュータデバイス上で、体験コンテンツを含み得るコンテンツフィード部分を監視することを含む動作を行う。コンテンツフィード部分は、フィード部分の一部分である。コンテンツフィード部分は、コンテンツフィード部分が体験コンテンツを含むかどうかに関して決定が行われ得るように、第１のデータ処理体に転送される。コンテンツフィード部分が体験コンテンツを含むことが決定された場合、コンテンツフィード部分は、特定の体験コンテンツを抽出するように、第２のデータ処理体に転送される。特定の体験コンテンツは、第２のデータ処理体から受信される。体験データカードが、少なくとも部分的に特定の体験コンテンツに基づいて、１つ以上のコンピュータデバイス上で生成される。体験データカードは、１つ以上のコンピュータデバイスを使用して、体験データベースに記憶される。体験データベースは、各々が体験に関連付けられ、各々が体験データベースへのインターフェースのユーザによってアクセス可能である、複数の体験データカードを含む。
【００３６】
以下の特徴のうちの１つ以上が含まれ得る。閲覧指示が、１つ以上のコンピュータデバイス上で、体験データベース内の体験データカードを閲覧する要求に関して、体験データベースのユーザから受信され得る。体験データカードの表現が、ユーザに提供され得る。コンテンツフィードは、ソーシャルメディアストリームであり得る。コンテンツフィードは、ＸＭＬ形式のコンテンツであり得る。第１のデータ処理体は、１人以上の人間のデータ検討専門家を含み得る。第２のデータ処理体は、１人以上の人間のデータ処理専門家を含み得る。
【００３７】
第１の実装では、体験を共有する方法が、提供される。本方法は、それに関連付けられる画像捕捉データを有する写真を受信することと、写真を関連付ける複数の場所のうちの１つ以上の場所を決定することとを含み得、複数の場所の各々は、それに関連付けられる１つ以上の位置を有し、複数の場所のうちのどの１つ以上の場所に写真を関連付けるかを決定することは、写真に関連付けられる画像捕捉データを複数の場所に関連付けられる位置と比較することを含む。本方法はさらに、少なくとも部分的に写真に基づいて、体験データカードを生成することと、体験データカードと決定された１つ以上の場所との間の関連性をデータ記憶部に記憶することとを含み得、データ記憶部は、１つ以上のコンピュータデバイスに通信可能に連結される。
【００３８】
以下の特徴のうちの１つ以上が含まれ得る。いくつかの実施形態では、生成された体験データカードは、写真に関連付けられる提案体験を含み得る。本方法は、ソーシャルネットワークの１人以上の参加者と提案体験を共有することを含み得る。本方法はさらに、ユーザが提案体験を修正すること、または容認することのいずれか一方を可能にすることを含み得る。いくつかの実施形態では、画像捕捉データは、時刻、全地球測位システム位置、および開口設定のうちの少なくとも１つを含み得る。いくつかの実施形態では、決定することは、写真が生成された日付より遅い日付で起こり得る。いくつかの実施形態では、決定することは、１つ以上の場所の地理的位置とは異なる地理的位置で起こり得る。本方法はまた、少なくとも部分的に写真に関連付けられる画像捕捉データに基づいて、１つ以上の追加の提案体験を提案することを含み得る。
【００３９】
別の実装では、コンピュータプログラム製品が、コンピュータ読み取り可能な媒体上に存在し、その上に記憶された複数の命令を有する。プロセッサによって実行されたとき、命令は、それに関連付けられる画像捕捉データを有する写真を受信することと、写真を関連付ける複数の場所のうちの１つ以上の場所を決定することとを含む、動作をプロセッサに行わせ、複数の場所の各々は、それに関連付けられる１つ以上の位置を有し、写真を関連付ける複数の場所のうちの１つ以上の場所を決定することは、写真に関連付けられる画像捕捉データを複数の場所に関連付けられる位置と比較することを含む。動作はさらに、少なくとも部分的に写真に基づいて、体験データカードを生成することと、体験データカードと決定された１つ以上の場所との間の関連性をデータ記憶部に記憶することとを含み得、データ記憶部は、１つ以上のコンピュータデバイスに通信可能に連結される。
【００４０】
以下の特徴のうちの１つ以上が含まれ得る。いくつかの実施形態では、生成された体験データカードは、写真に関連付けられる提案体験を含み得る。動作は、ソーシャルネットワークの１人以上の参加者と提案体験を共有することを含み得る。動作はさらに、ユーザが提案体験を修正すること、または容認することのいずれか一方を可能にすることを含み得る。いくつかの実施形態では、画像捕捉データは、時刻、全地球測位システム位置、および開口設定のうちの少なくとも１つを含み得る。いくつかの実施形態では、決定することは、写真が生成された日付より遅い日付で起こり得る。いくつかの実施形態では、決定することは、１つ以上の場所の地理的位置とは異なる地理的位置で起こり得る。本動作はまた、少なくとも部分的に写真に関連付けられる画像捕捉データに基づいて、１つ以上の追加の提案体験を提案することを含み得る。
【００４１】
別の実装では、コンピュータシステムが、少なくとも１つのプロセッサと、少なくとも１つのプロセッサと連結されている少なくとも１つのメモリアーキテクチャとを含む。１つ以上のソフトウェアモジュールが、少なくとも１つのプロセッサおよび少なくとも１つのメモリアーキテクチャ上で実行され、それに関連付けられる画像捕捉データを有する写真を受信することと、写真を関連付ける複数の場所のうちの１つ以上の場所を決定することとを含む、動作を行い、複数の場所の各々は、それに関連付けられる１つ以上の位置を有し、写真を関連付ける複数の場所のうちの１つ以上の場所を決定することは、写真に関連付けられる画像捕捉データを複数の場所に関連付けられる位置と比較することを含む。動作はさらに、少なくとも部分的に写真に基づいて、体験データカードを生成することと、体験データカードと決定された１つ以上の場所との間の関連性をデータ記憶部に記憶することとを含み得、データ記憶部は、１つ以上のコンピュータデバイスに通信可能に連結される。
【００４２】
以下の特徴のうちの１つ以上が含まれ得る。いくつかの実施形態では、生成された体験データカードは、写真に関連付けられる提案体験を含み得る。動作は、ソーシャルネットワークの１人以上の参加者と提案体験を共有することを含み得る。動作はさらに、ユーザが提案体験を修正すること、または容認することのいずれか一方を可能にすることを含み得る。いくつかの実施形態では、画像捕捉データは、時刻、全地球測位システム位置、および開口設定のうちの少なくとも１つを含み得る。いくつかの実施形態では、決定することは、写真が生成された日付より遅い日付で起こり得る。いくつかの実施形態では、決定することは、１つ以上の場所の地理的位置とは異なる地理的位置で起こり得る。動作はまた、少なくとも部分的に写真に関連付けられる画像捕捉データに基づいて、１つ以上の追加の提案体験を提案することを含み得る。
【００４３】
第１の実装では、体験を共有する方法が、提供される。本方法は、ユニフォームリソースロケータに関連付けられるコンテンツを受信することと、ユニフォームリソースロケータに関連付けられるコンテンツに基づいて、２つ以上のコンテンツアイテムを決定することとを含み得る。本方法はさらに、２つ以上のコンテンツアイテムに基づいて体験データカードを生成することと、体験データ記憶部であって、１つ以上のコンピュータデバイスに通信可能に連結される体験データ記憶部に、生成された体験データカードを記憶することとを含み得る。本方法はさらに、体験データカードを閲覧する要求を受信することと、少なくとも部分的に体験データカードを閲覧する要求に基づいて、１つ以上のコンピュータデバイスを使用して表示するために体験データカードの表示を提供することとを含み得る。
【００４４】
以下の特徴のうちの１つ以上が含まれ得る。本方法はさらに、ユニフォームリソースロケータのための体験データカードを生成するように、ユーザ指示を受信することを含み得る。本方法はまた、ユニフォームリソースロケータのコンテンツを要求することを含み得る。本方法は、加えて、ユーザが体験データカードに関するユーザ解説を提供することを可能にすることを含み得る。本方法はさらに、ユーザが体験データカードを個人用データ記憶部に関連付けたいという指示をユーザから受信することを含み得る。いくつかの実施形態では、コンテンツを受信することは、ハイパーテキスト転送プロトコル要求への応答を受信することを含み得る。いくつかの実施形態では、２つ以上のコンテンツアイテムを決定することは、ユニフォームリソースロケータに関連付けられるコンテンツを解析することを含み得る。いくつかの実施形態では、体験データ記憶部は、データベースを含み得る。いくつかの実施形態では、体験データカードは、題名、説明、写真、有効期限、作者、住所、コメント、および評定情報のうちの少なくとも１つを含み得る。
【００４５】
別の実装では、コンピュータプログラム製品が、コンピュータ読み取り可能な媒体上に存在し、その上に記憶された複数の命令を有する。プロセッサによって実行されたとき、命令は、ユニフォームリソースロケータに関連付けられるコンテンツを受信することと、ユニフォームリソースロケータに関連付けられるコンテンツに基づいて、２つ以上のコンテンツアイテムを決定することとを含む、動作をプロセッサに行わせる。動作はさらに、２つ以上のコンテンツアイテムに基づいて体験データカードを生成することと、体験データ記憶部であって、１つ以上のコンピュータデバイスに通信可能に連結される体験データ記憶部に、生成された体験データカードを記憶することとを含み得る。動作はさらに、体験データカードを閲覧する要求を受信することと、少なくとも部分的に体験データカードを閲覧する要求に基づいて、１つ以上のコンピュータデバイスを使用して表示するために体験データカードの表示を提供することとを含み得る。
【００４６】
以下の特徴のうちの１つ以上が含まれ得る。動作はさらに、ユニフォームリソースロケータのための体験データカードを生成するように、ユーザ指示を受信することを含み得る。動作はまた、ユニフォームリソースロケータのコンテンツを要求することを含み得る。動作は、加えて、ユーザが体験データカードに関するユーザ解説を提供することを可能にすることを含み得る。動作はさらに、ユーザが体験データカードを個人用データ記憶部に関連付けたいという指示をユーザから受信することを含み得る。いくつかの実施形態では、コンテンツを受信することは、ハイパーテキスト転送プロトコル要求への応答を受信することを含み得る。いくつかの実施形態では、２つ以上のコンテンツアイテムを決定することは、ユニフォームリソースロケータに関連付けられるコンテンツを解析することを含み得る。いくつかの実施形態では、体験データ記憶部は、データベースを含み得る。いくつかの実施形態では、体験データカードは、題名、説明、写真、有効期限、作者、住所、コメント、および評定情報のうちの少なくとも１つを含み得る。
【００４７】
別の実装では、コンピュータシステムが、少なくとも１つのプロセッサと、少なくとも１つのプロセッサと連結されている少なくとも１つのメモリアーキテクチャとを含む。１つ以上のソフトウェアモジュールが、少なくとも１つのプロセッサおよび少なくとも１つのメモリアーキテクチャ上で実行され、ユニフォームリソースロケータに関連付けられるコンテンツを受信することと、ユニフォームリソースロケータに関連付けられるコンテンツに基づいて、２つ以上のコンテンツアイテムを決定することとを含む、動作を行う。動作はさらに、２つ以上のコンテンツアイテムに基づいて体験データカードを生成することと、体験データ記憶部であって、１つ以上のコンピュータデバイスに通信可能に連結される体験データ記憶部に、生成された体験データカードを記憶することとを含み得る。動作はさらに、体験データカードを閲覧する要求を受信することと、少なくとも部分的に体験データカードを閲覧する要求に基づいて、１つ以上のコンピュータデバイスを使用して表示するために体験データカードの表示を提供することとを含み得る。
【００４８】
以下の特徴のうちの１つ以上が含まれ得る。動作はさらに、ユニフォームリソースロケータのための体験データカードを生成するように、ユーザ指示を受信することを含み得る。動作はまた、ユニフォームリソースロケータのコンテンツを要求することを含み得る。動作は、加えて、ユーザが体験データカードに関するユーザ解説を提供することを可能にすることを含み得る。動作はさらに、ユーザが体験データカードを個人用データ記憶部に関連付けたいという指示をユーザから受信することを含み得る。いくつかの実施形態では、コンテンツを受信することは、ハイパーテキスト転送プロトコル要求への応答を受信することを含み得る。いくつかの実施形態では、２つ以上のコンテンツアイテムを決定することは、ユニフォームリソースロケータに関連付けられるコンテンツを解析することを含み得る。いくつかの実施形態では、体験データ記憶部は、データベースを含み得る。いくつかの実施形態では、体験データカードは、題名、説明、写真、有効期限、作者、住所、コメント、および評定情報のうちの少なくとも１つを含み得る。
【００４９】
第１の実装では、体験データベースにデータ投入する方法が、１つ以上のコンピュータデバイス上で実行される。本方法は、１つ以上のコンピュータデバイス上で、体験データベース内に含むための体験データカードを作成する指示をユーザから受信することを含む。指示は、ユーザの体験に関する１つ以上の詳細を提供する。指示に関連付けられる１つ以上の詳細は、合致する詳細が存在するかどうかを決定するように、１つ以上のコンピュータデバイス上で、体験データベース内に含まれる１つ以上の体験データカードに関連付けられる詳細と比較される。合致する詳細が関連体験データカード上に存在する場合、ユーザは、ユーザの体験を関連体験データカードに関連付けるための１つ以上のオプションを提供される。
【００５０】
以下の特徴のうちの１つ以上が含まれ得る。ユーザに１つ以上のオプションを提供することは、ユーザに対して関連体験データカードを識別することと、ユーザがユーザの体験に関する１つ以上の詳細を関連体験データカードに追加することを可能にすることとを含み得る。ユーザに１つ以上のオプションを提供することは、ユーザに対して関連体験データカードを識別することと、ユーザがユーザの体験を関連体験データカードに関連付けることを可能にすることとを含み得る。
【００５１】
１つ以上の詳細は、テキストベースの詳細、写真の詳細、ビデオベースの詳細、音声ベースの詳細、および位置ベースの詳細のうちの１つ以上を含み得る。位置ベースの詳細は、ＧＰＳ座標を含み得る。１つ以上の詳細を比較することは、合致する詳細が存在するかどうかを決定するように、ユーザの体験に関連付けられるＧＰＳ座標を１つ以上の体験データカードに関連付けられるＧＰＳ座標と比較することを含み得る。
【００５２】
テキストベースの詳細は、商号を含み得る。１つ以上の詳細を比較することは、合致する詳細が存在するかどうかを決定するように、ユーザの体験に関連付けられる商号を１つ以上の体験データカードに関連付けられる商号と比較することを含み得る。
【００５３】
テキストベースの詳細は、体験の題名を含み得る。１つ以上の詳細を比較することは、合致する詳細が存在するかどうかを決定するように、ユーザの体験に関連付けられる体験の題名を１つ以上の体験データカードに関連付けられる体験の題名と比較することを含み得る。
【００５４】
別の実装では、コンピュータプログラム製品が、コンピュータ読み取り可能な媒体上に存在し、その上に記憶された複数の命令を有する。プロセッサによって実行されたとき、命令は、１つ以上のコンピュータデバイス上で、体験データベース内に含むための体験データカードを作成する指示をユーザから受信することを含む、動作をプロセッサに行わせる。指示は、ユーザの体験に関する１つ以上の詳細を提供する。指示に関連付けられる１つ以上の詳細は、合致する詳細が存在するかどうかを決定するように、１つ以上のコンピュータデバイス上で、体験データベース内に含まれる１つ以上の体験データカードに関連付けられる詳細と比較される。合致する詳細が関連体験データカード上に存在する場合、ユーザは、ユーザの体験を関連体験データカードに関連付けるための１つ以上のオプションを提供される。
【００５５】
以下の特徴のうちの１つ以上が含まれ得る。ユーザに１つ以上のオプションを提供することは、ユーザに対して関連体験データカードを識別することと、ユーザがユーザの体験に関する１つ以上の詳細を関連体験データカードに追加することを可能にすることとを含み得る。ユーザに１つ以上のオプションを提供することは、ユーザに対して関連体験データカードを識別することと、ユーザがユーザの体験を関連体験データカードに関連付けることを可能にすることとを含み得る。
【００５６】
１つ以上の詳細は、テキストベースの詳細、写真の詳細、ビデオベースの詳細、音声ベースの詳細、および位置ベースの詳細のうちの１つ以上を含み得る。位置ベースの詳細は、ＧＰＳ座標を含み得る。１つ以上の詳細を比較することは、合致する詳細が存在するかどうかを決定するように、ユーザの体験に関連付けられるＧＰＳ座標を１つ以上の体験データカードに関連付けられるＧＰＳ座標と比較することを含み得る。
【００５７】
テキストベースの詳細は、商号を含み得る。１つ以上の詳細を比較することは、合致する詳細が存在するかどうかを決定するように、ユーザの体験に関連付けられる商号を１つ以上の体験データカードに関連付けられる商号と比較することを含み得る。
【００５８】
テキストベースの詳細は、体験の題名を含み得る。１つ以上の詳細を比較することは、合致する詳細が存在するかどうかを決定するように、ユーザの体験に関連付けられる体験の題名を１つ以上の体験データカードに関連付けられる体験の題名と比較することを含み得る。
【００５９】
別の実装では、コンピュータシステムが、少なくとも１つのプロセッサと、少なくとも１つのプロセッサと連結されている少なくとも１つのメモリアーキテクチャとを含む。１つ以上のソフトウェアモジュールが、少なくとも１つのプロセッサおよび少なくとも１つのメモリアーキテクチャ上で実行され、１つ以上のコンピュータデバイス上で、体験データベース内に含むための体験データカードを作成する指示をユーザから受信することを含む動作を行う。指示は、ユーザの体験に関する１つ以上の詳細を提供する。指示に関連付けられる１つ以上の詳細は、合致する詳細が存在するかどうかを決定するように、１つ以上のコンピュータデバイス上で、体験データベース内に含まれる１つ以上の体験データカードに関連付けられる詳細と比較される。合致する詳細が関連体験データカード上に存在する場合、ユーザは、ユーザの体験を関連体験データカードに関連付けるための１つ以上のオプションを提供される。
【００６０】
以下の特徴のうちの１つ以上が含まれ得る。ユーザに１つ以上のオプションを提供することは、ユーザに対して関連体験データカードを識別することと、ユーザがユーザの体験に関する１つ以上の詳細を関連体験データカードに追加することを可能にすることとを含み得る。ユーザに１つ以上のオプションを提供することは、ユーザに対して関連体験データカードを識別することと、ユーザがユーザの体験を関連体験データカードに関連付けることを可能にすることとを含み得る。
【００６１】
１つ以上の詳細は、テキストベースの詳細、写真の詳細、ビデオベースの詳細、音声ベースの詳細、および位置ベースの詳細のうちの１つ以上を含み得る。位置ベースの詳細は、ＧＰＳ座標を含み得る。１つ以上の詳細を比較することは、合致する詳細が存在するかどうかを決定するように、ユーザの体験に関連付けられるＧＰＳ座標を１つ以上の体験データカードに関連付けられるＧＰＳ座標と比較することを含み得る。
【００６２】
テキストベースの詳細は、商号を含み得る。１つ以上の詳細を比較することは、合致する詳細が存在するかどうかを決定するように、ユーザの体験に関連付けられる商号を１つ以上の体験データカードに関連付けられる商号と比較することを含み得る。
【００６３】
テキストベースの詳細は、体験の題名を含み得る。１つ以上の詳細を比較することは、合致する詳細が存在するかどうかを決定するように、ユーザの体験に関連付けられる体験の題名を１つ以上の体験データカードに関連付けられる体験の題名と比較することを含み得る。
【００６４】
第１の実装では、将来の体験を管理する方法が、１つ以上のコンピュータデバイス上で実行される。本方法は、１つ以上のコンピュータデバイス上で、将来体験データカードを作成する要求に関して、第１のユーザからカード作成指示を受信することを含み、将来体験データカードは、将来の体験に対応する。将来の体験に関係する２つ以上のデータアイテムが、１つ以上のコンピュータデバイス上で受信される。２つ以上のデータアイテムは、少なくとも１つの時間指示を含む。将来体験データカードは、少なくとも部分的に将来の体験に関係する２つ以上のデータアイテムに基づいて、将来の体験のために１つ以上のコンピュータデバイス上で生成される。将来体験データカードは、１つ以上のコンピュータデバイスを使用して、体験データベースに記憶される。体験データベースは、各々が体験に関連付けられ、各々が体験データベースへのインターフェースのユーザによってアクセス可能である、複数の体験データカードを含む。
【００６５】
以下の特徴のうちの１つ以上が含まれ得る。２つ以上のデータアイテムは、将来の体験の位置情報を含み得る。所望の時間および所望の位置の検索要求が、体験データベースの第２のユーザから１つ以上のコンピュータデバイス上で受信され得る。将来体験データカードの時間情報および位置情報が、所望の時間および所望の位置に対応するかどうか、１つ以上のコンピュータデバイスを使用して決定され得る。将来体験データカードの時間情報および位置情報が、所望の時間および所望の位置に対応するとき、将来体験データカードの表現が第２のユーザに提供され得る。体験データベースの第２のユーザからの閲覧指示が、体験データベース内の将来体験データカードに関して、１つ以上のコンピュータデバイス上で受信され得る。将来体験データカードの表現が、少なくとも部分的に受信した閲覧指示に基づいて、第２のユーザに提供され得る。第２のユーザは、第１のユーザであり得る。チェックイン指示が、将来体験データカードにチェックインすることに関して、第２のユーザから１つ以上のコンピュータデバイス上で受信され得る。第２のユーザから受信されるチェックイン指示は、処理され得る。解説が、将来体験データカードに関連付けられる将来の体験に関して、第２のユーザから受信され得、将来体験データカードは、第２のユーザから受信される解説を含むように改訂され得る。将来体験データカードに関連付けられる、関連体験データカードが生成され得、関連体験データカードは、第２のユーザから受信される解説を含み得る。
【００６６】
別の実装では、コンピュータプログラム製品が、コンピュータ読み取り可能な媒体上に存在し、その上に記憶された複数の命令を有する。プロセッサによって実行されたとき、命令は、１つ以上のコンピュータデバイス上で、将来体験データカードを作成する要求に関して、第１のユーザからカード作成指示を受信することを含む、動作をプロセッサに行わせ、将来体験データカードは、将来の体験に対応する。将来の体験に関係する２つ以上のデータアイテムが、１つ以上のコンピュータデバイス上で受信される。２つ以上のデータアイテムは、少なくとも１つの時間指示を含む。将来体験データカードは、少なくとも部分的に将来の体験に関係する２つ以上のデータアイテムに基づいて、将来の体験のために１つ以上のコンピュータデバイス上で生成される。将来体験データカードは、１つ以上のコンピュータデバイスを使用して、体験データベースに記憶される。体験データベースは、各々が体験に関連付けられ、各々が体験データベースへのインターフェースのユーザによってアクセス可能である、複数の体験データカードを含む。
【００６７】
以下の特徴のうちの１つ以上が含まれ得る。２つ以上のデータアイテムが、将来の体験の位置情報を含み得る。所望の時間および所望の位置の検索要求が、体験データベースの第２のユーザから１つ以上のコンピュータデバイス上で受信され得る。将来体験データカードの時間情報および位置情報が、所望の時間および所望の位置に対応するかどうか、１つ以上のコンピュータデバイスを使用して決定され得る。将来体験データカードの時間情報および位置情報が、所望の時間および所望の位置に対応するとき、将来体験データカードの表現が第２のユーザに提供され得る。体験データベースの第２のユーザからの閲覧指示が、体験データベース内の将来体験データカードに関して、１つ以上のコンピュータデバイス上で受信され得る。将来体験データカードの表現が、少なくとも部分的に受信した閲覧指示に基づいて、第２のユーザに提供され得る。第２のユーザは、第１のユーザであり得る。チェックイン指示が、将来体験データカードにチェックインすることに関して、第２のユーザから１つ以上のコンピュータデバイス上で受信され得る。第２のユーザから受信されるチェックイン指示は、処理され得る。解説が、将来体験データカードに関連付けられる将来の体験に関して、第２のユーザから受信され得、将来体験データカードは、第２のユーザから受信される解説を含むように改訂され得る。将来体験データカードに関連付けられる、関連体験データカードが生成され得、関連体験データカードは、第２のユーザから受信される解説を含み得る。
【００６８】
別の実装では、コンピュータシステムが、少なくとも１つのプロセッサと、少なくとも１つのプロセッサと連結されている少なくとも１つのメモリアーキテクチャとを含む。１つ以上のソフトウェアモジュールが、少なくとも１つのプロセッサおよび少なくとも１つのメモリアーキテクチャ上で実行され、１つ以上のコンピュータデバイス上で、将来体験データカードを作成する要求に関して、第１のユーザからカード作成指示を受信することを含む動作を行い、将来体験データカードは、将来の体験に対応する。将来の体験に関係する２つ以上のデータアイテムが、１つ以上のコンピュータデバイス上で受信される。２つ以上のデータアイテムは、少なくとも１つの時間指示を含む。将来体験データカードは、少なくとも部分的に将来の体験に関係する２つ以上のデータアイテムに基づいて、将来の体験のために１つ以上のコンピュータデバイス上で生成される。将来体験データカードは、１つ以上のコンピュータデバイスを使用して、体験データベースに記憶される。体験データベースは、各々が体験に関連付けられ、各々が体験データベースへのインターフェースのユーザによってアクセス可能である、複数の体験データカードを含む。
【００６９】
以下の特徴のうちの１つ以上が含まれ得る。２つ以上のデータアイテムが、将来の体験の位置情報を含み得る。所望の時間および所望の位置の検索要求が、体験データベースの第２のユーザから１つ以上のコンピュータデバイス上で受信され得る。将来体験データカードの時間情報および位置情報が、所望の時間および所望の位置に対応するかどうか、１つ以上のコンピュータデバイスを使用して決定され得る。将来体験データカードの時間情報および位置情報が、所望の時間および所望の位置に対応するとき、将来体験データカードの表現が第２のユーザに提供され得る。体験データベースの第２のユーザからの閲覧指示が、体験データベース内の将来体験データカードに関して、１つ以上のコンピュータデバイス上で受信され得る。将来体験データカードの表現が、少なくとも部分的に受信した閲覧指示に基づいて、第２のユーザに提供され得る。第２のユーザは、第１のユーザであり得る。チェックイン指示が、将来体験データカードにチェックインすることに関して、第２のユーザから１つ以上のコンピュータデバイス上で受信され得る。第２のユーザから受信されるチェックイン指示は、処理され得る。解説が、将来体験データカードに関連付けられる将来の体験に関して、第２のユーザから受信され得、将来体験データカードは、第２のユーザから受信される解説を含むように改訂され得る。将来体験データカードに関連付けられる、関連体験データカードが生成され得、関連体験データカードは、第２のユーザから受信される解説を含み得る。
【００７０】
第１の実装では、体験データカードを図式的に分類する方法が、１つ以上のコンピュータデバイス上で実行される。本方法は、１つ以上のコンピュータデバイス上で、体験データベース内で使用するための複数の図式体験識別子を定義することを含む。体験データベースは、各々が体験に関連付けられる複数の体験データカードを含む。複数の図式体験識別子から選択される、１つ以上の関連図式体験識別子を体験データベース内に含まれる複数の体験データカードから選択される、選択された体験データカードに関連付ける意図の体験データベースのユーザからの指示が、１つ以上のコンピュータデバイス上で受信される。選択された体験データカードは、１つ以上のコンピュータデバイス上で、選択された体験データカードを１つ以上の関連図式体験識別子に関連付けるように修正される。
【００７１】
以下の特徴のうちの１つ以上が含まれ得る。１つ以上の問い合わせられた図式体験識別子を含むクエリが、１つ以上のコンピュータデバイス上で受信され得る。１つ以上の関連図式体験識別子のうちのいずれかが、１つ以上の問い合わせられた図式体験識別子のうちのいずれかに合致するかどうか、１つ以上のコンピュータデバイスを使用して決定され得る。１つ以上の関連図式体験識別子のうちの少なくとも１つが、１つ以上の問い合わせられた図式体験識別子のうちの少なくとも１つに合致するとき、少なくとも選択された体験データカードを定義する結果セットが、クエリの提供者に提示され得る。複数の図式体験識別子の各々は、体験カテゴリの意味を含むように構成され得る。選択された体験データカードは、第３者によって生成される体験データカードであり得る。選択された体験データカードは、ユーザによって生成される体験データカードであり得る。
【００７２】
別の実装では、コンピュータプログラム製品が、コンピュータ読み取り可能な媒体上に存在し、その上に記憶された複数の命令を有する。プロセッサによって実行されたとき、命令は、１つ以上のコンピュータデバイス上で、体験データベース内で使用するための複数の図式体験識別子を定義することを含む、動作をプロセッサに行わせる。体験データベースは、各々が体験に関連付けられる複数の体験データカードを含む。複数の図式体験識別子から選択される、１つ以上の関連図式体験識別子を体験データベース内に含まれる複数の体験データカードから選択される、選択された体験データカードに関連付ける意図の体験データベースのユーザからの指示が、１つ以上のコンピュータデバイス上で受信される。選択された体験データカードは、１つ以上のコンピュータデバイス上で、選択された体験データカードを１つ以上の関連図式体験識別子に関連付けるように修正される。
【００７３】
以下の特徴のうちの１つ以上が含まれ得る。１つ以上の問い合わせられた図式体験識別子を含むクエリが、１つ以上のコンピュータデバイス上で受信され得る。１つ以上の関連図式体験識別子のうちのいずれかが、１つ以上の問い合わせられた図式体験識別子のうちのいずれかに合致するかどうか、１つ以上のコンピュータデバイスを使用して決定され得る。１つ以上の関連図式体験識別子のうちの少なくとも１つが、１つ以上の問い合わせられた図式体験識別子のうちの少なくとも１つに合致するとき、少なくとも選択された体験データカードを定義する結果セットが、クエリの提供者に提示され得る。複数の図式体験識別子の各々は、体験カテゴリの意味を含むように構成され得る。選択された体験データカードは、第３者によって生成される体験データカードであり得る。選択された体験データカードは、ユーザによって生成される体験データカードであり得る。
【００７４】
別の実装では、コンピュータシステムが、少なくとも１つのプロセッサと、少なくとも１つのプロセッサと連結されている少なくとも１つのメモリアーキテクチャとを含む。１つ以上のソフトウェアモジュールが、少なくとも１つのプロセッサおよび少なくとも１つのメモリアーキテクチャ上で実行され、１つ以上のコンピュータデバイス上で、体験データベース内で使用するための複数の図式体験識別子を定義することを含む動作を行う。体験データベースは、各々が体験に関連付けられる複数の体験データカードを含む。複数の図式体験識別子から選択される、１つ以上の関連図式体験識別子を体験データベース内に含まれる複数の体験データカードから選択される、選択された体験データカードに関連付ける意図の体験データベースのユーザからの指示が、１つ以上のコンピュータデバイス上で受信される。選択された体験データカードは、１つ以上のコンピュータデバイス上で、選択された体験データカードを１つ以上の関連図式体験識別子に関連付けるように修正される。
【００７５】
以下の特徴のうちの１つ以上が含まれ得る。１つ以上の問い合わせられた図式体験識別子を含むクエリが、１つ以上のコンピュータデバイス上で受信され得る。１つ以上の関連図式体験識別子のうちのいずれかが、１つ以上の問い合わせられた図式体験識別子のうちのいずれかに合致するかどうか、１つ以上のコンピュータデバイスを使用して決定され得る。１つ以上の関連図式体験識別子のうちの少なくとも１つが、１つ以上の問い合わせられた図式体験識別子のうちの少なくとも１つに合致するとき、少なくとも選択された体験データカードを定義する結果セットが、クエリの提供者に提示され得る。複数の図式体験識別子の各々は、体験カテゴリの意味を含むように構成され得る。選択された体験データカードは、第３者によって生成される体験データカードであり得る。選択された体験データカードは、ユーザによって生成される体験データカードであり得る。
【００７６】
別の実装では、体験データカードを図式的に分類する方法が、１つ以上のコンピュータデバイス上で実行される。本方法は、１つ以上のコンピュータデバイス上で、体験データベース内に含まれる複数の体験データカードを定義することを含む。複数の体験データカードの各々は、複数の図式体験識別子から選択される、１つ以上の関連図式体験識別子に関連付けられる。１つ以上の問い合わせられた図式体験識別子を含むクエリが、１つ以上のコンピュータデバイス上で受信される。
【００７７】
以下の特徴のうちの１つ以上が含まれ得る。１つ以上の関連図式体験識別子のうちのいずれかが、１つ以上の問い合わせられた図式体験識別子のうちのいずれかに合致するかどうか、１つ以上のコンピュータデバイスを使用して決定され得る。１つ以上の関連図式体験識別子のうちの少なくとも１つが、１つ以上の問い合わせられた図式体験識別子のうちの少なくとも１つに合致するとき、合致を定義する結果セットが、クエリの提供者に提示され得る。複数の図式体験識別子の各々は、体験カテゴリの意味を含むように構成され得る。選択された体験データカードは、第３者によって生成される体験データカードであり得る。選択された体験データカードは、ユーザによって生成される体験データカードであり得る。
【００７８】
第１の実装では、体験を共有する方法が、提供される。本方法は、第１のユーザから、少なくとも１つの画像を有する体験データカードを生成する要求を受信することと、少なくとも１つの画像を含む体験データカードを生成することとを含み得る。本方法はさらに、体験データカードデータベースに体験データカードを記憶することを含み得る。方法はまた、第２のユーザから体験データカードの１つ以上の側面を拡張させる要求を受信することと、第２のユーザとの体験データカードの拡張された側面の関連性とともに、体験データカードの１つ以上の拡張された側面を記憶することとを含み得る。本方法はさらに、１つ以上のコンピュータデバイスを使用して、第３のユーザから体験データカードの要求を受信することと、少なくとも部分的に、第２のユーザと第３のユーザとの間の類似性、および第２のユーザとの体験データカードの拡張された側面の関連性に基づいて、１つ以上の拡張された側面を伴う体験データカードを提供することとを含み得る。
【００７９】
以下の特徴のうちの１つ以上が含まれ得る。本方法はさらに、第３のユーザと第１のユーザおよび第２のユーザの各々との間の複数の類似性をランク付けすることを含み得る。いくつかの実施形態では、提供することは、少なくとも部分的にランク付けに基づき得る。本方法はさらに、少なくとも部分的に体験データカードに関連付けられる１つ以上の受信したコメントに基づいて、ランク付けを動的に更新することを含み得る。本方法はまた、第２のユーザおよび第３のユーザがソーシャルネットワーク内でリンクされるかどうかを決定することを含み得、少なくとも部分的に第２のユーザと第３のユーザとの間の類似性に基づいて、１つ以上の拡張された側面を伴う体験データカードを提供することは、少なくとも部分的に、第１のユーザと、第２のユーザと、第３のユーザとの間のソーシャルネットワーク内の決定されたリンクに基づいて、１つ以上の拡張された側面を伴う体験データカードを提供することを含む。本方法はさらに、ソーシャルネットワーキングストリームを介して体験データカードへのアクセスを提供することを含み得る。いくつかの実施形態では、１つ以上の拡張された側面は、画像を含み得る。
【００８０】
別の実装では、コンピュータプログラム製品が、コンピュータ読み取り可能な媒体上に存在し、その上に記憶された複数の命令を有する。プロセッサによって実行されたとき、命令は、第１のユーザから、少なくとも１つの画像を有する体験データカードを生成する要求を受信することと、少なくとも１つの画像を含む体験データカードを生成することとを含む、動作をプロセッサに行わせる。動作はさらに、体験データカードデータベースに体験データカードを記憶することを含み得る。動作はまた、第２のユーザから体験データカードの１つ以上の側面を拡張させる要求を受信することと、第２のユーザとの体験データカードの拡張された側面の関連性とともに、体験データカードの１つ以上の拡張された側面を記憶することとを含み得る。動作はさらに、１つ以上のコンピュータデバイスを使用して、第３のユーザから体験データカードの要求を受信することと、少なくとも部分的に、第２のユーザと第３のユーザとの間の類似性、および第２のユーザとの体験データカードの拡張された側面の関連性に基づいて、１つ以上の拡張された側面を伴う体験データカードを提供することとを含み得る。
【００８１】
以下の特徴のうちの１つ以上が含まれ得る。動作はさらに、第３のユーザと第１のユーザおよび第２のユーザの各々との間の複数の類似性をランク付けすることを含み得る。いくつかの実施形態では、提供することは、少なくとも部分的にランク付けに基づき得る。動作はさらに、少なくとも部分的に体験データカードに関連付けられる１つ以上の受信したコメントに基づいて、ランク付けを動的に更新することを含み得る。動作はまた、第２のユーザおよび第３のユーザがソーシャルネットワーク内でリンクされるかどうかを決定することを含み得、少なくとも部分的に第２のユーザと第３のユーザとの間の類似性に基づいて、１つ以上の拡張された側面を伴う体験データカードを提供することは、少なくとも部分的に、第１のユーザと、第２のユーザと、第３のユーザとの間のソーシャルネットワーク内の決定されたリンクに基づいて、１つ以上の拡張された側面を伴う体験データカードを提供することを含む。動作はさらに、ソーシャルネットワーキングストリームを介して体験データカードへのアクセスを提供することを含み得る。いくつかの実施形態では、１つ以上の拡張された側面は、画像を含み得る。
【００８２】
別の実装では、コンピュータシステムが、少なくとも１つのプロセッサと、少なくとも１つのプロセッサと連結されている少なくとも１つのメモリアーキテクチャとを含む。１つ以上のソフトウェアモジュールが、少なくとも１つのプロセッサおよび少なくとも１つのメモリアーキテクチャ上で実行され、第１のユーザから、少なくとも１つの画像を有する体験データカードを生成する要求を受信することと、少なくとも１つの画像を含む体験データカードを生成することとを含む、動作を行う。動作はさらに、体験データカードデータベースに体験データカードを記憶することを含み得る。動作はまた、第２のユーザから体験データカードの１つ以上の側面を拡張させる要求を受信することと、第２のユーザとの体験データカードの拡張された側面の関連性とともに、体験データカードの１つ以上の拡張された側面を記憶することとを含み得る。動作はさらに、１つ以上のコンピュータデバイスを使用して、第３のユーザから体験データカードの要求を受信することと、少なくとも部分的に、第２のユーザと第３のユーザとの間の類似性、および第２のユーザとの体験データカードの拡張された側面の関連性に基づいて、１つ以上の拡張された側面を伴う体験データカードを提供することとを含み得る。
【００８３】
以下の特徴のうちの１つ以上が含まれ得る。動作はさらに、第３のユーザと第１のユーザおよび第２のユーザの各々との間の複数の類似性をランク付けすることを含み得る。いくつかの実施形態では、提供することは、少なくとも部分的にランク付けに基づき得る。動作はさらに、少なくとも部分的に体験データカードに関連付けられる１つ以上の受信したコメントに基づいて、ランク付けを動的に更新することを含み得る。動作はまた、第２のユーザおよび第３のユーザがソーシャルネットワーク内でリンクされるかどうかを決定することを含み得、少なくとも部分的に第２のユーザと第３のユーザとの間の類似性に基づいて、１つ以上の拡張された側面を伴う体験データカードを提供することは、少なくとも部分的に、第１のユーザと、第２のユーザと、第３のユーザとの間のソーシャルネットワーク内の決定されたリンクに基づいて、１つ以上の拡張された側面を伴う体験データカードを提供することを含む。動作はさらに、ソーシャルネットワーキングストリームを介して体験データカードへのアクセスを提供することを含み得る。いくつかの実施形態では、１つ以上の拡張された側面は、画像を含み得る。
【００８４】
第１の実装では、体験を共有する方法が、提供される。本方法は、体験データベースに行われる体験検索の指示を受信することを含み得、体験検索は、１つ以上の検索基準を定義し、１つ以上の外因性条件に関連付けられる。本方法はまた、複数の体験データカードを含む結果を生成するように、少なくとも部分的に１つ以上の検索基準に基づいて、体験データベースを検索することを含み得る。本方法はさらに、少なくとも部分的に外因性条件に基づいて、複数の体験データカードを順序付けることを含み得る。本方法はまた、少なくとも部分的に順序付けられた体験データカードに基づいて、順序結果セットを生成することと、順序結果セットの少なくとも一部分をユーザに提示することとを含み得る。
【００８５】
以下の特徴のうちの１つ以上が含まれ得る。いくつかの実施形態では、外因性条件は、気象条件および温度条件のうちの１つ以上を含み得る。いくつかの実施形態では、外因性条件は、気分、テーマ、および時季のうちの１つ以上を含み得る。いくつかの実施形態では、外因性条件は、地理的位置、有効期限、および社会的類似性のうちの１つ以上を含み得る。いくつかの実施形態では、外因性条件は、体験評定、および体験パートナーのうちの１つ以上を含み得る。本方法はさらに、順序結果セットの体験に関連付けられるコメントを作成するオプションを第２のユーザに提供することを含み得る。本方法はさらに、順序結果セットに関連して、体験データベースに第２のユーザからのコメントを記憶することを含み得る。いくつかの実施形態では、順序結果セットの少なくとも一部分を提示することは、少なくとも部分的に人気測定基準に基づき得る。いくつかの実施形態では、外因性条件は、時刻を含み得る。いくつかの実施形態では、人気測定基準は、少なくとも部分的に体験データベースの全てのユーザからの総ランク付けに基づき得る。いくつかの実施形態では、人気測定基準は、少なくとも部分的にユーザに関連付けられる社会的類似性に基づき得る。
【００８６】
別の実装では、コンピュータプログラム製品が、コンピュータ読み取り可能な媒体上に存在し、その上に記憶された複数の命令を有する。プロセッサによって実行されたとき、命令は、体験データベースに行われる体験検索の指示を受信することを含む、動作をプロセッサに行わせ、体験検索は、１つ以上の検索基準を定義し、１つ以上の外因性条件に関連付けられる。動作はまた、複数の体験データカードを含む結果を生成するように、少なくとも部分的に１つ以上の検索基準に基づいて、体験データベースを検索することを含み得る。動作はさらに、少なくとも部分的に外因性条件に基づいて、複数の体験データカードを順序付けることを含み得る。動作はまた、少なくとも部分的に順序付けられた体験データカードに基づいて、順序結果セットを生成することと、順序結果セットの少なくとも一部分をユーザに提示することとを含み得る。
【００８７】
以下の特徴のうちの１つ以上が含まれ得る。いくつかの実施形態では、外因性条件は、気象条件および温度条件のうちの１つ以上を含み得る。いくつかの実施形態では、外因性条件は、気分、テーマ、および時季のうちの１つ以上を含み得る。いくつかの実施形態では、外因性条件は、地理的位置、有効期限、および社会的類似性のうちの１つ以上を含み得る。いくつかの実施形態では、外因性条件は、体験ランク付けおよび体験パートナーのうちの１つ以上を含み得る。動作はさらに、順序結果セットの体験に関連付けられるコメントを作成するオプションを第２のユーザに提供することを含み得る。動作はさらに、順序結果セットに関連して、体験データベースに第２のユーザからのコメントを記憶することを含み得る。いくつかの実施形態では、順序結果セットの少なくとも一部分を提示することは、少なくとも部分的に人気測定基準に基づき得る。いくつかの実施形態では、外因性条件は、時刻を含み得る。いくつかの実施形態では、人気測定基準は、少なくとも部分的に体験データベースの全てのユーザからの総ランク付けに基づき得る。いくつかの実施形態では、人気測定基準は、少なくとも部分的にユーザに関連付けられる社会的類似性に基づき得る。
【００８８】
別の実装では、コンピュータシステムが、少なくとも１つのプロセッサと、少なくとも１つのプロセッサと連結されている少なくとも１つのメモリアーキテクチャとを含む。１つ以上のソフトウェアモジュールが、少なくとも１つのプロセッサおよび少なくとも１つのメモリアーキテクチャ上で実行され、体験データベースに行われる体験検索の指示を受信することを含む動作を行い、体験検索は、１つ以上の検索基準を定義し、１つ以上の外因性条件に関連付けられる。動作はまた、複数の体験データカードを含む結果を生成するように、少なくとも部分的に１つ以上の検索基準に基づいて、体験データベースを検索することを含み得る。動作はさらに、少なくとも部分的に外因性条件に基づいて、複数の体験データカードを順序付けることを含み得る。動作はまた、少なくとも部分的に順序付けられた体験データカードに基づいて、順序結果セットを生成することと、順序結果セットの少なくとも一部分をユーザに提示することとを含み得る。
【００８９】
以下の特徴のうちの１つ以上が含まれ得る。いくつかの実施形態では、外因性条件は、気象条件および温度条件のうちの１つ以上を含み得る。いくつかの実施形態では、外因性条件は、気分、テーマ、および時季のうちの１つ以上を含み得る。いくつかの実施形態では、外因性条件は、地理的位置、有効期限、および社会的類似性のうちの１つ以上を含み得る。いくつかの実施形態では、外因性条件は、体験ランク付けおよび体験パートナーのうちの１つ以上を含み得る。動作はさらに、順序結果セットの体験に関連付けられるコメントを作成するオプションを第２のユーザに提供することを含み得る。動作はさらに、順序結果セットに関連して、体験データベースに第２のユーザからのコメントを記憶することを含み得る。いくつかの実施形態では、順序結果セットの少なくとも一部分を提示することは、少なくとも部分的に人気測定基準に基づき得る。いくつかの実施形態では、外因性条件は、時刻を含み得る。いくつかの実施形態では、人気測定基準は、少なくとも部分的に体験データベースの全てのユーザからの総ランク付けに基づき得る。いくつかの実施形態では、人気測定基準は、少なくとも部分的にユーザに関連付けられる社会的類似性に基づき得る。
【００９０】
第１の実装では、体験日程を生成する方法が、１つ以上のコンピュータデバイス上で実行される。本方法は、１つ以上のコンピュータデバイス上で、潜在的な体験の選択された位置に関する位置指示をユーザから受信することを含む。時間指示が、潜在的な体験の時間枠に関して、ユーザから１つ以上のコンピュータデバイス上で受信される。体験データベースが、選択された位置で定義された期間内に連続的に行われ得る、２つ以上の体験を識別するように問い合わせられる。日程が、少なくとも部分的に２つ以上の体験に基づいて、ユーザのために１つ以上のコンピュータデバイス上で生成される。
【００９１】
以下の特徴のうちの１つ以上が含まれ得る。日程は、１つ以上のコンピュータデバイスからユーザに提供され得る。潜在的な体験の所望のテーマに関するテーマ指示、および潜在的な体験の必要予算に関する予算指示のうちの１つ以上が、１つ以上のコンピュータデバイス上でユーザから受信され得る。体験データベースに問い合わせをすることは、選択された位置での気象条件、および２つ以上の体験の各々の間の地理的相違のうちの１つ以上を考慮することを含み得る。選択された位置は、ユーザの現在の位置であり得る。選択された位置は、ユーザによって選択される将来の位置であり得る。日程を生成することは、２つ以上の体験の各々に対する指示を生成することを含み得る。
【００９２】
別の実装では、コンピュータプログラム製品が、コンピュータ読み取り可能な媒体上に存在し、その上に記憶された複数の命令を有する。プロセッサによって実行されたとき、命令は、１つ以上のコンピュータデバイス上で、潜在的な体験の選択された位置に関する位置指示をユーザから受信することを含む、動作をプロセッサに行わせる。時間指示が、潜在的な体験の時間枠に関して、ユーザから１つ以上のコンピュータデバイス上で受信される。体験データベースが、選択された位置で定義された期間内に連続的に行われ得る、２つ以上の体験を識別するように問い合わせられる。日程が、少なくとも部分的に２つ以上の体験に基づいて、ユーザのために１つ以上のコンピュータデバイス上で生成される。
【００９３】
以下の特徴のうちの１つ以上が含まれ得る。日程は、１つ以上のコンピュータデバイスからユーザに提供され得る。潜在的な体験の所望のテーマに関するテーマ指示、および潜在的な体験の必要予算に関する予算指示のうちの１つ以上が、１つ以上のコンピュータデバイス上でユーザから受信され得る。体験データベースに問い合わせをすることは、選択された位置での気象条件、および２つ以上の体験の各々の間の地理的相違のうちの１つ以上を考慮することを含み得る。選択された位置は、ユーザの現在の位置であり得る。選択された位置は、ユーザによって選択される将来の位置であり得る。日程を生成することは、２つ以上の体験の各々に対する指示を生成することを含み得る。
【００９４】
別の実装では、コンピュータシステムが、少なくとも１つのプロセッサと、少なくとも１つのプロセッサと連結されている少なくとも１つのメモリアーキテクチャとを含む。１つ以上のソフトウェアモジュールが、少なくとも１つのプロセッサおよび少なくとも１つのメモリアーキテクチャ上で実行され、１つ以上のコンピュータデバイス上で、潜在的な体験の選択された位置に関する位置指示をユーザから受信することを含む動作を行う。時間指示が、潜在的な体験の時間枠に関して、ユーザから１つ以上のコンピュータデバイス上で受信される。体験データベースが、選択された位置で定義された期間内に連続的に行われ得る、２つ以上の体験を識別するように問い合わせられる。日程が、少なくとも部分的に２つ以上の体験に基づいて、ユーザのために１つ以上のコンピュータデバイス上で生成される。
【００９５】
以下の特徴のうちの１つ以上が含まれ得る。日程は、１つ以上のコンピュータデバイスからユーザに提供され得る。潜在的な体験の所望のテーマに関するテーマ指示、および潜在的な体験の必要予算に関する予算指示のうちの１つ以上が、１つ以上のコンピュータデバイス上でユーザから受信され得る。体験データベースに問い合わせをすることは、選択された位置での気象条件、および２つ以上の体験の各々の間の地理的相違のうちの１つ以上を考慮することを含み得る。選択された位置は、ユーザの現在の位置であり得る。選択された位置は、ユーザによって選択される将来の位置であり得る。日程を生成することは、２つ以上の体験の各々に対する指示を生成することを含み得る。
【００９６】
第１の実装では、体験にチェックインする方法が、１つ以上のコンピュータデバイス上で実行される。本方法は、１つ以上のコンピュータデバイス上で体験データベースを維持することを含む。体験データベースは、各々が体験に関連付けられ、各々が体験データベースのユーザによってアクセス可能である、複数の体験データカードを含む。体験データベースの第１のユーザからの閲覧指示が、体験データベース内の特定の体験データカードを閲覧する要求に関して、１つ以上のコンピュータデバイス上で受信される。特定の体験データカードの表現が、第１のユーザに提供される。チェックイン指示が、特定の体験データカードにチェックインすることに関して、第１のユーザから１つ以上のコンピュータデバイス上で受信される。
【００９７】
以下の特徴のうちの１つ以上が含まれ得る。特定の体験データカードは、体験データベースの第２のユーザによって作成され得る。特定の体験データカードは、少なくとも部分的に、第２のユーザによって提供される時間インジケータおよび位置インジケータに基づき得る。第１のユーザから受信されるチェックイン指示は、処理され得る。解説が、特定の体験データカードに関連付けられる体験に関して、第１のユーザから受信され得る。第１のユーザから受信される解説は、テキストベースの解説、写真の詳細、ビデオベースの詳細、および音声ベースの詳細のうちの１つ以上を含み得る。
【００９８】
特定の体験データカードは、第１のユーザから受信される解説を含むように改訂され得る。特定の体験データカードに関連付けられる、関連体験データカードが生成され得る。関連体験データカードは、第１のユーザから受信される解説を含み得る。事業が、特定の体験データカードに関連付けられ得、体験は、事業に関連付けられ得、第１のユーザから受信される解説は、体験に関連付けられ得る。閲覧指示は、第１のユーザによって体験データベース上で実行されるクエリの結果として生成され得る。体験データベース内に含まれる体験データカードのうちの１つ以上は、可用性基準を含み得る。可用性基準は、１つ以上の必要体験データカードを定義し得る。
【００９９】
別の実装では、コンピュータプログラム製品が、コンピュータ読み取り可能な媒体上に存在し、その上に記憶された複数の命令を有する。プロセッサによって実行されたとき、命令は、１つ以上のコンピュータデバイス上で体験データベースを維持することを含む、動作をプロセッサに行わせる。体験データベースは、各々が体験に関連付けられ、各々が体験データベースのユーザによってアクセス可能である、複数の体験データカードを含む。体験データベースの第１のユーザからの閲覧指示が、体験データベース内の特定の体験データカードを閲覧する要求に関して、１つ以上のコンピュータデバイス上で受信される。特定の体験データカードの表現が、第１のユーザに提供される。チェックイン指示が、特定の体験データカードにチェックインすることに関して、第１のユーザから１つ以上のコンピュータデバイス上で受信される。
【０１００】
以下の特徴のうちの１つ以上が含まれ得る。特定の体験データカードは、体験データベースの第２のユーザによって作成され得る。特定の体験データカードは、少なくとも部分的に、第２のユーザによって提供される時間インジケータおよび位置インジケータに基づき得る。第１のユーザから受信されるチェックイン指示は、処理され得る。解説が、特定の体験データカードに関連付けられる体験に関して、第１のユーザから受信され得る。第１のユーザから受信される解説は、テキストベースの解説、写真の詳細、ビデオベースの詳細、および音声ベースの詳細のうちの１つ以上を含み得る。
【０１０１】
特定の体験データカードは、第１のユーザから受信される解説を含むように改訂され得る。特定の体験データカードに関連付けられる、関連体験データカードが生成され得る。関連体験データカードは、第１のユーザから受信される解説を含み得る。事業が、特定の体験データカードに関連付けられ得、体験は、事業に関連付けられ得、第１のユーザから受信される解説は、体験に関連付けられ得る。閲覧指示は、第１のユーザによって体験データベース上で実行されるクエリの結果として生成され得る。体験データベース内に含まれる体験データカードのうちの１つ以上は、可用性基準を含み得る。可用性基準は、１つ以上の必要体験データカードを定義し得る。
【０１０２】
別の実装では、コンピュータシステムが、少なくとも１つのプロセッサと、少なくとも１つのプロセッサと連結されている少なくとも１つのメモリアーキテクチャとを含む。１つ以上のソフトウェアモジュールが、少なくとも１つのプロセッサおよび少なくとも１つのメモリアーキテクチャ上で実行され、１つ以上のコンピュータデバイス上で体験データベースを維持することを含む動作を行う。体験データベースは、各々が体験に関連付けられ、各々が体験データベースのユーザによってアクセス可能である、複数の体験データカードを含む。体験データベースの第１のユーザからの閲覧指示が、体験データベース内の特定の体験データカードを閲覧する要求に関して、１つ以上のコンピュータデバイス上で受信される。特定の体験データカードの表現が、第１のユーザに提供される。チェックイン指示が、特定の体験データカードにチェックインすることに関して、第１のユーザから１つ以上のコンピュータデバイス上で受信される。
【０１０３】
以下の特徴のうちの１つ以上が含まれ得る。特定の体験データカードは、体験データベースの第２のユーザによって作成され得る。特定の体験データカードは、少なくとも部分的に、第２のユーザによって提供される時間インジケータおよび位置インジケータに基づき得る。第１のユーザから受信されるチェックイン指示は、処理され得る。解説が、特定の体験データカードに関連付けられる体験に関して、第１のユーザから受信され得る。第１のユーザから受信される解説は、テキストベースの解説、写真の詳細、ビデオベースの詳細、および音声ベースの詳細のうちの１つ以上を含み得る。
【０１０４】
特定の体験データカードは、第１のユーザから受信される解説を含むように改訂され得る。特定の体験データカードに関連付けられる、関連体験データカードが生成され得る。関連体験データカードは、第１のユーザから受信される解説を含み得る。事業が、特定の体験データカードに関連付けられ得、体験は、事業に関連付けられ得、第１のユーザから受信される解説は、体験に関連付けられ得る。閲覧指示は、第１のユーザによって体験データベース上で実行されるクエリの結果として生成され得る。体験データベース内に含まれる体験データカードのうちの１つ以上は、可用性基準を含み得る。可用性基準は、１つ以上の必要体験データカードを定義し得る。
【０１０５】
１つ以上の実装の詳細が、添付図面及び以下の説明で記載される。他の特徴および利点は、説明、図面、および請求項から明白となるであろう。
【図面の簡単な説明】
【０１０６】
種々の図面中の類似参照記号は、類似要素を示す。
【図１】図１は、体験ソーシャルネットワーキングプロセスを実行するコンピュータデバイスを含む、コンピュータネットワークの概略図である。
【図２】図２は、図１の体験ソーシャルネットワーキングプロセスの図表示である。
【図３】図３は、図１の体験ソーシャルネットワーキングプロセスの別の図表示である。
【図４】図４は、図１の体験ソーシャルネットワーキングプロセスによってレンダリングされた体験データカードの概略図である。
【図５】図５は、図１の体験ソーシャルネットワーキングプロセスによってレンダリングされた解説ウィンドウの概略図である。
【図６】図６は、図１の体験ソーシャルネットワーキングプロセスによってレンダリングされた検索ウィンドウの概略図である。
【図７】図７は、図１の体験ソーシャルネットワーキングプロセスによって生成された結果セットの概略図である。
【図８】図８は、図１の体験ソーシャルネットワーキングプロセスの実施形態と一致する動作を描写する、フローチャートの概略図である。
【図９】図９は、図１の体験ソーシャルネットワーキングプロセスによってレンダリングされたグラフィカルユーザインターフェースの概略図である。
【図１０】図１０は、図１の体験ソーシャルネットワーキングプロセスによってレンダリングされた体験ツードゥーリストおよび検討リストの概略図である。
【図１１】図１１は、図１の体験ソーシャルネットワーキングプロセスによってレンダリングされたカード作成ウィンドウの概略図である。
【図１２】図１２は、図１の体験ソーシャルネットワーキングプロセスの実施形態と一致する動作を描写する、フローチャートの概略図である。
【図１３】図１３は、図１の体験ソーシャルネットワーキングプロセスによってレンダリングされた体験データカードの概略図である。
【図１４】図１４は、図１の体験ソーシャルネットワーキングプロセスによってレンダリングされた体験データカードの概略図である。
【図１５】図１５は、図１の体験ソーシャルネットワーキングプロセスの実施形態と一致する動作を描写する、フローチャートの概略図である。
【図１６】図１６は、図１の体験ソーシャルネットワーキングプロセスの実施形態と一致する体験データカード生成能力を有する、ソーシャルネットワーキングストリームの概略図である。
【図１７】図１７は、図１の体験ソーシャルネットワーキングプロセスの実施形態と一致する体験データカード生成能力を有する、ソーシャルネットワーキングストリームの概略図である。
【図１８】図１８は、図１の体験ソーシャルネットワーキングプロセスの実施形態と一致する動作を描写する、フローチャートの概略図である。
【図１９】図１９は、図１の体験ソーシャルネットワーキングプロセスによってレンダリングされた検索ウィンドウの概略図である。
【図２０】図２０は、図１の体験ソーシャルネットワーキングプロセスによって生成された結果セットの概略図である。
【図２１】図２１は、図１の体験ソーシャルネットワーキングプロセスの実施形態と一致する動作を描写する、フローチャートの概略図である。
【図２２】図２２は、図１の体験ソーシャルネットワーキングプロセスによって処理されている複数のコンテンツフィード部分の図表示である。
【図２３】図２３は、図１の体験ソーシャルネットワーキングプロセスの実施形態と一致する動作を描写する、フローチャートの概略図である。
【図２４】図２４は、図１の体験ソーシャルネットワーキングプロセスの実施形態と一致する画像捕捉データを有する、写真の概略図である。
【図２５】図２５は、図１の体験ソーシャルネットワーキングプロセスの実施形態と一致する画像捕捉データを有する、写真の概略図である。
【図２６】図２６は、図１の体験ソーシャルネットワーキングプロセスの実施形態と一致する動作を描写する、フローチャートの概略図である。
【図２７】図２７は、図１の体験ソーシャルネットワーキングプロセスの実施形態と一致する検索エンジンインターフェースページの概略図である。
【図２８】図２８は、図１の体験ソーシャルネットワーキングプロセスの実施形態と一致するウェブページの概略図である。
【図２９】図２９は、図１の体験ソーシャルネットワーキングプロセスによってレンダリングされた体験データカードの概略図である。
【図３０】図３０は、図１の体験ソーシャルネットワーキングプロセスによってレンダリングされたカード作成ウィンドウの概略図である。
【図３１】図３１は、図１の体験ソーシャルネットワーキングプロセスの実施形態と一致する動作を描写する、フローチャートの概略図である。
【図３２】図３２は、図１の体験ソーシャルネットワーキングプロセスの実施形態と一致する動作を描写する、フローチャートの概略図である。
【図３３】図３３は、図１の体験ソーシャルネットワーキングプロセスによってレンダリングされたカード作成ウィンドウの概略図である。
【図３４】図３４は、図１の体験ソーシャルネットワーキングプロセスによってレンダリングされた検索ウィンドウの概略図である。
【図３５】図３５は、図１の体験ソーシャルネットワーキングプロセスの実施形態と一致する動作を描写する、フローチャートの概略図である。
【図３６】図３６は、図１の体験ソーシャルネットワーキングプロセスによってレンダリングされたカード作成ウィンドウの概略図である。
【図３７】図３７は、図１の体験ソーシャルネットワーキングプロセスによってレンダリングされた検索ウィンドウの概略図である。
【図３８】図３８は、図１の体験ソーシャルネットワーキングプロセスの実施形態と一致するウェブページの概略図である。
【図３９】図３９は、図１の体験ソーシャルネットワーキングプロセスの実施形態と一致する動作を描写する、フローチャートの概略図である。
【図４０】図４０は、図１の体験ソーシャルネットワーキングプロセスによってレンダリングされた体験データカードの概略図である。
【図４１】図４１は、図１の体験ソーシャルネットワーキングプロセスによってレンダリングされた体験データカードの概略図である。
【図４２】図４２は、図１の体験ソーシャルネットワーキングプロセスの実施形態と一致する動作を描写する、フローチャートの概略図である。
【図４３】図４３は、図１の体験ソーシャルネットワーキングプロセスによってレンダリングされた検索ウィンドウの概略図である。
【図４４】図４４は、図１の体験ソーシャルネットワーキングプロセスによって生成された結果セットの概略図である。
【図４５】図４５は、図１の体験ソーシャルネットワーキングプロセスによってレンダリングされた検索ウィンドウの概略図である。
【図４６】図４６は、図１の体験ソーシャルネットワーキングプロセスの実施形態と一致する動作を描写する、フローチャートの概略図である。
【図４７】図４７は、図１の体験ソーシャルネットワーキングプロセスによってレンダリングされた日程の概略図である。
【図４８】図４８は、図１の体験ソーシャルネットワーキングプロセスの実施形態と一致する動作を描写する、フローチャートの概略図である。
【図４９】図４９は、図１の体験ソーシャルネットワーキングプロセスによってレンダリングされた２つの体験データカードの概略図である。
【発明を実施するための形態】
【０１０７】
（システム概観）
当業者によって理解されるように、本開示は、方法、システム、またはコンピュータプログラム製品として具現化され得る。したがって、本開示は、全て概して、「回路」、「モジュール」、または「システム」と本明細書で称され得る、完全にハードウェアの実施形態、完全にソフトウェアの実施形態（ファームウェア、常駐ソフトウェア、マイクロコード等を含む）、またはソフトウェアおよびハードウェア側面を組み合わせる実施形態の形態を成し得る。さらに、本開示は、媒体で具現化されたコンピュータ使用可能プログラムコードを有する、コンピュータ使用可能記憶媒体上のコンピュータプログラム製品の形態を成し得る。
【０１０８】
任意の好適なコンピュータ使用可能またはコンピュータ読み取り可能な媒体が利用され得る。コンピュータ使用可能またはコンピュータ読み取り可能な媒体は、例えば、電子、磁気、光学、電磁、赤外線、または半導体システム、装置、デバイス、または伝搬媒体であり得るが、それらに限定されない。コンピュータ読み取り可能な媒体のより具体的な実施例（非包括的リスト）は、１本以上のワイヤを有する電気接続、ポータブルコンピュータディスケット、ハードディスク、ランダムアクセスメモリ（ＲＡＭ）、読み取り専用メモリ（ＲＯＭ）、消去可能プログラマブル読み取り専用メモリ（ＥＰＲＯＭまたはフラッシュメモリ）、光ファイバ、ポータブルコンパクトディスク読み取り専用メモリ（ＣＤ−ＲＯＭ）、光学記憶デバイス、インターネットまたはイントラネットをサポートするもの等の伝送媒体、または磁気記憶デバイス等を含み得る。プログラムは、例えば、紙または他の媒体の光学走査を介して電子的に捕捉し、次いで、編纂し、必要であれば解釈するか、または好適な様式で別様に処理し、次いで、コンピュータメモリに記憶することができるため、コンピュータ使用可能またはコンピュータ読み取り可能な媒体は、その上にプログラムが印刷される紙または別の好適な媒体でさえあり得ることに留意されたい。本書との関連で、コンピュータ使用可能またはコンピュータ読み取り可能な媒体は、命令実行システム、装置、またはデバイスによって使用するために、またはそれに関連して、プログラムを含み、記憶し、伝達し、伝搬し、または転送することができる、任意の媒体であり得る。コンピュータ使用可能な媒体は、ベースバンドで、または搬送波の一部としてのいずれかで、それとともに具現化されるコンピュータ使用可能プログラムコードとともに伝搬データ信号を含み得る。コンピュータ使用可能プログラムコードは、インターネット、有線、光ファイバケーブル、ＲＦ等を含むが、それらに限定されない、任意の適切な媒体を使用して伝送され得る。
【０１０９】
本開示の動作を実行するためのコンピュータプログラムコードは、Ｊａｖａ（登録商標）、Ｓｍａｌｌｔａｌｋ、Ｃ＋＋等のオブジェクト指向プログラミング言語で書かれ得る。しかしながら、本開示の動作を実行するためのコンピュータプログラムコードはまた、「Ｃ」プログラミング言語または類似プログラミング言語等の従来の手続き型プログラミング言語で書かれ得る。プログラムコードは、完全にユーザのコンピュータ上で、部分的にユーザのコンピュータ上で、独立型ソフトウェアパッケージとして、部分的にユーザのコンピュータ上および部分的に遠隔コンピュータ上で、または完全に遠隔コンピュータあるいはサーバ上で実行され得る。後者のシナリオでは、遠隔コンピュータは、ローカルエリアネットワーク（ＬＡＮ）または広域ネットワーク（ＷＡＮ）を通してユーザのコンピュータに接続され得、または接続は、（例えば、インターネットサービスプロバイダを使用してインターネットを通して）外部コンピュータに行われ得る。
【０１１０】
本開示は、本開示の実施形態による、方法、装置（システム）、およびコンピュータプログラム製品のフローチャート図および／またはブロック図を参照して以下で説明される。フローチャート図および／またはブロック図の各ブロック、ならびにフローチャート図および／またはブロック図の中のブロックの組み合わせをコンピュータプログラム命令によって実装できることが理解されるであろう。これらのコンピュータプログラム命令は、コンピュータまたは他のプログラム可能なデータ処理装置のプロセッサを介して実行される命令が、フローチャートおよび／またはブロック図の１つまたは複数のブロックの中で特定される機能／作用を実装するための手段を作成するように、マシンを生産するよう、汎用コンピュータ、専用コンピュータ、または他のプログラム可能なデータ処理装置のプロセッサに提供され得る。
【０１１１】
これらのコンピュータプログラム命令はまた、コンピュータ読み取り可能なメモリに記憶された命令が、フローチャートおよび／またはブロック図の１つまたは複数のブロックの中で特定される機能／作用を実装する命令手段を含む製造品を生産するように、特定の様式で機能するようコンピュータまたは他のプログラム可能なデータ処理装置に指図し得る、コンピュータ読み取り可能なメモリに記憶され得る。
【０１１２】
コンピュータまたは他のプログラム可能な装置上で実行される命令が、フローチャートおよび／またはブロック図の１つまたは複数のブロックの中で特定される機能／作用を実装するためのステップを提供するように、コンピュータプログラム命令はまた、一連の動作ステップをコンピュータまたは他のプログラム可能な装置上で行わせてコンピュータ実装プロセスを生成するように、コンピュータまたは他のプログラム可能なデータ処理装置上にロードされ得る。
【０１１３】
（システム概観）
図１を参照すると、体験ソーシャルネットワーキングプロセス１０が示されている。体験ソーシャルネットワーキングプロセス１０は、サーバ側プロセス、クライアント側プロセス、またはハイブリッドサーバ側／クライアント側プロセスとして実装され得る。例えば、体験ソーシャルネットワーキングプロセス１０は、体験ソーシャルネットワーキングプロセス１０ｓを介して、純粋にサーバ側プロセスとして実装され得る。代替として、体験ソーシャルネットワーキングプロセス１０は、クライアント側アプリケーション１０ｃ１、クライアント側アプリケーション１０ｃ２、クライアント側アプリケーション１０ｃ３、およびクライアント側アプリケーション１０ｃ４のうちの１つ以上を介して、純粋にクライアント側プロセスとして実装され得る。代替として、依然として、体験ソーシャルネットワーキングプロセス１０は、体験ソーシャルネットワーキングプロセス１０ｓ、ならびにクライアント側アプリケーション１０ｃ１、クライアント側アプリケーション１０ｃ２、クライアント側アプリケーション１０ｃ３、およびクライアント側アプリケーション１０ｃ４のうちの１つ以上の組み合わせを介して、ハイブリッドサーバ側／クライアント側プロセスとして実装され得る。したがって、本開示で使用されるような体験ソーシャルネットワーキングプロセス１０は、体験ソーシャルネットワーキングプロセス１０ｓ、クライアント側アプリケーション１０ｃ１、クライアント側アプリケーション１０ｃ２、クライアント側アプリケーション１０ｃ３、およびクライアント側アプリケーション１０ｃ４の任意の組み合わせを含み得る。
【０１１４】
体験ソーシャルネットワーキングプロセス１０ｓは、サーバアプリケーションであり得、ネットワーク１４（例えば、インターネットまたはローカルエリアネットワーク）に接続され得るコンピュータデバイス１２上に存在し得、かつそれによって実行され得る。コンピュータデバイス１２の実施例は、パーソナルコンピュータ、ラップトップコンピュータ、携帯情報端末、データ対応携帯電話、ノートブックコンピュータ、サーバコンピュータ、一連のサーバコンピュータ、ミニコンピュータ、メインフレームコンピュータ、または専用ネットワークデバイスを含み得るが、それらに限定されない。
【０１１５】
コンピュータデバイス１２に連結される記憶デバイス１６に記憶され得る、体験ソーシャルネットワーキングプロセス１０ｓの命令セットまたはサブルーチンは、コンピュータデバイス１２内に含まれる１つ以上のプロセッサ（図示せず）および１つ以上のメモリアーキテクチャ（図示せず）によって実行され得る。記憶デバイス１６の実施例は、ハードディスクドライブ、テープドライブ、光学ドライブ、ＲＡＩＤデバイス、ランダムアクセスメモリ（ＲＡＭ）、読み取り専用メモリ（ＲＯＭ）、および全ての形態のフラッシュメモリ記憶デバイスを含み得るが、それらに限定されない。
【０１１６】
ネットワーク１４は、１つ以上の二次ネットワーク（例えば、ネットワーク１８）に接続され得、その実施例は、例えば、ローカルエリアネットワーク、広域ネットワーク、またはイントラネットを含み得るが、それらに限定されない。
【０１１７】
クライアント側アプリケーション１０ｃ１、１０ｃ２、１０ｃ３、１０ｃ４の実施例は、ウェブブラウザ、ゲーム機ユーザインターフェース、または特殊アプリケーション（例えば、ＡｎｄｒｏｉｄＴＭプラットフォームおよびｉＰｈｏｎｅＴＭプラットフォーム上で作動する、例えば、ゲームアプリケーション）を含み得るが、それらに限定されない。（それぞれ）クライアント電子デバイス２８、３０、３２、３４に連結される、（それぞれ）記憶デバイス２０、２２、２４、２６上に記憶され得る、クライアント側アプリケーション１０ｃ１、１０ｃ２、１０ｃ３、１０ｃ４の命令セットまたはサブルーチンは、（それぞれ）クライアント電子デバイス２８、３０、３２、３４に組み込まれる、１つ以上のプロセッサ（図示せず）および１つ以上のメモリアーキテクチャ（図示せず）によって実行され得る。記憶デバイス２０、２２、２４、２６の実施例は、ハードディスクドライブ、テープドライブ、光学ドライブ、ＲＡＩＤデバイス、ランダムアクセスメモリ（ＲＡＭ）、読み取り専用メモリ（ＲＯＭ）、および全ての形態のフラッシュメモリ記憶デバイスを含み得るが、それらに限定されない。
【０１１８】
クライアント電子デバイス２８、３０、３２、３４の実施例は、データ対応携帯電話２８、３０、携帯情報端末３２、パーソナルコンピュータ３４、ラップトップコンピュータ（図示せず）、ノートブックコンピュータ（図示せず）、サーバコンピュータ（図示せず）、ゲーム機（図示せず）、および専用ネットワークデバイス（図示せず）を含み得るが、それらに限定されない。
【０１１９】
ユーザ３６、３８、４０、４２は、ネットワーク１４を通して直接、または二次ネットワーク１８を通して、体験ソーシャルネットワーキングプロセス１０にアクセスし得る。さらに、体験ソーシャルネットワーキングプロセス１０は、リンクライン４４を用いて図示されるように、二次ネットワーク１８を通してネットワーク１４に接続され得る。
【０１２０】
種々のクライアント電子デバイス（例えば、クライアント電子デバイス２８、３０、３２、３４）は、ネットワーク１４（またはネットワーク１８）に直接または間接的に連結され得る。例えば、データ対応携帯電話２８、３０は、（それぞれ）データ対応携帯電話２８、３０と、ネットワーク１４に直接連結されて示されているセルラーネットワーク／ブリッジ４８との間で確立される、（それぞれ）無線通信チャネル４４、４６を介して、ネットワーク１４に無線で連結されて示されている。さらに、携帯情報端末３２は、携帯情報端末３２と、ネットワーク１４に直接連結されて示されている無線アクセスポイント（すなわち、ＷＡＰ）５２との間で確立される、無線通信チャネル５０を介して、ネットワーク１４に無線で連結されて示されている。加えて、パーソナルコンピュータ３４は、配線ネットワーク接続を介して、ネットワーク１８に直接連結されて示されている。
【０１２１】
ＷＡＰ５２は、例えば、携帯情報端末３２とＷＡＰ５２との間に無線通信チャネル５０を確立することが可能である、ＩＥＥＥ  ８０２．１１ａ、８０２．１１ｂ、８０２．１１ｇ、８０２．１１ｎ、Ｗｉ−Ｆｉ、および／またはＢｌｕｅｔｏｏｔｈ（登録商標）デバイスであり得る。当技術分野で公知であるように、ＩＥＥＥ  ８０２．１１ｘ仕様は、パス共有のために、イーサネット（登録商標）プロトコルおよびキャリア検知多重アクセス／衝突回避（すなわち、ＣＳＭＡ／ＣＡ）を使用し得る。種々の８０２．１１ｘ仕様は、例えば、位相偏移キーイング（すなわち、ＰＳＫ）変調または相補的コードキーイング（すなわち、ＣＣＫ）変調を使用し得る。当技術分野で公知であるように、Ｂｌｕｅｔｏｏｔｈ（登録商標）は、例えば、携帯電話、コンピュータ、および携帯情報端末が、短距離無線接続を使用して相互接続されることを可能にする、電気通信業界仕様である。
【０１２２】
クライアント電子デバイス２８、３０、３２、３４の各々は、オペレーティングシステムを実行し得、その実施例は、Ｍｉｃｒｏｓｏｆｔ  Ｗｉｎｄｏｗｓ（登録商標）、ＡｎｄｒｏｉｄＴＭ、ＷｅｂＯＳＴＭ、ｉＯＳＴＭ、Ｒｅｄｈａｔ  Ｌｉｎｕｘ（登録商標）、またはカスタムオペレーティングシステムを含み得るが、それらに限定されない。
【０１２３】
（体験ソーシャルネットワーキングプロセス）
体験ソーシャルネットワーキングプロセス１０は、体験データベース１００を制御し／含み得、それに連結され得る。体験ソーシャルネットワーキングプロセス１０は、他者が種々の体験について読み（おそらく楽しみ）得るように、種々のユーザが種々の体験を文書化してカタログを作ることを可能にし得る。これらの種々の体験は、体験データベース１００内に記憶され得る。体験データベース１００の実施例は、ＯｒａｃｌｅＴＭ、ＭｉｃｒｏｓｏｆｔＴＭ、およびＧｏｏｇｌｅＴＭによって利用可能なもの等の集中型ウェブベースの体験データベースを含み得るが、それらに限定されない。体験データベース１００は、クライアント側アプリケーション１０ｃ１、クライアント側アプリケーション１０ｃ２、クライアント側アプリケーション１０ｃ３、およびクライアント側アプリケーション１０ｃ４のうちの１つ以上を使用して、クライアント電子デバイス２８、３０、３２、３４を介してアクセス可能であり得る。したがって、（それぞれ）ユーザ３６、３８、４０、４２のうちの１人以上は、そのような体験を楽しみたいかどうかを決定するために、体験データベース１００内にカタログ作成された種々の体験を検討し得る。
【０１２４】
図２も参照すると、体験データベース１００は、体験データベース１００内に記憶された種々の体験が体験データカード（例えば、体験データカード１０２、１０４、１０６、１０８、１１０、１１２、１１４、１１６、１１８、１２０、１２２）としてユーザ（ユーザ３６、３８、４０、４２）に提示されるように、構成され得る。体験ソーシャルネットワーキングプロセス１０は、ユーザ３６、３８、４０、４２がカードに説明された体験を楽しみたいかどうかを決定し得るように、ユーザ３６、３８、４０、４２が上記で参照された体験データカードを検討し得るように、構成され得る。これらの体験データカード（例えば、体験データカード１０２、１０４、１０６、１０８、１１０、１１２、１１４、１１６、１１８、１２０、１２２）は、体験ソーシャルネットワーキングプロセス１０によってレンダリングされたグラフィカルユーザインターフェース１２４内で種々のユーザに提示され得る。
【０１２５】
本明細書で使用される場合、「体験データカード」という語句は、例えば、体験データベース１００の１人以上のユーザの体験を文書化するために、それらのユーザによって使用され得る、インデックスカードのデジタル表現を含むが、それに限定されない、その本来の通常の意味を包含する。以下でさらに詳細に説明されるように、これらのカードは、個々のユーザの個々の体験の詳細を反映するように複数のユーザによって修正／構成され得るという点で、事実上「共用」であり得る。
【０１２６】
加えて、体験ソーシャルネットワーキングプロセス１０が構成される様式に応じて、体験データベース１００内に含まれる体験データカード（例えば、体験データカード１０２、１０４、１０６、１０８、１１０、１１２、１１４、１１６、１１８、１２０、１２２）へのアクセスは、制限され得る。例えば、種々の体験データカードは、全てのユーザに公的に利用可能にされ得、カードの作成者のサークル内のユーザと共有されるのみであり得、カードの作成者と友達であるユーザと共有されるのみであり得、または（カード内で定義される体験の地理上の囲いまたは所定の距離内で）ある位置に近接しているユーザにのみアクセス可能であり得る。
【０１２７】
例えば、具体的には体験データカード１１２を参照すると、体験データカード１１２は、題名１２６（例えば、「ピュージェット湾で帆走」および写真１２８（例えば、ピュージェット湾の帆船）を含むことが示されている。体験データカード１１２は、題名１２６および写真１２８を含むことが示されているが、体験データベース１００内に含まれる種々の体験データカードが、体験ソーシャルネットワーキングプロセス１０の管理者（図示せず）の目的に従って構成され得るので、これは、例証目的にすぎず、本開示の制限であることを目的としない。
【０１２８】
例証目的で、ユーザ３６が（クライアント側アプリケーション１０ｃ１およびクライアント電子デバイス２８を介して）体験データベース１００内に含まれる種々の体験データカードを検討していると仮定されたい。以下でさらに詳細に議論されるように、例えば、ユーザ３６が体験データベース１００内に含まれる種々の体験データカードを回覧して検討する様式は、ユーザによって使用されるクライアント電子デバイスのタイプに従って変化し得る。例えば、ユーザによって使用されるクライアント電子デバイスが、より従来的なクライアント電子デバイス（例えば、パーソナルコンピュータ３４またはラップトップコンピュータ（図示せず））である場合において、ユーザは、ポインティングデバイス（例えば、マウス、図示せず）による画面上ポインタ（例えば、画面上ポインタ１３０）制御を介して、種々の体験データカードを回覧させ得る。逆に、ユーザによって使用されるクライアント電子デバイスが、タッチスクリーンクライアント電子デバイス（例えば、データ対応携帯電話２８、３０、携帯情報端末３２、タブレットコンピュータ（図示せず）、またはタッチスクリーンコンピュータ（図示せず））である場合において、ユーザは、（以下でさらに詳細に議論されるように）手のジェスチャを介して、種々の体験データカードを回覧させ得る。
【０１２９】
例えば、具体的には体験データカード１１２を参照すると、体験ソーシャルネットワーキングプロセス１０は、（この実施例では）ユーザ３６が体験ソーシャルネットワーキングプロセス１０によってグラフィカルユーザインターフェース１２４内でレンダリングされる種々の体験データカードを操作することを可能にし得る、１つ以上の制御指標（例えば、左の矢印１３２、下の矢印１３４、右の矢印１３６、および「詳細を示す」ボタン１３８）を（例えば、オーバーレイとして）レンダリングし得る。
【０１３０】
例えば、ユーザ３６が（画面上ポインタ１３０または手のジェスチャを介して）左の矢印１３２を選択した場合、体験ソーシャルネットワーキングプロセス１０は、グラフィカルユーザインターフェース１２４内でレンダリングされた上記の体験データカード群を左に移動させ得る。したがって、体験ソーシャルネットワーキングプロセス１０は、体験データカード１１４（例えば、「ベニスでゴンドラに乗る」）を（体験データカード１１２によって以前に保持された）閲覧位置へと左に移動させ得、体験データカード１１２を閲覧位置から体験データカード１１０（例えば、「エル・キャピタンでロッククライミング」）によって以前に保持された位置へと左に移動させ得る。
【０１３１】
さらに、ユーザ３６が（画面上ポインタ１３０または手のジェスチャを介して）右の矢印１３６を選択した場合、体験ソーシャルネットワーキングプロセス１０は、グラフィカルユーザインターフェース１２４内でレンダリングされた上記の体験データカード群を右に移動させ得る。したがって、体験ソーシャルネットワーキングプロセス１０は、体験データカード１１０（例えば、「エル・キャピタンでロッククライミング」）を（体験データカード１１２によって以前に保持された）閲覧位置へと右に移動させ得、体験データカード１１２を閲覧位置から体験データカード１１４（例えば、「ベニスでゴンドラに乗る」）によって以前に保持された位置へと右に移動させ得る。
【０１３２】
例証目的で、体験データカード１１２を検討する際に、ユーザ３６が、同データカードに関するさらなる情報を習得することに関心があると仮定すると、ユーザ３６は、（画面上ポインタ１３０または手のジェスチャを介して）「詳細を示す」ボタン１３８を選択し得る。したがって、体験ソーシャルネットワーキングプロセス１０は、体験データベース１００から適切な情報を取得し得、グラフィカルユーザインターフェース１２４内で同情報をレンダリングし得る。
【０１３３】
図３も参照すると、体験ソーシャルネットワーキングプロセス１０は、体験データカード１１２のより詳細なバージョン（例えば、体験データカード１１２’）をレンダリングし得る。他の構成が可能であるので、体験データカード１１２’の以下の議論は、例証目的にすぎず、本開示の制限であることを目的としていない。例えば、体験データカード１１２’のレイアウトおよび体験データカード１１２’内に含まれる特定の特徴は、体験ソーシャルネットワーキングプロセス１０の管理者（図示せず）の目的に従って変化させられ得る。したがって、この実施例については、体験データカード１１２’は、体験の詳細１５０およびユーザ解説１５２等の体験データカード１１２内に含まれていない追加の情報を含むことが示されている。
【０１３４】
体験データカード１１２から体験データカード１１２’へ移行するとき、１つ以上のアニメーション技法（例えば、「フリッピング」アニメーション技法、「回転」アニメーション技法、または「展開／折り紙」アニメーション技法）が、体験ソーシャルネットワーキングプロセス１０によって利用され、グラフィカルユーザインターフェース１２４内でレンダリングされ得る。
【０１３５】
体験の詳細１５０は、体験データカード１１２’の作成者、すなわち、「ＣｉｎｄｙＳｈａｗ」によって提供される追加の詳細を含み得る。したがって、「ＣｉｎｄｙＳｈａｗ」によって提供される体験の詳細１５０（すなわち、「ボートを借りてピュージェット湾周辺を帆走しよう。湾周辺の紅葉が美しい秋が最高だ。」）は、「ＣｉｎｄｙＳｈａｗ」によって来訪される特定の事業所とは対照的に、「ＣｉｎｄｙＳｈａｗ」の特定の体験に関係する。
【０１３６】
ユーザ解説１５２は、体験データカード１１２’に説明された体験に関する追加の情報を提供することができる、種々のユーザによって提供される解説を含み得る。この特定の開示については、ユーザ解説１５２内に含まれるような「解説」は、テキストベースの情報（例えば、コメント／フィードバック）、写真ベースの情報（例えば、体験に関係する写真）、ビデオベースの情報（例えば、体験に関係するビデオ）、音声ベースの情報（例えば、体験に関係する音声記録）、ランキング（例えば、０−１０）、記号（例えば、賛成／拒否）、色（例えば、赤、緑、青）、および気分インジータ（例えば、幸せ、悲しい、楽しい、退屈）等のユーザによって提供される任意の情報を含むことを目的としている。上記の解説のリストは、例証的であることを目的としているが、包括的であることを目的としていない。したがって、他の種類の解説が、ユーザ解説１５２内に含まれ得る。
【０１３７】
ユーザ３６がもはや体験データカード１１２’を検討することに関心がなくなった場合には、ユーザ３６は、（画面上ポインタ１３０または手のジェスチャを介して）「詳細を隠す」ボタン１３８’を選択し得る。したがって、体験ソーシャルネットワーキングプロセス１０は、もう一度、グラフィカルユーザインターフェース１２４内でデータカード１１２’の「あまり詳細ではない」バージョン（すなわち、体験データカード１１２）をレンダリングし得る。
【０１３８】
体験データカード１１２’から体験データカード１１２へ移行するとき、１つ以上のアニメーション技法（例えば、「フリッピング」アニメーション技法、「回転」アニメーション技法、または「展開／折り紙」アニメーション技法）が、体験ソーシャルネットワーキングプロセス１０によって利用され、グラフィカルユーザインターフェース１２４内でレンダリングされ得る。
【０１３９】
図４も参照すると、以下でさらに詳細に議論されるように、体験ソーシャルネットワーキングプロセス１０は、種々のユーザ（例えば、ユーザ３６）が、例えば、体験データカード１１２’内で説明された体験に関する解説を提供することを可能にするように構成され得る。上記で議論されるように、本開示については、ユーザ解説１５２は、ユーザによって提供され得る任意の解説（例えば、テキストベースの情報、写真ベースの情報、ビデオベースの情報、音声ベースの情報、ランキング、記号、色、および気分インジケータ）を含み得る。
【０１４０】
ユーザ（例えば、ユーザ３６）が体験（例えば、体験データカード１１２’内で定義される体験）に関する解説を提供することを希望する場合において、ユーザ３６は、「コメントを追加する」ボタン２００を選択し得る。上記で議論されるように、例えば、ユーザ３６が「コメントを追加する」ボタン２００を選択する様式は、ユーザによって使用されるクライアント電子デバイスの種類に応じて変化し得る。例えば、あるクライアント電子デバイス（例えば、パーソナルコンピュータ３４またはラップトップコンピュータ（図示せず））が、ポインティングデバイス（例えば、マウス、図示せず）によって制御可能な画面上ポインタ（例えば、画面上ポインタ１３０）を使用するようにユーザに要求し得る一方で、他のタッチスクリーンクライアント電子デバイス（例えば、データ対応携帯電話２８、３０、携帯情報端末３２、タブレットコンピュータ（図示せず）、またはタッチスクリーンコンピュータ（図示せず））は、ユーザが手のジェスチャを使用することを可能にし得る。
【０１４１】
したがって、図５も参照すると、「コメントを追加する」ボタン２００が選択されると、体験ソーシャルネットワーキングプロセス１０は、グラフィカルユーザインターフェース１２４内で解説ウィンドウ２５０をレンダリングし得る。解説ウィンドウ２５０は、名前フィールド２５２（ユーザ３６が自分のスクリーンネームをデータ投入し得る）およびコメントフィールド２５４（ユーザ３６がテキストベースの解説をデータ投入し得る）を含み得る。フィールド２５２、２５４がユーザ３６によってデータ投入されると、ユーザ３６は、（この実施例では）テキストベースの解説を体験データカード１１２’に投稿するように、（例えば、画面上ポインタ１３０または手のジェスチャを介して）「投稿」ボタン２５６を選択し得る。代替として、ユーザ３６は、投稿動作を断念するように「キャンセル」ボタン２５８を選択し得る。ユーザ３６が何らかの形態のファイルベースの解説（例えば、写真ベースの情報、ビデオベースの情報、音声ベースの情報）を提供したい場合には、ユーザ３６は、「添付」ボタン２６０を選択し得、体験ソーシャルネットワーキングプロセス１０は、ユーザ３６がアップロードのために適切なファイルを選択することを可能にし得る、ファインダウィンドウ２６２をレンダリングし得る。適切なファイルが選択されると、ユーザ３６は、選択されたファイルを体験ソーシャルネットワーキングプロセス１０によってアップロードさせ、体験データカード１１２’内で利用可能にさせる、「アップロード」ボタン２６４を選択し得る。体験ソーシャルネットワーキングプロセス１０が他の種類の解説（例えば、ランク付け、記号、色、および気分インジケータ）を可能にするように構成される場合において、解説ウィンドウ２５０は、同解説を可能にするように構成され得る。例えば、解説ウィンドウ２５０は、賛成ボタン（図示せず）、拒否ボタン（図示せず）、１つ以上のランキングボタン／セレクタ（図示せず）、１つ以上の色セレクタ（図示せず）、および／または１つ以上の気分セレクタ（図示せず）を含み得る。
【０１４２】
ユーザ３６が体験データベース１００内に含まれる種々の体験データカード（例えば、体験データカード１０２、１０４、１０６、１０８、１１０、１１２、１１４、１１６、１１８、１２０、１２２）をより効率的に検索することを可能にするために、体験ソーシャルネットワーキングプロセス１０は、ユーザ３６が体験データベース１００を検索することを可能にするように構成され得る。例えば、図６も参照すると、ユーザ３６は、（例えば、画面上ポインタ１３０または手のジェスチャを介して）選択ボタン１４０（図２参照）を選択し得、体験ソーシャルネットワークプロセス１０は、ユーザ３６が体験データベース１００を効率的に検索することを可能にし得る、検索ウィンドウ３００をレンダリングし得る。
【０１４３】
具体的には、体験データベース１００を検索するとき、ユーザ３６は、いくつかの要因を考慮し得る。以下の議論については、議論される要因は、例証目的にすぎず、本開示の制限であることを目的としていない。例えば、体験データベース１００内で検索可能である要因は、体験ソーシャルネットワーキングプロセス１０の管理者（図示せず）の目的に従って構成され得る。
【０１４４】
考慮され得る１つのそのような要因は、費用３０２である。例えば、ユーザ３６が多額の金額を使うことを希望しない／使うことができない場合において、ユーザ３６は、低費用である体験（例えば、春にセントラルパークを歩く）のみを考慮することを希望し得る。代替として、費用が重要でない懸念である場合において、ユーザ３６は、より高い費用である体験（例えば、マンハッタンのプライベートヘリコプターツアー）を考慮することを希望し得る。したがって、体験ソーシャルネットワーキングプロセス１０は、ユーザ３６が検索ウィンドウ３００の費用フィールド３０４内で好ましい費用を選択することを可能にするように構成され得る。
【０１４５】
考慮され得る別の要因は、年齢３０６である。例えば、ユーザ３６が単独である、または配偶者／成人の友達と一緒である場合において、ユーザ３６は、成人用体験（例えば、ソーホーの種々のバー／クラブを来訪する）を考慮することを希望し得る。代替として、ユーザ３６が家族（未成年の子供を含む）と一緒である場合において、ユーザ３６は、年齢制限がない体験（例えば、セントラルパークのフェアを来訪する）のみを考慮することを希望し得る。したがって、体験ソーシャルネットワーキングプロセス１０は、ユーザ３６が検索ウィンドウ３００の年齢フィールド３０８内で好ましい年齢を選択することを可能にするように構成され得る。
【０１４６】
考慮され得る別の要因は、持続時間３１０である。例えば、どれだけ長く体験をユーザ３６が考慮しているかである。例えば、一日中続き得る体験（例えば、ナパバレーのツアー）を探しているか、または大幅に短くあり得る体験（例えば、アルカトラズ島のツアー）を探しているかである。したがって、体験ソーシャルネットワーキングプロセス１０は、ユーザ３６が検索ウィンドウ３００の持続時間フィールド３１２内で好ましい持続時間を選択することを可能にするように構成され得る。
【０１４７】
考慮され得る別の要因は、気分３１４である。例えば、ユーザ３６が活動的な冒険（エンパイアステートビルディングの展望台への階段を上る）、またはよりくつろいだ体験（例えば、マンハッタン周辺のサークルラインに乗る）に関心があるかである。したがって、体験ソーシャルネットワーキングプロセス１０は、ユーザ３６が検索ウィンドウ３００の気分フィールド３１６内で好ましい気分を選択することを可能にするように構成され得る。
【０１４８】
考慮され得る別の要因は、位置３１８である。例えば、ユーザ３６が、現在の位置（例えば、ニューヨーク市）での体験、または将来来訪するであろう位置（例えば、フランスのパリ）での体験に興味あるかである。したがって、体験ソーシャルネットワーキングプロセス１０は、ユーザ３６が検索ウィンドウ３００の位置フィールド３２０内で好ましい位置を選択することを可能にするように構成され得る。検索ウィンドウ３００はまた、ユーザ３６が（例えば、三角測量またはＧＰＳ技術によって決定されるような）現在の位置を好ましい位置として迅速に定義することを可能にし得る、「私の現在の位置」ボタン３２２を含み得る。
【０１４９】
加えて、１つ以上の構成メニュー（図示せず）を通して、ユーザ３６は、位置フィールド３２０の半径／許容範囲を定義することが可能であり得る。例えば、体験ソーシャルネットワーキングプロセス１０は、例えば、好ましい位置の５マイル、１０マイル、または２５マイル半径内にある場合に、ユーザ３６が体験をある位置にいるものとして定義することを可能にするように構成され得る。
【０１５０】
考慮され得る別の要因は、季節３２４である。例えば、ユーザ３６が、冬の間のみハンターマウンテンでスキーに行くことが可能であり得る一方で、ユーザ３６は、夏の間のみアディロンダック山地でハングライダーをしに行くことが可能であり得る。したがって、体験ソーシャルネットワーキングプロセス１０は、ユーザ３６が検索ウィンドウ３００の季節フィールド３２６内で好ましい季節を選択することを可能にするように構成され得る。検索ウィンドウ３００はまた、ユーザ３６が（利用可能なカレンダーによって決定されるような）現在の季節を好ましい季節として迅速に定義することを可能にし得る、「私の現在の季節」ボタン３２８を含み得る。
【０１５１】
考慮され得る別の要因は、天気３３０である。例えば、ユーザ３６が、晴れているときはジャージーショアに行くことのみを所望し得る一方で、ユーザ３６は、雨が降っている／外が寒いときは屋内活動を行うこと（例えば、自然史博物館に行くこと）のみに関心があり得る。したがって、体験ソーシャルネットワーキングプロセス１０は、ユーザ３６が検索ウィンドウ３００の天気フィールド３３２内で好ましい天気を選択することを可能にするように構成され得る。検索ウィンドウ３００はまた、ユーザ３６が（例えば、三角測量またはＧＰＳ技術およびアクセス可能な気象サービスによって決定されるような）現在の位置の現在の天気を好ましい天気として迅速に定義することを可能にし得る、「私の現在の天気」ボタン３３４を含み得る。
【０１５２】
考慮され得る別の要因は、時間／日付３３６である。例えば、ユーザ３６は、朝のみ日の出を見ることができ、夕方のみ日没を見ることができる。さらに、ユーザ３６は、（木曜の夜とは対照的に）金曜の夜のみフライデーナイトハーバークルーズ（Ｆｒｉｄａｙ  Ｎｉｇｈｔ  Ｈａｒｂｏｒ  Ｃｒｕｉｓｅ）に参加することが可能であり得る。したがって、体験ソーシャルネットワーキングプロセス１０は、ユーザ３６が検索ウィンドウ３００の時間／日付フィールド３３８内で好ましい時間／日付を選択することを可能にするように構成され得る。検索ウィンドウ３００はまた、ユーザ３６が（例えば、利用可能な時計／カレンダーによって決定されるような）現在の時間／日付を好ましい時間／日付として迅速に定義することを可能にし得る、「私の現在の時間／日付」ボタン３４０を含み得る。
【０１５３】
検索ウィンドウ３００がユーザ３６によって完全または部分的にデータ投入されると、ユーザ３６は、（画面上ポインタ１３０または手のジェスチャを介して）検索ウィンドウ３００内の「検索」ボタン３４２を選択し得る。図７も参照して、「検索」ボタン３４２を選択すると、上記の検索条件を満たす複数の体験データカードを含む結果セット３５０が、体験ソーシャルネットワーキングプロセス１０によって生成され得る。ユーザ２６は、上記で説明される様式で、個々の体験データカード（すなわち、結果セット３５０内に含まれる体験データカード３５２、３５４、３５６、３５８、３６０）を回覧して検討し得る。５つだけの体験データカードが結果セット３５０内に含まれることが示されているが、これは例証目的にすぎず、本開示の制限であることを目的としていない。
【０１５４】
（例示的システム１）
上記のシステムは、ユーザが利用可能な体験データカードに容易に目を通し、目的とするこれらの体験データカードを選択することを可能にすることが望ましくあり得る。例えば、上記のシステムが体験データベースに関するので、本システムは、多くの場合、ハンドヘルドデバイスを介してアクセスされるであろう。したがって、本システムは、ユーザが利用可能な体験データカードに目を通し、画面ジェスチャを介して、ユーザが関心を持っているものを選択することを可能にするように構成され得る。例えば、ハンドヘルドデバイスを保持しながら、ユーザは、体験データベース上で利用可能な体験データカード（例えば、ハンドヘルドデバイスの位置、またはユーザが選択した位置に関係する、これらの体験データカード）に目を通すように、（例えば、左へ、または右へ）画面を横断して指をスワイプし得、後続の検討のために、その体験データカードのコピーをそれらの「トレイ」の中へ配置するように、指を下向きにドラッグし得る。代替として、本システムは、指の下向きにドラッグする運動が選択された体験データカードをユーザの体験ツードゥーリストに自動的に追加するように、構成され得る。
【０１５５】
図８および９も参照すると、上記で議論されるように、体験ソーシャルネットワーキングプロセス１０は、クライアント電子デバイス（例えば、データ対応携帯電話２８、３０、携帯情報端末３２、パーソナルコンピュータ３４、ラップトップコンピュータ（図示せず）、タブレットコンピュータ（図示せず）、またはタッチスクリーンコンピュータ（図示せず））を介して、体験データベース１００にアクセスする４００ように構成され得る。
【０１５６】
さらに、上記で議論されるように、体験データベース１００は、各々が体験に関連付けられ、各々が体験データベース１００のユーザ（例えば、ユーザ３６、３８、４０、４２）によってアクセス可能である複数の体験データカード（例えば、体験データカード１０２、１０４、１０６、１０８、１１０、１１２、１１４、１１６、１１８、１２０、１２２）を含み得る。加えて、上記で議論されるように、種々のユーザ（例えば、ユーザ３６、３８、４０、４２）は、体験データベース１００内に含まれる種々の体験データカードを回覧して検討し得る。
【０１５７】
したがって、例証目的で、ユーザ３６がクライアント電子デバイス２８を使用しており、複数の体験データカード（例えば、体験データカード１０２、１０４、１０６、１０８、１１０、１１２、１１４、１１６、１１８、１２０、１２２）から選択される第１の体験データカード（例えば、体験データカード１１２）が、クライアント電子デバイス２８に関連付けられるディスプレイ（例えば、ディスプレイ５４）上で体験ソーシャルネットワーキングプロセス１０によってレンダリングされる４０２と仮定されたい。この実施例については、クライアント電子デバイス２８に関連付けられるディスプレイ５４は、タッチスクリーンディスプレイであると仮定されたい。
【０１５８】
当技術分野で公知であるように、タッチスクリーンディスプレイは、表示領域内の「タッチ」の存在および位置を検出するように構成される、電子視覚ディスプレイである。典型的には、「タッチ」とは、概して、指／手でタッチスクリーンディスプレイに触れることを指す。代替として、タッチスクリーンディスプレイは、受動オブジェクト（例えば、スタイラス）を感知するように構成され得る。
【０１５９】
上記で議論されるように、例えば、ユーザ３６が体験データベース１００内に含まれる種々の体験データカードを回覧して検討する様式は、ユーザによって使用されるクライアント電子デバイスの種類に応じて変化し得る。例えば、ユーザによって使用されるクライアント電子デバイスが、より従来的なクライアント電子デバイス（例えば、パーソナルコンピュータ３４またはラップトップコンピュータ（図示せず））である場合において、ユーザは、ポインティングデバイス（例えば、マウス、図示せず）によって制御可能な画面上ポインタを介して、種々の体験データカードを回覧させ得る。逆に、ユーザによって使用されるクライアント電子デバイスがタッチスクリーンクライアント電子デバイス（例えば、データ対応携帯電話２８、３０、携帯情報端末３２、タブレットコンピュータ（図示せず）、またはタッチスクリーンコンピュータ（図示せず））である場合において、ユーザは、手のジェスチャを介して種々の体験データカードを回覧させ得る。
【０１６０】
上記で議論されるように、クライアント電子デバイス２８に関連付けられるディスプレイ５４は、タッチスクリーンディスプレイである。したがって、種々の体験データカードは、手のジェスチャを介して操作され得る。ユーザ３６がクライアント電子デバイス２８のディスプレイ５４上で手のジェスチャを行うと仮定されたい。したがって、体験ソーシャルネットワーキングプロセス１０は、クライアント電子デバイス２８が、複数の体験データカード（例えば、体験データカード１０２、１０４、１０６、１０８、１１０、１１２、１１４、１１６、１１８、１２０、１２２）から選択される第２の体験データカード（例えば、体験データカード１１０）をレンダリングすることを要求して、クライアント電子デバイス２８に関連付けられる物理的インターフェース上でブラウズ指示を受信し得る４０４。この実施例については、ディスプレイ５４がタッチスクリーンディスプレイであるので、クライアント電子デバイス２８に関連付けられる上記の物理的インターフェースは、ディスプレイ５４である。ディスプレイ５４がタッチスクリーンディスプレイではなかった場合において、クライアント電子デバイス２８に関連付けられる上記の物理的インターフェースは、例えば、ジョイスティックまたはタッチパッドを含み得る。
【０１６１】
上記のブラウズ指示は、クライアント電子デバイス２８内に含まれる上記の物理的インターフェース（例えば、ディスプレイ５４）を横断して、ユーザ３６が事実上直線状に指を素早く動かすことに応答して生成され得る。例えば、事実上直線状に指を素早く動かすとき、ユーザ３６は、クライアント電子デバイス２８内に含まれる上記の物理的インターフェースを横断して、事実上水平に指を素早く動かし得る。
【０１６２】
ユーザ３６が事実上水平に指を動かしているかどうかを決定するとき、体験ソーシャルネットワーキングプロセス１０は、素早い運動の角度の正接を決定し、例えば、０．２０から−０．２０の間（水平の約１１度以内）である正接を探し得る。計算された正接がこの範囲内に入る場合において、体験ソーシャルネットワーキングプロセス１０は、これをクライアント電子デバイス２８が第２の体験データカードをレンダリングするという有効な要求であると見なし得る。計算された正接がこの範囲外にある場合において、体験ソーシャルネットワーキングプロセス１０は、要求を無効と見なし得、同要求を破棄し得る。
【０１６３】
体験ソーシャルネットワーキングプロセス１０が、ユーザ３６によって行われた上記の手のジェスチャをクライアント電子デバイス２８が第２の体験データカードをレンダリングするという有効な要求であると見なしたと仮定されたい。したがって、体験ソーシャルネットワーキングプロセス１０は、少なくとも部分的に上記のブラウズ指示に基づいて、クライアント電子デバイス２８に関連付けられるディスプレイ５４上で第２の体験データカード（例えば、体験データカード１１０）をレンダリングし得る４０６。
【０１６４】
ユーザ３６がクライアント電子デバイス２８内に含まれるディスプレイ５４を横断して事実上水平に指を素早く動かすとき、ユーザ３６は、第１の方向（例えば、左から右）へ体験データベース内１００に含まれる複数の体験データカード（例えば、体験データカード１０２、１０４、１０６、１０８、１１０、１１２、１１４、１１６、１１８、１２０、１２２）を反復して回覧するように、クライアント電子デバイス２８内に含まれるディスプレイ５４を横断して、事実上水平に左から右へ指を素早く動かし得る。
【０１６５】
例えば、体験ソーシャルネットワーキングプロセス１０は、体験データカード１１０（例えば、「エル・キャピタンでロッククライミング」）を（体験データカード１１２によって以前に保持されていた）閲覧位置へと右に移動させ得、体験データカード１１２を閲覧位置から体験データカード１１４（例えば、「ベニスでゴンドラに乗る」）によって以前に保持されていた位置へと右に移動させ得る。
【０１６６】
代替として、ユーザ３６がクライアント電子デバイス２８内に含まれるディスプレイ５４を横断して事実上水平に指を素早く動かすとき、ユーザ３６は、第２の方向（例えば、右から左）へ体験データベース内１００に含まれる複数の体験データカード（例えば、体験データカード１０２、１０４、１０６、１０８、１１０、１１２、１１４、１１６、１１８、１２０、１２２）を反復して回覧するように、クライアント電子デバイス２８内に含まれるディスプレイ５４を横断して、事実上水平に右から左へ指を素早く動かし得る。
【０１６７】
例えば、体験ソーシャルネットワーキングプロセス１０は、体験データカード１１４（例えば、「ベニスでゴンドラに乗る」）を（体験データカード１１２によって以前に保持されていた）閲覧位置へと左に移動させ得、体験データカード１１２を閲覧位置から体験データカード１１０（例えば、「エル・キャピタンでロッククライミング」）によって以前に保持されていた位置へと左に移動させ得る。
【０１６８】
上記の実施例を続けると、例証目的で、ユーザ３６が体験データカード１１０に関心があり、将来的にいつか、そのような体験（例えば、「エル・キャピタンでロッククライミング」）を楽しみたいと仮定されたい。したがって、ユーザ３６は、後続の使用のために体験データカード１１０を選択し得る。
【０１６９】
クライアント電子デバイス２８に関連付けられるディスプレイ５４がタッチスクリーンディスプレイであるので、ユーザ３６は、後続の使用のために体験データカード１１０を選択するように、クライアント電子デバイス２８のディスプレイ５４上で手のジェスチャを行い得る。この手のジェスチャに応答して、体験ソーシャルネットワーキングプロセス１０は、例えば、クライアント電子デバイス２８が体験データカード１１０にタグ付けすることを要求する、選択指示をクライアント電子デバイス２８上で受信し得る４０８。
【０１７０】
図１０も参照すると、上記の選択指示は、クライアント電子デバイス２８内に含まれる物理的インターフェースを横断して、ユーザ３６が（矢印１３４の方向へ）事実上垂直に指を素早く動かすことに応答して、生成され得る。上記で議論されるように、この実施例ではディスプレイ５４がタッチスクリーンディスプレイであるので、クライアント電子デバイス２８内に含まれる物理的インターフェースは、ディスプレイ５４であり得る。
【０１７１】
ユーザ３６が事実上垂直に指を動かしているかどうかを決定するとき、体験ソーシャルネットワーキングプロセス１０は、素早い運動の角度の正接を決定し、例えば、５．０より大きいか、または−５．０未満である（垂直の約１１度以内の）正接を探し得る。計算された正接がこの範囲内に入る場合において、体験ソーシャルネットワーキングプロセス１０は、これをクライアント電子デバイス２８が第２の体験データカードにタグ付けするという有効な要求であると見なし得る。計算された正接がこの範囲外にある場合において、体験ソーシャルネットワーキングプロセス１０は、要求を無効と見なし得、同要求を破棄し得る。
【０１７２】
体験ソーシャルネットワーキングプロセス１０が、ユーザ３６によって行われた上記の手のジェスチャをクライアント電子デバイス２８が体験データカード１１０にタグ付けするという有効な要求であると見なしたと仮定されたい。したがって、体験ソーシャルネットワーキングプロセス１０は、体験データカード１１０にタグ付けし得る４１０。
【０１７３】
体験データカード１１０にタグ付け４１０するとき、体験ソーシャルネットワーキングプロセス１０は、体験データカード１１０を体験データベース１００上のユーザ３６に関連付けられる体験ツードゥーリスト４５０に追加し得る４１２。例えば、体験データカード１１０を体験ツードゥーリスト４５０に追加する４１２とき、体験ツードゥーリスト４５０は、体験データカード１１０を指し示すポインタ（例えば、ポインタ４５２）を追加するように修正され得る。したがって、体験ツードゥーリスト４５０は、ユーザ３６が将来的にいつか楽しむことを希望する体験の実行リストとして機能し得る。ユーザ３６が、例えば、体験データカード１１０内で定義され、体験ツードゥーリスト４５０内で識別される体験を楽しむ場合／とき、体験データカード１１０に関連付けられ、体験ツードゥーリスト４５０内で定義されるポインタ（例えば、ポインタ４５２）は、体験ツードゥーリスト４５０から除去され得る。
【０１７４】
体験データカード１１０をタグ付けする４１０とき、体験ソーシャルネットワーキングプロセス１０は、体験データカード１１０を体験データベース１００上のユーザ３６に関連付けられる検討リスト４５４に追加し得る４１４。例えば、体験データカード１１０を検討リスト４５４に追加する４１４とき、検討リスト４５４は、体験データカード１１０を指し示すポインタ（例えば、ポインタ４５６）を追加するように修正され得る。したがって、検討リスト４５４は、ユーザ３６が将来的にいつか検討することを希望する体験の実行リストとして機能し得る。したがって、最初に体験データカード１１０を検討するとき、ユーザ３６が体験データカード１１０に興味を持つが、ユーザ３６が体験データカード１１０を体験ツードゥーリスト４５０に追加したいかどうかに関して確信がないと仮定されたい。したがって、ユーザ３６は、後続の検討および考慮のために、体験データカード１１０を検討リスト４５４に追加し得る。ユーザ３６が体験データカード１１０を体験ツードゥーリスト４５０に追加したいことをユーザ３６が後に決定する場合において、ユーザ２６は、（例えば、体験データカード１１０を指し示すポインタ４５２を体験ツードゥーリスト４５０に追加することによって）同データカードを体験ツードゥーリスト４５０に追加し得る。代替として、ユーザ３６がもはや体験データカード１１０に関心を持たなくなった場合に、ユーザ３６は、検討リスト４５４から体験データカード１１０に関連付けられるポインタ４５６を除去し得る。
【０１７５】
最初に、例えば、体験データカード１１０にタグ付けする４１０とき、体験ソーシャルネットワーキングプロセス１０は、例えば、ユーザ３６が、「ツードゥーリストに追加する」ボタン４６０（体験ソーシャルネットワーキングプロセス１０にポインタ４５２を体験ツードゥーリスト４５０へ追加させる）または「検討リストに追加する」ボタン４６２（体験ソーシャルネットワーキングプロセス１０にポインタ４５６を検討リスト４５４へ追加させる）を選択することを可能にする、タグ付けウィンドウ４５８をレンダリングし得る。
【０１７６】
（カード生成／データベースデータ投入）
上記で議論されるように、体験データベース１００は、複数の体験データカード（例えば、体験データカード１０２、１０４、１０６、１０８、１１０、１１２、１１４、１１６、１１８、１２０、１２２）を含み得る。これらの体験データカードは、種々の異なる方法で（例えば、最初から手動で、ソーシャルメディアストリームに基づいて自動的に、写真に基づいて手動で、および／またはデータの人間による処理に基づいて手動で）体験データベース１００に追加され得、その各々を以下でさらに詳細に議論する。
【０１７７】
図１１も参照すると、体験ソーシャルネットワーキングプロセス１０は、ユーザ（例えば、ユーザ３６）が最初から体験データカードを手動で生成することを可能にするように構成され得る。例えば、ユーザ３６は、画面上ポインタ１３０または手のジェスチャを介して、体験ソーシャルネットワーキングプロセス１０にカード作成ウィンドウ５００をレンダリングさせ得る、「＋」ボタン１４２（図２、３、７、１０参照）を選択し得る。カード作成ウィンドウ５００は、ユーザ３６が上記の体験データカードのうちの１つを生成することを可能にするように構成され得る。
【０１７８】
例えば、カード作成ウィンドウ５００は、生成されている体験データカードの題名を入力し得るように、（画面上ポインタ１３０または手のジェスチャを介して）ユーザ３６が選択し得る題名入力フィールド５０２を含み得る。さらに、カード作成ウィンドウ５００は、画像が生成されている体験データカードに関連付けられ得るように、（画面上ポインタ１３０または手のジェスチャを介して）ユーザ３６が選択し得る画像入力フィールド５０４を含み得る。例えば、画像入力フィールド５０４を選択すると、ユーザ３６が生成されている体験データカード内に含むための画像ファイルを見つけ得るように、ファインダウィンドウ５０６が体験ソーシャルネットワーキングプロセス１０によってレンダリングされ得る。適切な画像ファイルが見つけられると、ユーザ３６は、体験ソーシャルネットワーキングプロセス１０が生成されている体験データカード内で使用するために見つけた画像ファイルを体験データベース１００にアップロードし得るように、「アップロード」ボタン５０８を選択し得る。
【０１７９】
カード作成ウィンドウ５００はまた、生成されている体験データカードを例えば、ユーザ３６に関連付けられることができるように、（画面上ポインタ１３０または手のジェスチャ）を介してユーザ３６が選択し得る命名フィールド５１０を含み得る。さらに、カード作成ウィンドウ５００は、（画面上ポインタ１３０または手のジェスチャを介して選択されたときに）ユーザ３６が生成されている体験データカード内で定義される体験に関する詳細を提供することを可能にし得る、詳細フィールド５１２を含み得る。上記の体験データカードと同様に、生成されている体験データカードは、後続の閲覧者によって、生成されている体験データカード内で定義される体験に関するコメントがデータ投入され得る、コメントフィールド５１４を含み得る。
【０１８０】
カード作成ウィンドウ５００内の種々のフィールドがユーザ３６によってデータ投入されると、ユーザ３６は、（画面上ポインタ１３０または手のジェスチャを介して）「作成」ボタン５１６を選択し得、したがって、体験ソーシャルネットワーキングプロセス１０に、カード作成ウィンドウ５００内で定義される体験データカードを生成させる。代替として、ユーザ３６は、体験データカード作成プロセスを中止するように、（画面上ポインタ１３０または手のジェスチャを介して）「キャンセル」ボタン５１８を選択し得る。
【０１８１】
（例示的システム２）
さらに、上記で議論されるように、体験データベース１００は、各々が体験に関連付けられ、各々が体験データベース１００のユーザ（例えば、ユーザ３６、３８、４０、４２）によってアクセス可能である、複数の体験データカード（例えば、体験データカード１０２、１０４、１０６、１０８、１１０、１１２、１１４、１１６、１１８、１２０、１２２）を含み得る。加えて、上記で議論されるように、種々のユーザ（例えば、ユーザ３６、３８、４０、４２）は、体験データベース１００内に含まれる種々の体験データカードを回覧して検討し得る。体験データカードの生成は、本明細書の以下でさらに詳細に議論される。
【０１８２】
図１２および１３も参照すると、上記で議論されるように、体験ソーシャルネットワーキングプロセス１０は、クライアント電子デバイス（例えば、データ対応携帯電話２８、３０、携帯情報端末３２、パーソナルコンピュータ３４、ラップトップコンピュータ（図示せず）、タブレットコンピュータ（図示せず）、またはタッチスクリーンコンピュータ（図示せず））を介して、ユーザ体験に関するユーザ解説を受信する６００ように構成され得る。上記で議論されるように、特定のユーザ（例えば、ユーザ３６）が、本明細書の以下でさらに詳細に議論されるように、任意の考えられる体験のための体験データカードを作成することを希望し得る。
【０１８３】
したがって、体験ソーシャルネットワーキングプロセス１０は、少なくとも部分的にユーザ解説に基づいて、ユーザ体験のためのユーザ体験データカードを生成する６０２ように構成され得る。例えば、第１のユーザ（例えば、ユーザ３６、３８、４０、４２のうちの１人以上）が、特定の現場での体験を目撃し得る（例えば、図１３に示される、埠頭にいる男の奇妙な行動）。次いで、第１のユーザ（例えば、ユーザ３６）は、ユーザ解説、例えば、埠頭にいる男の説明を生成し、それを体験データカード（例えば、体験データカード７００）として体験データベース１００に記憶し得る。ユーザ解説はまた、写真、位置、説明等を含み得るので、説明に限定される必要はない。次いで、第２のユーザ（例えば、ユーザ３８）が、体験データカードに記載されるような埠頭にいる男を目撃しに行い得る。次いで、第２のユーザ（例えば、ユーザ３８）は、自分自身の体験を反映するように、体験データカードに説明された体験を更新し得る。加えて、および／または代替として、第２のユーザ（例えば、ユーザ３８）は、体験データカードに説明された体験が、ユーザが将来的にいつか楽しむことを希望するものであると決定し得る。この実施例では、第２のユーザ（例えば、ユーザ３８）は、体験データカードを将来体験リストに保存し得る。したがって、体験ソーシャルネットワーキングプロセス１０は、個々のユーザ（例えば、ユーザ３８）が、後に検討および完成するために記憶され得る、将来体験リストを生成することを可能にし得る。
【０１８４】
上記で議論されるように、体験ソーシャルネットワーキングプロセス１０は、体験データベース１００にユーザ体験データカード（例えば、体験データカード７００）を記憶する６０４ように構成され得る。いくつかの実施形態では、記憶されたユーザ体験データカード（例えば、体験データカード７００）は、ユーザ体験データカードの第１の表示に対応し得る。例えば、体験データカード７００は、何らかの方法で体験に関する、画像７０２を含み得る。この特定の実施例では、埠頭にいる男を示す写真が、体験データカード７００に関連付けられ得る。
【０１８５】
上記で議論されるように、体験データカードは、画像７０２、説明７０４、位置／タイミング情報７０６、地理情報７０８、ならびにユーザ解説特徴７１０および７１２を含むが、それらに限定されない、多数の種類の情報を含み得る。この情報は、体験データベース１００に記憶され、体験データカード７００に関連付けられ得る。任意の種類の情報が含まれ得、かつ任意の好適な様式で表示され得るので、体験データカード７００上に記載される情報の種類および様式は、一例として提供されるにすぎないことに留意されたい。
【０１８６】
いくつかの実施形態では、体験ソーシャルネットワーキングプロセス１０は、第２のユーザ（例えば、ユーザ３８）から体験データカードの要求を受信する７０６ように構成され得る。例えば、ユーザ３８は、クライアント電子デバイス（例えば、データ対応携帯電話２８、３０、携帯情報端末３２、パーソナルコンピュータ３４、ラップトップコンピュータ（図示せず）、タブレットコンピュータ（図示せず）、またはタッチスクリーンコンピュータ（図示せず）等）を使用して、体験データベース１００内に位置する種々の体験データカードを回覧して検討し得る。この特定の実施例では、ユーザ３８が、ユーザ３６によって作成された体験データカード７００、すなわち、埠頭にいる男の体験についてさらに知りたいと仮定されたい。ユーザ３８から要求を受信すると、体験ソーシャルネットワーキングプロセス１０は、ユーザ体験データカード７００をユーザ３８に提供する７０８ように構成され得る。
【０１８７】
いくつかの実施形態では、ユーザ３８がユーザ体験データカード７００を受信すると、ユーザは自分自身が体験に参加することを希望し得る。例えば、ユーザ３８は、埠頭にいる男の体験に参加し、おそらく、男と一緒に写真を撮ってもらう等し得る。次いで、ユーザ３８は、クライアント電子デバイス（例えば、データ対応携帯電話２８、３０、携帯情報端末３２、パーソナルコンピュータ３４、ラップトップコンピュータ（図示せず）、タブレットコンピュータ（図示せず）、またはタッチスクリーンコンピュータ（図示せず）等）を介して、体験に関する解説を提供し得る。加えて、および／または代替として、体験ソーシャルネットワーキングプロセス１０は、ユーザ３８がユーザ体験データカードを自分の将来体験リストに保存することを可能にし得る。
【０１８８】
ユーザ３８が体験に参加する場合において、体験ソーシャルネットワーキングプロセス１０は、ユーザ体験データカード７００に関するフィードバックをユーザ３８から受信する６１０ように構成され得る。フィードバックは、上記で説明される写真および説明等のユーザ解説を含み得る。例えば、ユーザ解説は、ユーザ３８および埠頭にいる男が撮られた写真を含み得る。
【０１８９】
このようにして、体験ソーシャルネットワーキングプロセス１０は、ユーザ体験データカード８００の第２の表示を生成する６１２ように構成され得る。第２の表示は、少なくとも部分的にユーザ３８からのフィードバック／ユーザ解説に基づき得る。例えば、ユーザ体験データカード８００の第２の表示は、ユーザ３８および埠頭にいる男の写真を含み得る、画像８０２を含み得る。換言すると、第２の表示（例えば、図１４）は、図１３に示される体験データカードの第１の表示とは明白に異なる、ユーザ体験データカードを提供し得る。第２のユーザ（例えば、ユーザ３８）が、ユーザ体験データカード７００の任意または全ての側面（例えば、説明、時間、カードのレイアウト等）を変更し得るので、図１４に示されるユーザ体験データカード２．３．００の明確に異なる側面は、画像の変更のみに限定されないことに留意されたい。
【０１９０】
いくつかの実施形態では、体験ソーシャルネットワーキングプロセス１０は、第３のユーザ（例えば、ユーザ４０）から第２の要求体験データカードの第２の要求を受信するように構成され得る。例えば、ユーザ４０は、クライアント電子デバイス（例えば、データ対応携帯電話２８、３０、携帯情報端末３２、パーソナルコンピュータ３４、ラップトップコンピュータ（図示せず）、タブレットコンピュータ（図示せず）、またはタッチスクリーンコンピュータ（図示せず）等）を使用して、体験データベース１００内に位置する種々の体験データカードを回覧して検討し得る。この特定の実施例では、ユーザ４０が埠頭にいる男の体験についてさらに知りたいと仮定されたい。したがって、体験ソーシャルネットワーキングプロセス１０は、第２の要求に応答して体験データカードをユーザ４０に提示するかどうかを決定するように構成され得る。体験ソーシャルネットワーキングプロセス１０が、第２の要求に基づいて体験データカードをユーザ４０に提示することを決定するとき、体験ソーシャルネットワーキングプロセス１０は、ユーザ４０に（例えば、図１３に示される）体験データカードの第１の表示または（例えば、図１４に示される）体験データカードの第２の表示を提示するかどうかを決定するように構成され得る。この決定は、本明細書の以下でさらに詳細に説明されるように、任意の数の要因に基づき得る。
【０１９１】
上記で議論されるように、体験ソーシャルネットワーキングプロセス１０は、体験データカードの第１の表示（例えば、図１３）または体験データカードの第２の表示（例えば、図１４）のいずれか一方を第３のユーザ（例えば、ユーザ４０）に提示し得る。いくつかの実施形態では、第３のユーザに体験データカードの第１の表示を提示するか、第２の表示を提示するかを決定することは、任意の数の要因に基づき得る。例えば、いくつかの実施形態では、体験ソーシャルネットワーキングプロセス１０は、第１のユーザとの第３のユーザの（例えば、ユーザ３６とユーザ４０との間の）第１の社会的類似性を決定し得る。同様に、体験ソーシャルネットワーキングプロセス１０は、（例えば、ユーザ３８とユーザ４０との間の）第２の社会的類似性を決定し得る。このようにして、体験ソーシャルネットワーキングプロセス１０は、少なくとも部分的に、ユーザ４０がより関連性がある社会的類似性を誰に有するかに基づいて、ユーザ４０に体験データカードの第１の表示または第２の表示を提示するかどうかを決定し得る。例えば、ユーザ４０がユーザ３８の友達であるがユーザ３６の友達ではない場合、体験ソーシャルネットワーキングプロセス１０は、ユーザ４０が埠頭にいる男とのユーザ４０の画像を見ることを好む可能性が高いであろうから、体験データカード（例えば、図１４）の第２の表示がより適切であることを決定し得る。
【０１９２】
上記で議論されるように、体験ソーシャルネットワーキングプロセス１０は、１人以上のユーザ（例えば、ユーザ３６、３８、４０、４２）に体験データカード（例えば、体験データカード１０２）に関連付けられるユーザ解説および／またはフィードバックを提供する能力を提供し得る。本開示の目的で、ユーザ解説は、テキストベースの解説、ビデオベースの解説、音声ベースの解説、および／または写真の解説等を含み得るが、それらに限定されない。任意の種類の解説および／またはユーザフィードバックが、本明細書で説明される体験データカードに関連付けられ得るので、これらの種類の解説は、一例として提供されるにすぎない。
【０１９３】
（例示的システム３）
上記で議論されるように、体験データベース１００は、各々が体験に関連付けられ、各々が体験データベース１００のユーザ（例えば、ユーザ３６、３８、４０、４２）によってアクセス可能である、複数の体験データカード（例えば、体験データカード１０２、１０４、１０６、１０８、１１０、１１２、１１４、１１６、１１８、１２０、１２２）を含み得る。加えて、および上記で議論されるように、種々のユーザ（例えば、ユーザ３６、３８、４０、４２）は、体験データベース１００内に含まれる種々の体験データカードを回覧して検討し得る。ソーシャルネットワーキングストリームからの体験データカードの作成および／または使用は、本明細書の以下でさらに詳細に議論される。
【０１９４】
本明細書で説明される実施形態は、ソーシャルネットワーキングストリーム内からの持続性オブジェクトの形態で体験データカード（例えば、体験データカード１０２、１０４、１０６、１０８、１１０、１１２、１１４、１１６、１１８、１２０、１２２）の収集を可能にし得る、ユーザインターフェースを提供する。持続性オブジェクトは、ソーシャルネットワークへのある投稿に付随し得る。例えば、体験データカードの表現は、それらが貴重であり、投稿または解説を強化するときはいつでも現れることができる。例えば、（図１６に示されるような）「グリーンベーカリーのカップケーキは美味しい」と言う投稿は、グリーンベーカリーのカップケーキを表すカードを有することができる。このようにして、そのカードは、投稿と付随することができ、投稿の読者が後でその情報を保存したい場合、投稿からカードを収集し、後でそれにアクセスできる場所に保管することができる。いくつかの実施形態では、カードは、グローバルであり得、例えば、ユーザ（例えば、ユーザ３６、３８、４０、４２）がグリーンベーカリーカップケーキのカードにコメントした場合、そのコメントは、読者が収集したカード自体の上に現れるであろう。いくつかの実施形態では、カードは、投稿に基づいて自動的に生成され得る。代替として、ユーザ（例えば、ユーザ３６、３８、４０、４２）は、投稿とともに体験データカードを投稿し得る。加えて、および／または代替として、カードは、以前に生成されていてもよく、かつ合致するテキストにより、投稿内に含まれ得る。
【０１９５】
図１５および１６も参照すると、上記で議論されるように、体験ソーシャルネットワーキングプロセス１０は、２つ以上のイベントに関係するイベントデータを描写するインターフェース１０００を表示するために提供する９００ように構成され得る。本明細書で使用される場合、「イベントデータ」という語句は、任意の公的または私的に投稿された資料（例えば、ソーシャルネットワーキングストリーム、ウェブページ、テキスト、図、ビデオ、音声等の１つ以上の要素）を指し得る。
【０１９６】
図３．２．００に示されるように、ソーシャルネットワーキングストリーム１００２を含むインターフェース１０００を描写する、実施形態が提供される。当技術分野で公知であるように、ソーシャルネットワーキングストリーム１００２は、ソーシャルネットワークに関連付けられる他のユーザによる検討のために、種々のユーザが公的または私的のいずれかで情報（例えば、テキスト投稿、画像、ビデオ等）を投稿することを可能にし得る。
【０１９７】
したがって、体験ソーシャルネットワーキングプロセス１０は、第１のユーザ（例えば、ユーザ３６）からイベントデータの１つ以上の要素の選択を受信するように構成され得る。例えば、図３．２では、ユーザ３６は、ベニスでゴンドラ乗船への参加を説明する、体験データカードを作成することを希望し得る。このようにして、体験ソーシャルネットワーキングプロセス１０は、手動で（例えば、「ベニスでゴンドラ乗船」の上にカーソルを置くこと、右クリックすること等のユーザ入力を受信すると）、イベントデータ内のある言葉または語句を識別すると自動的に、または任意の他の好適な方法を使用して、カード生成のための潜在的な体験を識別し得る。図１６に示されるように、選択される特定の要素は、ソーシャルネットワーキングストリーム１００２内に存在するイベントデータに関係し得る。
【０１９８】
したがって、体験が選択および／または識別されると、体験ソーシャルネットワーキングプロセス１０は、体験データカード（例えば、体験データカード１０２、１０４、１０６、１０８、１１０、１１２、１１４、１１６、１１８、１２０、１２２）を生成する９０４ように構成され得る。本明細書で議論されるように、生成された体験データカードは、体験データベース１００に記憶され得、かつ少なくとも部分的にソーシャルネットワーキングストリーム１００２から選択される要素に基づき得る。
【０１９９】
このようにして、ユーザ３６は、自分の体験の詳細を概説する体験データカード（例えば、体験データカード１０２、１０４、１０６、１０８、１１０、１１２、１１４、１１６、１１８、１２０、１２２）の生成を可能にし得る、「生成」ボタン１００４を選択し得る。生成ボタン１００４は、例えば、ユーザが体験データカードを作成することに関心があるものとして、ユーザ３６が「ベニスでゴンドラ乗船」を選択および／または識別すると、現れ得る。ユーザが体験データカードを生成することを可能にするために、多数の追加の技法が採用され得るので、生成ボタン１００４は一例として提供されるにすぎないことに留意されたい。生成された体験データカードは、上記で議論されるように、文字による説明、写真、および地理的位置を含み得るが、それらに限定されない。
【０２００】
加えて、および／または代替として、いくつかの実施形態では、体験ソーシャルネットワーキングプロセス１０は、生成された体験データカードの収集されたカードを記憶するように、第１のユーザから指示を受信する１００６ように構成され得る。例えば、図１０００に示されるように、ユーザ３６は、「ベニスでゴンドラ乗船」体験に関連付けられる、生成および記憶オプション１１０６を選択し得る。選択されると、体験ソーシャルネットワーキングプロセス１０は、上記で概説されるように体験データカードを生成するように構成され得、さらに、ユーザ３６が体験データ記憶部（例えば、体験データベース１００）に生成された体験データカードを記憶することを可能にし得る。
【０２０１】
いくつかの実施形態では、体験ソーシャルネットワーキングプロセス１０は、第２のユーザに表示するために体験データカードの表現を提供するように構成され得る。例えば、図１６に示されるように、ユーザ３６が体験データカード（例えば、ベニスゴンドラ乗船体験データカード）を生成することを決定すると、そのカードは、ソーシャルネットワーキングストリーム１００２を含むが、それに限定されない任意の好適な方法を介して、第２のユーザ（例えば、ユーザ３８）に提供され得る。このようにして、ユーザ３８は、任意の好適な方法を使用して、ベニスゴンドラ乗船体験データカードを検討するオプションを受信し得る。この特定の実施例では、ユーザ３８は、ベニスゴンドラ乗船体験データカードをレンダリングするために、選択ボタン１００８を識別および／または選択し得る。体験ソーシャルネットワーキングプロセス１０は、任意の時に体験データカードを記憶する機会を各ユーザ（例えば、ユーザ３６、３８、４０、４２）に提供するように構成され得る。
【０２０２】
加えて、および／または代替として、体験ソーシャルネットワーキングプロセス１０は、体験データカードに関連付けられ得るコメントを第２のユーザから受信するように構成され得る。例えば、ユーザ３８は、選択ボタン１００８を介して、ベニスゴンドラ乗船体験データカードを選択し得る。ユーザ３８がカードにアクセスすると、ユーザは、本明細書で説明されるもの等の任意の好適な様式でコメントを提供し得る。ユーザ３８によって提供されるコメントは、体験データ記憶部（例えば、体験データベース１００）に記憶され得る。
【０２０３】
ここで図１７を参照すると、体験ソーシャルネットワーキングプロセス１０は、第１のユーザのソーシャルネットワーキングストリームのメンバーが生成された体験データカードを収集したという通知を第１のユーザに提供するように構成され得る。例えば、図１７に示されるように、ユーザ３６は、ユーザ３８がベニスゴンドラ乗船体験データカードを収集したという通知１０１０を受信し得る。加えて、および／または代替として、体験ソーシャルネットワーキングプロセス１０は、ユーザのうちの１人以上（例えば、ユーザ３６、３８、４０、４２）が収集されたカードを記憶したという指示１０１０を生成するように構成され得る。図１７に示されるように、指示１０１０は、イベントデータのストリーム１１０２において提供され得る。
【０２０４】
加えて、および／または代替として、体験ソーシャルネットワーキングプロセス１０は、複数のユーザ（例えば、ユーザ３６、３８、４０、４２のうちの数人または全員）から、体験データカードに関連付けられるコメントを受信するように構成され得る。場合によっては、受信されるコメントは、体験データカードを作成したユーザ以外のユーザによって提供され得る。
【０２０５】
（例示的システム４）
図６を参照して上記で議論されるように、ソーシャルネットワークのユーザは、提案された体験を提供され得る。この提案された体験は、いくつかの要因を考慮し得る。本明細書の以下でさらに詳細に議論されるように、いくつかの要因は、メンバーの現在の位置、メンバーの関心、時刻、体験の時間等を含み得るが、それらに限定されない。
【０２０６】
例えば、ユーザ（例えば、ユーザ３６）は、特定の都市（例えば、ボストン）に位置し得る。体験ソーシャルネットワーキングプロセス１０は、ＧＰＳ座標または任意の他の好適な技法を使用して、ユーザ３６の位置を決定するために使用され得る。加えて、および／または代替として、体験ソーシャルネットワーキングプロセス１０はまた、例えば、ユーザ３６に関する公的に利用可能なプロファイルデータ（例えば、ユーザ３６のソーシャルネットワーキングページ等）を解析することによって、ユーザ３６の関心を決定するために使用され得る。ユーザ３６の位置およびユーザの関心を使用して、体験ソーシャルネットワーキングプロセス１０は、ユーザ３６のための提案された体験を提供するように構成され得る。この特定の実施例では、ユーザ３６がボストンに位置し、海洋生物学を楽しんだと決定された場合、提案された体験は、ボストン港から出るクジラ観察周遊であり得る。
【０２０７】
ここで図１８−２０を参照すると、ユーザ３６が体験データベース１００内に含まれる種々の体験データカード（例えば、体験データカード１０２、１０４、１０６、１０８、１１０、１１２、１１４、１１６、１１８、１２０、１２２）をより効率的に検索することを可能にするために、体験ソーシャルネットワーキングプロセス１０は、ユーザ３６が体験データベース１００を検索することを可能にするように構成され得る。例えば、図１９も参照すると、ユーザ３６は、（例えば、画面上ポインタ１３２または手のジェスチャを介して）検索ボタン１４０（図２参照）を選択し得、体験ソーシャルネットワークプロセス１０は、ユーザ３６が体験データベース１００を効率的に検索することを可能にし得る、検索ウィンドウ１３００をレンダリングし得る。
【０２０８】
具体的には、体験データベース１００を検索するとき、ユーザ３６は、いくつかの要因を考慮し得る。以下の議論については、議論される要因は例証目的にすぎず、本開示の制限であることを目的としていない。例えば、体験データベース１００内で検索可能な要因は、体験ソーシャルネットワーキングプロセス１０の管理者（図示せず）の目的に従って構成され得る。加えて、および／または代替として、体験ソーシャルネットワークプロセス１０は、体験データベース１００を検索するときに、ユーザプロファイルデータを考慮し得る。
【０２０９】
考慮され得る１つのそのような要因は、費用１３０４である。例えば、ユーザ３６が多額の金額を使うことを希望しない／使うことができない場合において、ユーザ３６は、低費用である体験（例えば、春にセントラルパークを歩く）のみを考慮することを希望し得る。代替として、費用が重要でない懸念である場合において、ユーザ３６は、より高い費用である体験（例えば、マンハッタンのプライベートヘリコプターツアー）を考慮することを希望し得る。したがって、体験ソーシャルネットワーキングプロセス１０は、ユーザ３６が検索ウィンドウ１３００の費用フィールド１３０４内で好ましい費用を選択することを可能にするように構成され得る。
【０２１０】
考慮され得る別の要因は、年齢１３０６である。例えば、ユーザ３６が単独である、または配偶者／成人の友達と一緒である場合において、ユーザ３６は、成人用体験（例えば、ソーホーの種々のバー／クラブを来訪する）を考慮することを希望し得る。代替として、ユーザ３６が家族（未成年の子供を含む）と一緒である場合において、ユーザ３６は、年齢制限がない体験（例えば、セントラルパークのフェアを来訪する）のみを考慮することを希望し得る。したがって、体験ソーシャルネットワーキングプロセス１０は、ユーザ３６が検索ウィンドウ１３００の年齢フィールド１３０８内で好ましい年齢を選択することを可能にするように構成され得る。
【０２１１】
考慮され得る別の要因は、持続時間１３１０である。例えば、どれだけ長く体験をユーザ３６が考慮しているかである。例えば、一日中続き得る体験（例えば、ナパバレーのツアー）を探しているか、または大幅に短くあり得る体験（例えば、アルカトラズ島のツアー）を探しているかである。したがって、体験ソーシャルネットワーキングプロセス１０は、ユーザ３６が検索ウィンドウ１３００の持続時間フィールド１３１２内で好ましい持続時間を選択することを可能にするように構成され得る。
【０２１２】
考慮され得る別の要因は、気分１３１４である。例えば、ユーザ３６が活動的な冒険（エンパイアステートビルディングの展望台への階段を上る）、またはよりくつろいだ体験（例えば、マンハッタン周辺のサークルラインに乗る）に関心があるかである。したがって、体験ソーシャルネットワーキングプロセス１０は、ユーザ３６が検索ウィンドウ１３００の気分フィールド１３１６内で好ましい気分を選択することを可能にするように構成され得る。
【０２１３】
考慮され得る別の要因は、位置１３１８である。例えば、ユーザ３６が、現在の位置（例えば、ニューヨーク市）での体験、または将来来訪するであろう位置（例えば、フランスのパリ）での体験に興味あるかである。したがって、体験ソーシャルネットワーキングプロセス１０は、ユーザ３６が検索ウィンドウ１３００の位置フィールド１３２０内で好ましい位置を選択することを可能にするように構成され得る。検索ウィンドウ１３００はまた、ユーザ３６が（例えば、三角測量またはＧＰＳ技術によって決定されるような）現在の位置を好ましい位置として迅速に定義することを可能にし得る、「私の現在の位置」ボタン１３２２を含み得る。
【０２１４】
加えて、１つ以上の構成メニュー（図示せず）を通して、ユーザ３６は、位置フィールド１３２０の半径／許容範囲を定義することが可能であり得る。例えば、体験ソーシャルネットワーキングプロセス１０は、例えば、好ましい位置の５マイル、１０マイル、または２５マイル半径内にある場合に、ユーザ３６が体験をある位置にあるものとして定義することを可能にするように構成され得る。
【０２１５】
考慮され得る別の要因は、季節１３２４である。例えば、ユーザ３６が、冬の間のみハンターマウンテンでスキーに行くことが可能であり得る一方で、ユーザ３６は、夏の間のみアディロンダック山地でハングライダーをしに行くことが可能であり得る。したがって、体験ソーシャルネットワーキングプロセス１０は、ユーザ３６が検索ウィンドウ１３００の季節フィールド１３２６内で好ましい季節を選択することを可能にするように構成され得る。検索ウィンドウ１３００はまた、ユーザ３６が（利用可能なカレンダーによって決定されるような）現在の季節を好ましい季節として迅速に定義することを可能にし得る、「私の現在の季節」ボタン１３２８を含み得る。
【０２１６】
考慮され得る別の要因は、天気１３３０である。例えば、ユーザ３６が、晴れているときはジャージーショアに行くことのみを所望し得る一方で、ユーザ３６は、雨が降っている／外が寒いときは屋内活動を行うこと（例えば、自然史博物館に行くこと）のみに関心があり得る。したがって、体験ソーシャルネットワーキングプロセス１０は、ユーザ３６が検索ウィンドウ１３００の天気フィールド１３３２内で好ましい天気を選択することを可能にするように構成され得る。検索ウィンドウ１３００はまた、ユーザ３６が（例えば、三角測量またはＧＰＳ技術およびアクセス可能な気象サービスによって決定されるような）現在の位置の現在の天気を好ましい天気として迅速に定義することを可能にし得る、「私の現在の天気」ボタン１３３４を含み得る。
【０２１７】
考慮され得る別の要因は、時間／日付１３３６である。例えば、ユーザ３６は、朝のみ日の出を見ることができ、夕方のみ日没を見ることができる。さらに、ユーザ３６は、（木曜の夜とは対照的に）金曜の夜のみフライデーナイトハーバークルーズに参加することが可能であり得る。したがって、体験ソーシャルネットワーキングプロセス１０は、ユーザ３６が検索ウィンドウ１３００の時間／日付フィールド４．２．３８内で好ましい時間／日付を選択することを可能にするように構成され得る。検索ウィンドウ１３００はまた、ユーザ３６が（例えば、利用可能な時計／カレンダーによって決定されるような）現在の時間／日付を好ましい時間／日付として迅速に定義することを可能にし得る、「私の現在の時間／日付」ボタン１３４０を含み得る。
【０２１８】
検索ウィンドウ１３００がユーザ３６によって完全または部分的にデータ投入されると、ユーザ３６は、（画面上ポインタ１３０または手のジェスチャを介して）検索ウィンドウ１３００内の「検索」ボタン１３４２を選択し得る。このようにして、体験ソーシャルネットワーキングプロセス１０は、ユーザ３６から提案された体験の要求を受信し得る１２００。
【０２１９】
いくつかの実施形態では、ユーザ（例えば、ユーザ３６）は、体験データ記憶部１００に記憶されたユーザプロファイルデータに関連付けられ得る。本明細書で使用される場合、「ユーザプロファイルデータ」という語句は、上記に記載される要因のうちのいずれか、ならびにユーザが共有することを可能にされた任意の情報を指し得る。例えば、いくつかの種類のユーザプロファイルデータは、ユーザの年齢、関心、地理的位置、性別、宗教等を含み得るが、それらに限定されない。
【０２２０】
上記で議論されるように、体験ソーシャルネットワーキングプロセス１０は、特定のユーザ（例えば、ユーザ３６）の位置データを決定し得る１２０２。位置データは、任意の好適な技法を使用して（例えば、自動的に、手動ユーザ入力を通して等）決定され得る。例えば、いくつかの実施形態では、ユーザの位置を決定することは、そのうちのいくつかが、全地球測位システム、補助全地球測位システム、およびディファレンシャル全地球測位システムを含み得るが、それらに限定されない、全地球測位システムを使用して位置座標を受信することを含み得る。加えて、および／または代替として、位置を決定することは、少なくとも部分的に、ＷｉＦｉネットワークからの情報、近距離通信（ＮＦＣ）に基づいて取得される情報、高周波識別情報、Ｂｌｕｅｔｏｏｔｈ（登録商標）、および超広帯域通信情報に基づき得る。いくつかの実施形態では、位置を決定することは、ユーザが、その位置にチェックインしたという指示を受信することを含み得る。いくつかの実施形態では、位置データは、第１のユーザからの提案された体験データの要求内に含まれ得、および／または要求とは別個に受信され得る。例えば、位置データは、当技術分野で公知である技法を使用して、ユーザのモバイルコンピュータデバイスを通して決定され得、かつ体験ソーシャルネットワーキングプロセス１０に提供され得る。
【０２２１】
したがって、体験ソーシャルネットワーキングプロセス１０は、少なくとも部分的にユーザ３６に関連付けられるユーザプロファイルデータに基づいて、ユーザ３６の１つ以上の関心を決定する１２０４ように構成され得る。このようにして、体験ソーシャルネットワーキングプロセス１０は、ユーザに関する情報（例えば、ユーザのソーシャルネットワーキングページ、ブログ、ウェブサイト等）を検討することによって、ユーザ３６の関心を識別し得る。これらの関心は、各特定のユーザのための適切な体験データカードを識別するために、体験ソーシャルネットワーキングプロセス１０によって使用され得る。例えば、ユーザ３６が自分のソーシャルネットワーキングページ上でカヤックを関心として記載する場合、これは、以下でさらに詳細に議論されるように、ユーザ３６のための提案された体験を決定するときに考慮され得る。
【０２２２】
加えて、および／または代替として、第１のユーザにとっての関心を決定することは、第１のユーザのプロファイルに関連付けられ得る、第２のユーザプロファイルから関心を決定することを含み得る。例えば、体験ソーシャルネットワーキングプロセス１０は、ユーザ３６およびユーザ３８が同一のソーシャルネットワーク内にいる（例えば、友達、同僚等）と決定するように構成され得る。したがって、第１のユーザ（例えば、ユーザ３６）にとっての関心を決定するとき、体験ソーシャルネットワーキングプロセス１０は、ユーザ３６の接触者の１つ以上の関心、この実施形態では、ユーザ３８の関心を識別し得る。例えば、体験ソーシャルネットワーキングプロセス１０は、ユーザ３８がスカイダイビングに関心があることを識別し得、かつ同一のソーシャルネットワークおよび／またはサークル内にいるため、ユーザ３６が類似活動に関心があり得ると決定し得る。
【０２２３】
第１のユーザの関心および／または位置データが決定されると、体験ソーシャルネットワーキングプロセス１０は、少なくとも部分的に、第１のユーザの位置データおよび第１のユーザにとって１つ以上の決定された関心に基づいて、少なくとも１つの提案された体験を決定し得る１２０６。例えば、上記に記載される実施例では、ユーザ３６がカヤックに関心があり、現在、カヤックで知られている湖の付近に位置していることを体験ソーシャルネットワーキングプロセス１０が決定した場合には、体験ソーシャルネットワーキングプロセス１０は、その特定の湖でのカヤックを提案された体験としてユーザ３６に提供し得る。
【０２２４】
いくつかの実施形態では、体験ソーシャルネットワーキングプロセス１０はさらに、第２の提案された体験を第１のユーザに提供することを含み得る。第２の提案された体験は、少なくとも部分的に、第１の提案された体験と第２の提案された体験との間の関係に基づき得る。第１および第２の体験の間の関係は、任意の数の形態を成し得る。例えば、関係は、第１の提案された体験と第２の提案された体験との間の移動時間、第１の提案された体験および第２の提案された体験のうちの１つの開始位置、第１の提案された体験および第２の提案された体験のうちの１つの終了位置等を含み得るが、それらに限定されない。
【０２２５】
図２０も参照して、「検索」ボタン１３４２を選択すると、上記の検索条件を満たす複数の体験データカードを含む結果セット１４５０が、体験ソーシャルネットワーキングプロセス１０によって生成され得る。このようにして、体験ソーシャルネットワーキングプロセス１０は、受信した要求に応答して、少なくとも１つの提案された体験をユーザ３６に提供し得る１２０８。
【０２２６】
ユーザ３６は、上記で説明される様式で、個々の体験データカード（すなわち、結果セット１４５０内に含まれる体験データカード１４５２、１４５４、１４５６、１４５８、１４６０）を回覧して検討し得る。５つだけの体験データカードが結果セット１４５０内に含まれることが示されているが、これは例証目的にすぎず、本開示の制限であることを目的としていない。
【０２２７】
（例示的システム５）
カードベースの体験データベースは、個々のユーザが（ユーザが有した体験のカードベースの説明の形態で）体験を追加し、（体験データベースからユーザの体験ツードゥーリストへカードベースの体験説明をコピーする形態で）体験を収集することを可能にし得る。
【０２２８】
しかしながら、そのようなカードベースのシステムは、体験データカードでデータ投入された場合のみ有益である。さらに、最初にそのようなユーザ駆動型システムを起動するとき、そのようなデータベースは、データベースがユーザによって提出されるカードでデータ投入されるまで、ごくわずかなカードしか有さないであろう。したがって、本システムは、コンテンツフィード（ソーシャルメディアフィード）内に含まれる情報に基づいて、体験データカードを生成させるように構成され得る。したがって、本システムは、そのようなコンテンツフィードを監視し、コンテンツフィードを分析し、体験データカードが生成され得るように本システムに提供され得る体験コンテンツを（利用可能であれば）抽出し得るデータ処理体に同データカードを提供するように構成され得る。
【０２２９】
上記で議論されるように、体験データベース１００は、複数の体験データカード（例えば、体験データカード１０２、１０４、１０６、１０８、１１０、１１２、１１４、１１６、１１８、１２０、１２２）を含み得る。さらに、上記で議論されるように、これらの体験データカードは、種々の異なる方法で（例えば、最初から手動で、ソーシャルメディアストリームに基づいて自動的に、写真に基づいて手動で、および／またはデータの人間による処理に基づいて手動で）体験データベース１００に追加され得る。
【０２３０】
図２１および２２も参照すると、体験ソーシャルネットワーキングプロセス１０は、体験コンテンツを含み得るコンテンツフィード部分（例えば、コンテンツフィード部分１６００、１６０２、１６０４）を監視する１５００ように構成され得る。これらのコンテンツフィード部分（例えば、コンテンツフィード部分１６００、１６０２、１６０４）は、コンテンツフィード（それぞれ、コンテンツフィード１６０６、１６０８、１６１０）の一部分であり得、その実施例は、ソーシャルメディアストリーム、ＲＳＳフィード、およびＸＭＬ形式のコンテンツのストリームを含み得るが、それらに限定されない。
【０２３１】
例えば、体験ソーシャルネットワーキングプロセス１０は、例えば、料理評論家に関連付けられる１つ以上のソーシャルメディアストリームを監視するように構成され得る。料理評論家がレストランを論評することに従事しているので、そのようなソーシャルメディアフィードは、レストランを来訪することに関する体験データカードにデータ投入するために使用され得る、情報を取得するための豊富なリソースであり得る。
【０２３２】
第１のデータ処理体１６１２が、コンテンツフィード部分（例えば、コンテンツフィード部分１６００、１６０２、１６０４のうちの１つ以上）が体験コンテンツを含むかどうかに関して決定を行い得るように、体験ソーシャルネットワーキングプロセス１０は、監視されたコンテンツフィード部分（例えば、コンテンツフィード部分１６００、１６０２、１６０４のうちの１つ以上）を第１のデータ処理体１６１２に転送する１５０２ように構成され得る。例えば、体験ソーシャルネットワーキングプロセス１０が、料理評論家の上記のソーシャルメディアストリームを監視するように構成される場合、そのソーシャルメディアストリーム内に含まれるコンテンツのある部分は、種々のレストランを来訪するときの料理評論家の体験に関し得、かつ料理評論家が体験する食事（すなわち、高度に関連性のある体験コンテンツ）について議論し得る。しかしながら、そのソーシャルメディアストリーム内に含まれるコンテンツのある部分は、種々の香辛料に関する料理評論家の意見（すなわち、高度に無関係の体験コンテンツ）に関し得る。したがって、第１のデータ処理体１６は、関連体験コンテンツがコンテンツフィード部分内に存在するかどうかを決定するために、これらのコンテンツフィード部分（例えば、コンテンツフィード部分１６００、１６０２、１６０４のうちの１つ以上）内に組み込まれる情報を検討し得る。
【０２３３】
第１のデータ処理体１６１２の実施例は、関連体験コンテンツがコンテンツフィード部分内に存在するかどうかを決定するために、コンテンツフィード部分（例えば、コンテンツフィード部分１６００、１６０２、１６０４のうちの１つ以上）を手動で検討する人々のチーム等の１人以上の人間のデータ検討専門家を含み得る。
【０２３４】
第１のデータ処理体１６１２が、上記のコンテンツフィード部分内に含まれるコンテンツを検討した後に、コンテンツフィード部分（例えば、コンテンツフィード部分１６００、１６０２、１６０４のうちの１つ以上）が体験コンテンツを含むと決定した場合、コンテンツフィード部分（例えば、コンテンツフィード部分１６００、１６０２、１６０４のうちの１つ以上）は、第１のデータ処理体１６１２によってコンテンツフィード部分（例えば、コンテンツフィード部分１６００、１６０２、１６０４のうちの１つ以上）内に含まれると見なされる特定の体験コンテンツを抽出するために、第２のデータ処理体１６１４に転送され得る１５０４。第１のデータ処理体１６１２から第２のデータ処理体１６１４へコンテンツフィード部分（例えば、コンテンツフィード部分１６００、１６０２、１６０４のうちの１つ以上）を転送するとき、この転送動作は、直接（例えば、第１のデータ処理体１６１２から第２のデータ処理体１６１４へ）、または体験ソーシャルネットワーキングプロセス１０を介して処理され得る（例えば、第１のデータ処理体１６１２が、コンテンツフィード部分（例えば、コンテンツフィード部分１６００、１６０２、１６０４のうちの１つ以上）を体験ソーシャルネットワーキングプロセス１０に転送し、体験ソーシャルネットワーキングプロセス１０が、コンテンツフィード部分（例えば、コンテンツフィード部分１６００、１６０２、１６０４のうちの１つ以上）を第２のデータ処理体１６１４に転送する）。
【０２３５】
コンテンツフィード部分（例えば、コンテンツフィード部分１６００、１６０２、１６０４のうちの１つ以上）が第２のデータ処理体１６１４によって受信されたとき、第２のデータ処理体１６１４は、第１のデータ処理体１６１２によってコンテンツフィード部分（例えば、コンテンツフィード部分１６００、１６０２、１６０４のうちの１つ以上）内に含まれると見なされた特定の体験コンテンツ１６１６を抽出するために、コンテンツフィード部分（例えば、コンテンツフィード部分１６００、１６０２、１６０４のうちの１つ以上）を処理し得る。
【０２３６】
第２のデータ処理体１６１４の実施例は、コンテンツフィード部分内に含まれる特定の体験コンテンツ１６１６を抽出するために、コンテンツフィード部分（例えば、コンテンツフィード部分１６００、１６０２、１６０４のうちの１つ以上）を手動で処理する人々のチーム等の１人以上の人間のデータ処理専門家を含み得る。抽出されると、第２のデータ処理体１６１４は、特定の体験コンテンツ１６１６を体験ソーシャルネットワーキングプロセス１０に提供し得る。
【０２３７】
特定の体験コンテンツ１６１６が第２のデータ処理体１６１４から受信される１５０６と、体験ソーシャルネットワーキングプロセス１０は、少なくとも部分的に特定の体験コンテンツ１６１６に基づいて、体験データカード１６１８を生成し得る１５０８。体験ソーシャルネットワーキングプロセス１０は、上記で説明される様式で、体験データベース１００に体験データカード１６１８を記憶し得る１５１０。
【０２３８】
上記で議論されるように、ユーザ３６、３８、４０、４２のうちの１人以上は、クライアント電子デバイス（例えば、（それぞれ）データ対応携帯電話２８、３０、携帯情報端末３２、パーソナルコンピュータ３４）を使用して、体験データベース１００内に含まれる種々の体験データカードを回覧して検討し得る。したがって、ユーザ３６、３８、４０、４２のうちの１人以上は、体験データカード１６１８を閲覧することを希望し得、同データカードに関する要望を示し得る。したがって、体験ソーシャルネットワーキングプロセス１０は、例えば、体験データベース１００内に含まれる体験データカード１６１８を閲覧する要求に関して、ユーザ３６から閲覧指示を受信し得る１５１２。したがって、同指示に応答して、体験ソーシャルネットワーキングプロセス１０は、クライアント電子デバイス２８内に含まれるディスプレイ５４上にレンダリングされ得る、体験データカード１６１８の表現をユーザ３６に提供し得る。
【０２３９】
（例示的システム６）
いくつかの実施形態では、体験ソーシャルネットワーキングプロセス１０は、写真に関連付けられるデータを保存するための技法を提供し得る。例えば、写真とともにメタデータを保存するための技法が説明される。このデータは、日付、時刻、全地球測位システム位置、カメラ設定、開口設定、サムネイル、説明等のエクスチェンジャブルイメージファイルフォーマット（ｅｘｉｆ）データを含み得る。本明細書の以下でさらに詳細に議論されるように、このデータは、ソーシャルネットワークのユーザのための提案体験データカードを識別および／または作成するのに役立つために、後日使用され得る。
【０２４０】
図２３−２５も参照すると、体験ソーシャルネットワーキングプロセス１０は、それに関連付けられる画像捕捉データを有する写真を受信する１７００ように構成され得る。本明細書で使用される場合、「画像捕捉データ」という語句は、写真に関連付けられる任意のデータを指し得る。いくつかの実施形態では、画像捕捉データは、エクスチェンジャブルイメージファイルフォーマット（ｅｘｉｆ）規格に関連付けられるデータを含み得るが、それに限定されない。
【０２４１】
例えば、図２４を参照すると、ユーザ（例えば、ユーザ３６）は、自分が参加した、または後日参加することを希望する体験の写真を撮るために、カメラまたはカメラ対応デバイス（例えば、スマートフォン２８）を使用し得る。この特定の実施例では、ユーザ３６は、ベニスでゴンドラ乗船１８０４の写真１８０２を撮っている。写真１８０２は、上記で説明されるもの等の画像捕捉データを含み得る。写真１８０２が撮られると、ユーザ３６は、図６．２に示されるように、写真を記憶し、および／またはそれを体験データベース１００に送信することを決定し得る。写真１８０２の伝送は、当技術分野で公知であるもの等の種々のデータ伝送技法（例えば、無線伝送、ＵＳＢアップロードおよび伝送等）を使用して起こり得る。
【０２４２】
いくつかの実施形態では、体験ソーシャルネットワーキングプロセス１０は、写真１８０２を関連付けるべき複数の場所のうちの１つ以上の場所を決定し得る１７０２。複数の場所の各々は、それに関連付けられる１つ以上の位置を有し得る。例えば、写真１８０２は、それに関連付けられる特定の一式の全地球測位システム（ＧＰＳ）座標を有し得る。これらのＧＰＳ座標から、体験ソーシャルネットワーキングプロセス１０は、これらの座標（例えば、ゴンドラ乗船会社、隣のサンドイッチ店等）に関連付けられる１つ以上の場所の写真１８０２が撮られたことを決定し得る。このようにして、いくつかの可能な場所は、各々が独自の明確に異なる位置を有する、同一のＧＰＳ座標を有し得る。いくつかの実施形態では、体験ソーシャルネットワーキングプロセス１０は、写真が生成された実際の日付より後の日付に決定し得る。加えて、および／または代替として、決定することは、１つ以上の場所の地理的位置とは異なる地理的位置で起こり得る。例えば、体験ソーシャルネットワーキングプロセス１０は、ユーザ（例えば、ユーザ３６）がニューヨークにいる間に、ベニスゴンドラ乗船の写真をベニスゴンドラ乗船会社に関連付けることを決定し得る。
【０２４３】
いくつかの実施形態では、体験ソーシャルネットワーキングプロセス１０は、任意の数の好適な技法を使用して、どの場所に写真を関連付けるかを決定し得る。例えば、いくつかの実施形態では、体験ソーシャルネットワーキングプロセス１０は、写真１８０２に関連付けられる画像捕捉データ１８０６を複数の場所（例えば、ゴンドラ乗船会社、隣のサンドイッチ店等）に関連付けられる位置と比較し得る。このようにして、体験ソーシャルネットワーキングプロセス１０は、特定の場所を特定の位置と比較し、および／または合致させるように構成され得る。
【０２４４】
ここで図２５を参照すると、いくつかの実施形態では、体験ソーシャルネットワーキングプロセス１０は、少なくとも部分的に写真（例えば、写真１８０２）に基づいて、体験データカードを生成し得る１７０４。したがって、体験ソーシャルネットワーキングプロセス１０は、ユーザ（例えば、ユーザ３６）が写真に基づいて体験データカードを生成することを可能にするように構成され得る、ユーザインターフェース１９０２を提供し得る。図２５に示されるように、ユーザインターフェース１９０２は、ベニスでゴンドラ乗船の写真の画像１９０４を含み得る。ユーザインターフェース１９０２はさらに、図６．３に示される体験データカード１９０８等の体験データカードを生成するためのユーザ選択可能オプション１９０６を含み得る。体験データカード１９０８は、本明細書で説明される実施形態に情報の一部または全てを含み得る。例えば、体験データカード１９０８は、写真の画像１９１０ならびに説明情報１９０１２を含み得る。体験ソーシャルネットワーキングプロセス１０は、１つ以上のコンピュータデバイス（例えば、コンピュータデバイス１２）に通信可能に連結され得るデータ記憶部（例えば、体験データベース１００）に、体験データカード１９０８と決定された１つ以上の場所との間の関連性を記憶し得る１７０６。
【０２４５】
図２５に示されるように、体験ソーシャルネットワーキングプロセス１０は、体験データカード１９０８を生成し得る。したがって、体験データカード１９０８は、写真に関連付けられる提案体験（例えば、ベニスでゴンドラ乗船体験）を含み得る。加えて、および／または代替として、体験ソーシャルネットワーキングプロセス１０は、１人以上のユーザ（例えば、ユーザ３６）がソーシャルネットワークの１人以上の参加者と提案体験を共有することを可能にし得る。例えば、ユーザ３６は、自分の接触者および／またはサークルと提案体験を共有することを希望し得る。いくつかの実施形態では、体験ソーシャルネットワーキングプロセス１０は、ユーザ（例えば、ユーザ３６、３８、４０、４２）が提案体験を修正するか、または容認するかのいずれかを行うことを可能にし得る。
【０２４６】
加えて、および／または代替として、体験ソーシャルネットワーキングプロセス１０は、写真に関連付けられる画像捕捉データに基づいて、１つ以上の追加の提案体験を提案し得る。このようにして、体験ソーシャルネットワーキングプロセス１０は、関連体験を生成するオプションをユーザ（例えば、ユーザ３６）に提供し得る。図２５は、ユーザによって選択されたときに、１つ以上の追加の提案体験を生成し得る、「関連体験を提案する」ボタンを含み得る。追加の提案体験は、体験データカード１９０８に関連付けられる体験と任意の近傍体験との間の距離を含むが、それに限定されない、任意の数の要因に基づき得る。いくつかの実施形態では、これは、元の写真から得られるＧＰＳ座標に基づき得る。多数の他の要因もまた、追加の提案体験を決定するときに考慮され得る。
【０２４７】
（例示的システム７）
いくつかの実施形態では、体験ソーシャルネットワーキングプロセス１０は、少なくとも部分的にユニフォームリソースロケータ（「ＵＲＬ」）に基づいて、体験データカードを自動的に生成するための技法を提供し得る。このようにして、体験ソーシャルネットワーキングプロセス１０は、特定のウェブサイトから写真、事業拠点、説明等を自動的に取得し、体験データカードを生成するためにその情報を使用し得る。いくつかの実施形態では、生成された体験データカードは、１人以上のユーザ（例えば、ユーザ３６、３８、４０、４２）によって更新および／または編集され得る。本明細書で説明されるいくつかの実施形態は、（例えば、ＧＯＯＧＬＥ  ＣＨＲＯＭＥへのアドオン等として）ウェブブラウザに従って使用され得る。
【０２４８】
例えば、ユーザ３６は、コンサートのウェブサイトに行き、コンサートの詳細を説明するウェブページにアクセスし得る。ユーザ３６は、ウェブページのコンテンツに基づいて体験データカードを生成するボタンをクリックし得る。体験ソーシャルネットワーキングプロセス１０は、画像、日付、時間、位置等を得るために、そのウェブページのコンテンツを解析し得る。これらのデータアイテムは、記憶可能な体験データカードに作製され、記憶される。生成された体験データカードが記憶されると、ユーザ３６および他のユーザ（例えば、３８、４０、４２）は、体験データ記憶部（例えば、体験データベース１００）の中のその体験データカードおよび他の体験データカードをブラウズし、それらを「収集する」ために保存したいものを選択し得る。
【０２４９】
図２６−２９も参照すると、体験ソーシャルネットワーキングプロセス１０は、１つ以上のコンピュータデバイスを使用して、ＵＲＬに関連付けられるコンテンツを受信する２０００ように構成され得る。いくつかの実施形態では、コンテンツを受信することは、ハイパーテキスト転送プロトコル要求（ＨＴＴＰ）への応答を受信することを含み得る。ここで図２７を参照すると、検索フィールド２１０２を有する検索エンジンインターフェースページ２１００が提供される。検索フィールドは、ユーザが特定のクエリを入力することを可能にし得、この特定の実施例では、ユーザが「Ｂｌａｒｎｅｙ  Ｓｔｏｎｅ」と入力している。したがって、検索エンジンインターフェースページ２１００は、図２７に示されるような検索結果を生成し得る。各個々の検索結果は、関連ＵＲＬを含み得る。例えば、「ｂｌａｒｎｅｙ  ｓｔｏｎｅ」という語句の検索は、ＵＲＬ２１０４、すなわち、「ｗｗｗ．ｂｌａｒｎｅｙｃａｓｔｌｅ．ｉｅ／ｐａｇｅｓ／ｋｉｓｓ−ｔｈｅ−ｂｌａｒｎｅｙ−ｓｔｏｎｅ」を返す。
【０２５０】
図２７に示されるように、体験ソーシャルネットワーキングプロセス１０は、ＵＲＬのための体験データカードを生成するユーザ指示を受信し得る。例えば、ユーザ（例えば、ユーザ３６）は、体験データカードを生成するアイコン２１０６を選択し得、指示は、コンピュータデバイス１２等のコンピュータデバイスで受信され得る。したがって、体験ソーシャルネットワーキングプロセス１０は、ＵＲＬのコンテンツを要求し得、かつ１つ以上のコンピュータデバイスを使用して、ＵＲＬに関連付けられるコンテンツに基づいて２つ以上のコンテンツアイテムを決定し得る２００２。いくつかの実施形態では、２つ以上のコンテンツアイテムを決定することは、ＵＲＬおよび／または関連ウェブページに関連付けられるコンテンツを解析することを含み得る。例えば、ＵＲＬおよび／または関連ウェブサイトは、日付、時間、位置、地図、画像等を含むが、それらに限定されない、種々の種類の情報を含むタグを含み得る。加えて、および／または代替として、体験ソーシャルネットワーキングプロセス１０は、解析すること（例えば、それらの形式等によって日付および時間を検出すること）によってコンテンツアイテムを決定し得る。
【０２５１】
したがって、コンテンツアイテムが決定されると、体験ソーシャルネットワーキングプロセス１０は、ＵＲＬに関連付けられる２つ以上のコンテンツアイテムに基づいて、体験データカードを生成し得る２００４。コンテンツアイテムは、特定のＵＲＬおよび／またはウェブページに関連付けられ得る、テキスト、写真、音声、ビデオ等を含み得るが、それらに限定されない。
【０２５２】
加えて、および／または代替として、体験ソーシャルネットワーキングプロセス１０は、１つ以上のコンピュータデバイスを使用して、体験データ記憶部（例えば、体験データベース１００）に生成された体験データカードを記憶し得る２００６。上記で議論されるように、体験データ記憶部は、１つ以上のコンピュータデバイス（例えば、コンピュータデバイス１２）に通信可能に連結され得、体験データカードは、題名、説明、写真、有効期限、作者、住所、コメント、および評定情報等を含むが、それらに限定されない、種々の情報を含み得る。
【０２５３】
いくつかの実施形態では、体験ソーシャルネットワーキングプロセス１０は、１人以上のユーザ（例えば、ユーザ３６、３８、４０、４２）から、体験データカードを閲覧する要求を１つ以上のコンピュータデバイスで受信し得る２００８。要求を受信すると、体験ソーシャルネットワーキングプロセス１０は、少なくとも部分的に体験データカードを閲覧する要求に基づいて、１つ以上のコンピュータデバイスを使用して表示するために体験データカードの表示を提供し得る２０１０。上記で議論されるように、体験ソーシャルネットワーキングプロセス１０は、ユーザが体験データカードに関するユーザ解説を提供することを可能にし得る。加えて、および／または代替として、体験ソーシャルネットワーキングプロセス１０は、体験データカードを個人用データ記憶部（例えば、体験データベース１００内の個人用リスト）に関連付けたいという指示をユーザ（例えば、ユーザ３６、３８、４０、４２）から受信し得る。
【０２５４】
図２８も参照すると、体験ソーシャルネットワーキングプロセス１０は、ウェブページ２２００等のウェブページのコンテンツに基づいて、体験データカードを生成するように構成され得る。この特定の実施例では、ユーザ（例えば、ユーザ３６）は、ウェブページ、ｗｗｗ．ｂｌａｒｎｅｙｃａｓｔｌｅ．ｉｅ／ｐａｇｅｓ／ｋｉｓｓ−ｔｈｅ−ｂｌａｒｎｅｙ−ｓｔｏｎｅをブラウズしている。したがって、ユーザ３６は、体験データカードを生成するアイコン２２０２を選択し得る。体験データカードを生成するオプションは、任意の好適な技法を使用して提供され得る。例えば、ユーザは、メニューを引き上げるように、マウスを右クリックするか、または任意の好適なアプローチを使用し得る。加えて、および／または代替として、体験データカードを生成するアイコンは、ウェブブラウザに関連付けられるボタンとして提供され得る。加えて、および／または代替として、体験ソーシャルネットワーキングプロセス１０は、ユーザがウェブページの一部分（例えば、ｗｗｗ．ｂｌａｒｎｅｙｃａｓｔｌｅ．ｉｅ／ｐａｇｅｓ／ｋｉｓｓ−ｔｈｅ−ｂｌａｒｎｅｙ−ｓｔｏｎｅ）を選択し、選択された部分に基づいて体験データカードを生成することを可能にし得る。
【０２５５】
図２９は、図２７および２８に示される実施形態のいずれか一方を使用して、ユーザのコンピュータデバイス（例えば、クライアント電子デバイス２８、３０、３２、３４）上にレンダリングされ得る、体験データカード２３０２の実施例を描写する。図２９に示されるように、体験データカード２３０２は、本明細書で説明される情報のうちのいずれかまたは全てを含み得る。例えば、この特定の実施形態では、ウェブページからの画像が提供される（例えば、ｗｗｗ．ｂｌａｒｎｅｙｃａｓｔｌｅ．ｉｅ／ｐａｇｅｓ／ｋｉｓｓ−ｔｈｅ−ｂｌａｒｎｅｙ−ｓｔｏｎｅ）。
【０２５６】
（例示的システム８）
カードベースの体験データベースは、個々のユーザが（ユーザが有した体験のカードベースの説明の形態で）体験を追加し、（体験データベースからユーザの体験ツードゥーリストへカードベースの体験説明をコピーする形態で）体験を収集することを可能にし得る。残念ながら、チェックされないままにされた場合、体験データベースは、同一／準同一体験データカードの複数のコピーですぐに散乱するであろう。したがって、そのような体験をカードベースの体験データベースに追加するとき、データベースに以前に含まれた体験データカードの重複および／または１つの体験のための複数のカードの発生を防止するための手順が採用され得る。
【０２５７】
上記で議論されるように、体験データベース１００は、複数の体験データカード（例えば、体験データカード１０２、１０４、１０６、１０８、１１０、１１２、１１４、１１６、１１８、１２０、１２２）を含み得、これらの体験データカードは、種々の異なる方法で体験データベース１００に追加され得る。
【０２５８】
上記で議論されるように、図３０および３１も参照すると、体験ソーシャルネットワーキングプロセス１０は、ユーザ（例えば、ユーザ３６）が最初から体験データカードを手動で生成することを可能にするように構成され得る。例えば、ユーザ３６は、画面上ポインタ１３０または手のジェスチャを介して、体験ソーシャルネットワーキングプロセス１０にカード作成ウィンドウ５００をレンダリングさせ得る、「＋」ボタン１４２（図２、３、７、１０参照）を選択し得る。カード作成ウィンドウ５００は、ユーザ３６が上記の体験データカードのうちの１つを生成することを可能にするように構成され得る。
【０２５９】
カード作成ウィンドウ５００内の種々のフィールドがユーザ３６によってデータ投入されると、ユーザ３６は、（画面上ポインタ１３０または手のジェスチャを介して）「作成」ボタン５１６を選択し得、したがって、体験データカードを生成するユーザ３６の意図の指示を生成する。上記の指示は、ユーザ３６が体験データカード内に記念することを希望する体験に関して、（例えば、フィールド５０２、５０４、５１０、５１２内で定義されるような）１つ以上の詳細を提供し得る。体験ソーシャルネットワーキングプロセス１０が、ユーザ３６から体験データベース１００内に含むための体験データカードを作成する上記の指示を受信する２５００と、体験ソーシャルネットワーキングプロセス１０は、合致する詳細が存在するかどうかを決定するために、指示に関連付けられる詳細を体験データベース１００内に含まれる体験データカードに関連付けられる詳細と比較し得る２５０２。
【０２６０】
上記の詳細は、テキストベースの詳細（例えば、体験の文字による説明）、写真の詳細（例えば、体験に関係する写真）、ビデオベースの詳細（例えば、体験に関係するビデオ）、音声ベースの詳細（例えば、体験に関係する音声記録）、および位置ベースの詳細（例えば、体験の位置）のうちの１つ以上を含み得る。
【０２６１】
例えば、位置ベースの詳細がＧＰＳ座標である場合、１つ以上の詳細を比較すること２５０２は、合致する詳細が存在するかどうかを決定するために、ユーザ３６の体験に関連付けられるＧＰＳ座標を体験データベース１００内に含まれる体験データカードに関連付けられるＧＰＳ座標と比較すること２５０６を含み得る。
【０２６２】
代替として、テキストベースの詳細が商号を含む場合、１つ以上の詳細を比較すること２５０２は、合致する詳細が存在するかどうかを決定するために、ユーザ３６の体験に関連付けられる商号を体験データベース１００内に含まれる体験データカードに関連付けられる商号と比較すること２５０８を含み得る。
【０２６３】
加えて、テキストベースの詳細が体験の題名を含む場合、１つ以上の詳細を比較すること２５０２は、合致する詳細が存在するかどうかを決定するために、ユーザ３６の体験に関連付けられる体験の題名を体験データベース１００内に含まれる体験データカードに関連付けられる体験の題名と比較すること２５１０を含み得る。
【０２６４】
比較２５０２が、いくつかの合致する詳細が識別されることをもたらさない場合において、体験ソーシャルネットワーキングプロセス１０は、カード作成ウィンドウ５００内で定義される体験データカード（例えば、体験データカード２４００）を生成し得る。
【０２６５】
逆に、比較２５０２が合致する詳細を識別する場合において、体験ソーシャルネットワーキングプロセス１０は、ユーザ３６の体験を関連体験データカード（すなわち、体験データカード２４０２、合致する詳細を伴う体験データカード）に関連付けるための１つ以上のオプションをユーザ３６に提供し得る２５０４。
【０２６６】
例えば、ユーザ３６にオプションを提供する２５０４とき、体験ソーシャルネットワーキングプロセス１０は、ユーザ３６に対して関連体験データカード（例えば、体験データカード２４０２）を識別し２５１２、ユーザ３６が、（上記で定義されるように解説の形態で）ユーザ３６の体験に関する１つ以上の詳細を関連体験データカード２４０２に追加することを可能にし得る。したがって、ユーザ３６は、上記で議論され、図５で図示される様式で、解説を体験データカード２４０２に追加することが可能であり得る。
【０２６７】
代替として、ユーザ３６にオプションを提供する２５０４とき、体験ソーシャルネットワーキングプロセス１０は、ユーザ３６に対して関連体験データカード（例えば、体験データカード２４０２）を識別し２５１４、ユーザ３６がユーザ３６の体験を関連体験データカード２４０２に関連付けることを可能にし得る。例えば、体験ソーシャルネットワーキングプロセス１０は、ユーザ３６が関連体験データカード２４０２のサブカード等の新しい体験データカード（例えば、体験データカード２４００）を有することを可能にし得る。したがって、体験データカードは、最高のカードが、例えば、ピュージェット湾で船遊びであり、その後にピュージェット湾で船遊びのサブカードが続き、その後に秋にピュージェット湾で帆走のサブサブカードが続くという点で、階層的であり得る。
【０２６８】
（例示的システム９）
上記のシステムが、まだ起こっていない体験のための「カード」を定義することが望ましくあり得る。例えば、６ヶ月間起こらないであろうタイムスクエアでの大晦日のイベントのためのカード、次の夏まで起こらないであろうミュージシャンによるさよならコンサートのためのカード、および次の秋まで起こらないであろう慈善イベントのためのカードである。定義されると、本システムは、ユーザが、これらの「カード」に関連付けられるこれらの将来の体験に「チェックイン」するか、または登録することを可能にするように構成され得、チェックインすることにより、将来の体験に参加するユーザの意図を示すであろう。
【０２６９】
上記で議論されるように、体験データベース１００は、複数の体験データカード（例えば、体験データカード１０２、１０４、１０６、１０８、１１０、１１２、１１４、１１６、１１８、１２０、１２２）を含み得る。これらの体験データカードは、種々の異なる方法で（例えば、最初から手動で、ソーシャルメディアストリームに基づいて自動で、写真に基づいて手動で、および／またはデータの人間による処理に基づいて手動で）体験データベース１００に追加され得る。既に起こった体験に加えて、体験ソーシャルネットワーキングプロセス１０は、将来起こるであろう体験に関する体験データカードの生成を可能にするであろう。
【０２７０】
図３２および３３も参照すると、体験ソーシャルネットワーキングプロセス１０は、ユーザ（例えば、ユーザ３６）が将来の体験のための体験データカードを生成することを可能にすることによって、将来の体験を管理するように構成され得る。例えば、ユーザ３６は、画面上ポインタ１３０または手のジェスチャを介して、「＋」ボタン１４２（図２、３、７、１０参照）を選択し得る。体験ソーシャルネットワーキングプロセス１０が、（将来体験データカードを作成する要求に関して）ユーザ３６からこのカード作成指示を受信する２６００と、体験ソーシャルネットワーキングプロセス１０は、カード作成ウィンドウ５００をレンダリングし得る。カード作成ウィンドウ５００は、ユーザ３６がそのような将来体験データカードを生成することを可能にするように構成され得る。
【０２７１】
そのような将来体験データカードを生成するとき、体験ソーシャルネットワーキングプロセス１０は、将来の体験（すなわち、大晦日パーティ）の時間指示２７００（すなわち、２０１３年１月３１日）および将来の体験（すなわち、大晦日パーティ）の位置情報２７０２（タイムズスクエア、ニューヨーク市）等の将来の体験（すなわち、大晦日パーティ）に関係する少なくとも２つのデータアイテムを提供するようにユーザ３６に要求し得る。２つの上記のデータ（すなわち、将来の体験の時間指示および位置情報）を受信する２６０２と、体験ソーシャルネットワーキングプロセス１０は、少なくとも部分的にこれら２つのデータアイテムに基づいて、将来体験データカード２７０４を生成し得る２６０４。生成されると２６０４、将来体験データカード２７０４は、体験データベース１００上に記憶され得る２６０６。
【０２７２】
上記で議論されるように、ユーザ３６が体験データベース１００内に含まれる種々の体験データカード（例えば、体験データカード１０２、１０４、１０６、１０８、１１０、１１２、１１４、１１６、１１８、１２０、１２２）をより効率的に検索することを可能にするために、体験ソーシャルネットワーキングプロセス１０は、ユーザ３６が体験データベース１００を検索することを可能にするように構成され得る。例えば、図３４も参照すると、ユーザ３６は、（例えば、画面上ポインタ１３０または手のジェスチャを介して）検索ボタン１４０（図２参照）を選択し得、体験ソーシャルネットワークプロセス１０は、ユーザ３６が体験データベース１００を効率的に検索することを可能にし得る、検索ウィンドウ３００をレンダリングし得る。
【０２７３】
従来の体験データカード（例えば、体験データカード１０２、１０４、１０６、１０８、１１０、１１２、１１４、１１６、１１８、１２０、１２２）と同様に、体験ソーシャルネットワーキングプロセス１０は、ユーザ３６が将来体験データカード（例えば、将来体験データカード２７０４）も検索することを可能にするように構成され得る。したがって、検索ウィンドウ３００の使用を通して、ユーザ３６は、（フィールド３３８内で定義されるような）所望の時間で、および（フィールド３２０内で定義されるような）所望の位置で将来起こるであろう体験に関して、体験データベース１００のユーザ（例えば、ユーザ３８）から受信され得る２６０８、検索要求を作り上げ得る。
【０２７４】
体験ソーシャルネットワーキングプロセス１０は、将来体験データカード（すなわち、大晦日パーティのための将来体験データカード）の時間指示（すなわち、２０１３年１月３１日）および位置情報（タイムズスクエア、ニューヨーク市）が、（フィールド３３８内で定義されるような）所望の時間および（フィールド３２０内で定義されるような）所望の位置に対応するかどうかを決定し得る２６１０。
【０２７５】
将来体験データカード（すなわち、大晦日パーティのための将来体験データカード）の時間情報（すなわち、２０１３年１月３１日）および位置情報（タイムズスクエア、ニューヨーク市）が、（フィールド３３８内で定義されるような）所望の時間および（フィールド３２０内で定義されるような）所望の位置に対応する場合、体験ソーシャルネットワーキングプロセス１０は、結果セット（例えば、将来体験データカード２７０４）の表現を要求ユーザ（例えば、ユーザ３８）に提供し得る２６１２。
【０２７６】
上記で議論されるように、種々の体験データカードは、体験ソーシャルネットワーキングプロセス１０の種々のユーザによって回覧されて閲覧され得る。したがって、体験ソーシャルネットワーキングプロセス１０が、（体験データベース１００内に記憶されるような）将来体験データカード２７０４に関して、体験データベース１００のユーザ（例えば、ユーザ３８）から閲覧指示を受信する２６１４と、体験ソーシャルネットワーキングプロセス１０は、将来体験データカード２７０４の表現をユーザ３８に提供し得る２６１６。この特定の実施例では、異なるユーザが将来体験データカード２７０４を作成しており、将来体験データカード２７０４に問い合わせるものとして議論されているが、他の構成が可能であるので、これは例証目的にすぎず、本開示の制限であることを目的としていない（例えば、同一のユーザが将来体験データカードを作成し、問い合わせ、閲覧し得る）。
【０２７７】
例証目的で、ユーザ（例えば、ユーザ３６）が（将来体験データカード２７０４を含む）体験データベース１００内に含まれる種々の体験データカードを回覧しているとき、ユーザ（例えば、ユーザ３８）は、将来体験データカード２７０４内で定義される将来の体験に「チェックイン」することを希望すると仮定されたい。したがって、ユーザ（例えば、ユーザ３８）は、チェックイン指示を生成するように、（画面上ポインタ１３０または手のジェスチャを介して）「チェックイン」ボタン２７０６を選択し得る。したがって、体験ソーシャルネットワーキングプロセス１０が、将来体験データカード２７０４にチェックインすることに関して、ユーザ（例えば、ユーザ３８）からチェックイン指示を受信する２６１８と、ユーザから受信されるチェックイン指示は、体験ソーシャルネットワーキングプロセス１０によって処理され得る２６２０。
【０２７８】
解説が、将来体験データカード２７０４に関連付けられる将来の体験に関して、ユーザ（例えば、ユーザ３８）から（上記で議論され、図５に示される様式で）受信され得２６２２、体験ソーシャルネットワーキングプロセス１０は、ユーザ（例えば、ユーザ３８）から受信される解説を含むように将来体験データカード２７０４を改訂し得る２６２４。上記で議論されるように、本開示については、解説は、ユーザによって提供され得る任意の解説（例えば、テキストベースの情報、写真ベースの情報、ビデオベースの情報、音声ベースの情報、評定、記号、色、および気分インジケータ）を含み得る。代替として、体験ソーシャルネットワーキングプロセス１０は、（上記で説明され、図３０で図示される様式で）将来体験データカード２７０４に関連付けられる関連体験データカード（図示せず）を生成し得２６２６、関連体験データカードは、ユーザ（例えば、ユーザ３８）から受信される解説を含み得る。そのような関連体験データカードは、将来体験データカード２７０４に関係し、それにリンクされる、サブカードとして機能し得る。
【０２７９】
（カード／データベース使用）
（例示的システム１０）
上記の体験「カード」が生成されるとき、体験「カード」を検討しているユーザが、グリフを迅速に走査して体験がどのようなものであるかを決定し得るように、体験を特徴付ける１つ以上のグリフ（例えば、情報を非言語的に伝える記号）を含むことが望ましくあり得る。例えば、食べ物に関する体験を特徴付けるために「ナイフとフォーク」のグリフが利用され得、アルコールに関する体験を特徴付けるために「マティーニグラス」のグリフが利用され得、フォーマルな体験を特徴付けるために「シルクハット」のグリフが利用され得る。
【０２８０】
図３５および３６も参照すると、体験ソーシャルネットワーキングプロセス１０は、ユーザが上記の体験データカード（例えば、体験データカード１０２、１０４、１０６、１０８、１１０、１１２、１１４、１１６、１１８、１２０、１２２）を図式的に分類することを可能にするように構成され得る。上記で議論されるように、上記の体験データカード（例えば、体験データカード１０２、１０４、１０６、１０８、１１０、１１２、１１４、１１６、１１８、１２０、１２２）は、体験データベース１００に記憶され得、かつ各々が特定の体験に関連付けられ得る。
【０２８１】
体験ソーシャルネットワーキングプロセス１０は、体験データベース１００内で使用するための複数の図式体験識別子（例えば、図式体験識別子３０００、３００２、３００４、３００６、３００８）を定義する２９００ように構成され得る。これらの図式体験識別子の各々（例えば、図式体験識別子３０００、３００２、３００４、３００６、３００８）は、特定の種類の体験を視覚的に分類し、図式的に表すように構成され得る。
【０２８２】
例えば、図式体験識別子３０００は、概して、お金の袋を視覚的に含むことが示され、平均的体験より高価である体験を視覚的に分類し、図式的に表すために使用され得る。
【０２８３】
さらに、図式体験識別子３００２は、概して、マティーニグラスを視覚的に含むことが示され、アルコール／成人用飲料を伴う体験を視覚的に分類し、図式的に表すために使用され得る。
【０２８４】
加えて、図式体験識別子３００４は、概して、ランナーを視覚的に含むことが示され、事実上、概して競技的である体験を視覚的に分類し、図式的に表すために使用され得る。
【０２８５】
なおもさらに、図式体験識別子３００６は、概して、笑った顔を視覚的に含むことが示され、おもしろい／楽しい／娯楽の体験を視覚的に分類し、図式的に表すために使用され得る。
【０２８６】
加えて、図式体験識別子３００８は、概して、ナイフおよびフォークを視覚的に含むことが示され、食べ物を伴う体験を視覚的に分類し、図式的に表すために使用され得る。
【０２８７】
５つの図式体験識別子（すなわち、図式体験識別子３０００、３００２、３００４、３００６、３００８）が上記で議論されるが、体験ソーシャルネットワーキングプロセス１０によって定義される２９００図式体験識別子の数が、体験ソーシャルネットワーキングプロセス１０の管理者（図示せず）の目的に従って増加または減少させられ得るため、これは、例証目的にすぎず、本開示の制限であることを目的としていない。
【０２８８】
したがって、上記で議論される様式で（例えば、題名入力フィールド５０２、画像入力フィールド５０４、命名フィールド５１０、および詳細フィールド５１２にデータ投入することによって）体験データカードを生成するためにカード作成ウィンドウ５００を使用するとき、体験ソーシャルネットワーキングプロセス１０は、例えば、ユーザ３６が、生成されている体験データカード内で定義される体験を視覚的に分類し、図式的に表すことを可能にするように構成され得る。
【０２８９】
例えば、体験ソーシャルネットワーキングプロセス１０は、例えば、カード作成ウィンドウ５００の底部に沿って、図式体験識別子３０００、３００２、３００４、３００６、３００８を含むように構成され得る。ユーザ３６が図式体験識別子３０００、３００２、３００４、３００６、３００８のうちの１つ以上を生成されている体験データカードに関連付けることを希望する場合において、ユーザ３６は、単純に、（画面上ポインタ１３０または手のジェスチャを介して）適切な図式体験識別子を選択し、したがって、体験ソーシャルネットワーキングプロセス１０によって使用するための関連付ける意図の指示を生成し得る。ユーザ３６から、（複数の図式体験識別子（例えば、図式体験識別子３０００、３００２、３００４、３００６、３００８）から選択される１つ以上の関連図式体験識別子を生成されている体験データカードに関連付ける意図に関して）この関連付ける意図を受信２９０２すると、体験ソーシャルネットワーキングプロセス１０は、生成されている体験データカードを関連図式体験識別子に関連付けるように、生成されている体験データカードを修正し得る２９０４。
【０２９０】
したがって、カード作成ウィンドウ５００にデータ投入するとき、ユーザ３６は、単純に、生成されている体験データカード内で定義される体験を視覚的に分類し、図式的に表すことを希望することを示すように、図式体験識別子３０００、３００２、３００４、３００６、３００８のうちの１つ以上を選択し得る。ユーザ３６からこの指示を受信する２９０２と、生成されている体験データカードは、生成されている体験データカードを１つ以上の関連図式体験識別子に関連付けるように修正され得る２９０４。
【０２９１】
例えば、生成されている体験データカードが特定の高級ナイトクラブでの体験に関した場合、ユーザ３６は、図式体験識別子３０００、３００２、３００８を選択することを希望し得る。代替として、生成されている体験データカードが安価なコメディクラブでの特定のショウに関した場合、ユーザ３６は、図式体験識別子３００２、３００６、３００８を選択することを希望し得る。
【０２９２】
上記で議論されるように、カード作成ウィンドウ５００内の種々のフィールドがユーザ３６によってデータ投入されると、ユーザ３６は、（画面上ポインタ１３０または手のジェスチャを介して）「作成」ボタン５１６を選択し、したがって、体験ソーシャルネットワーキングプロセス１０に、カード作成ウィンドウ５００内で定義される体験データカードを生成させ得る。代替として、ユーザ３６は、体験データカード作成プロセスを中止するように、（画面上ポインタ１３０または手のジェスチャを介して）「キャンセル」ボタン５１８を選択し得る。
【０２９３】
図式体験識別子は、例えば、ユーザ３６によって生成されている新しい体験データカードを修正するために使用されるものとして上記で説明されるが、他の構成が可能であるので、これは例証目的にすぎず、本開示の制限であることを目的としていない。例えば、体験ソーシャルネットワーキングプロセス１０は、例えば、ユーザ３６が、１つ以上の図式体験識別子を含むように既存の体験データカード（すなわち、第三者によって生成される体験データカード）を修正することを可能にするように構成され得る。具体的には、体験ソーシャルネットワーキングプロセス１０は、ユーザが（例えば、解説を追加するように）既存の体験データカードを更新するとき、そのユーザがまた、カード内に含むために上記の図式体験識別子（例えば、図式体験識別子３０００、３００２、３００４、３００６、３００８）のうちの１つ以上を選択することも可能であり得るように、構成され得る。
【０２９４】
上記で議論されるように、ユーザ３６が体験データベース１００内に含まれる種々の体験データカード（例えば、体験データカード１０２、１０４、１０６、１０８、１１０、１１２、１１４、１１６、１１８、１２０、１２２）をより効率的に検索することを可能にするために、体験ソーシャルネットワーキングプロセス１０は、ユーザ３６が体験データベース１００を検索することを可能にするように構成され得る。例えば、図３７も参照すると、ユーザ３６は、（例えば、画面上ポインタ１３０または手のジェスチャを介して）検索ボタン１４０（図２参照）を選択し得、体験ソーシャルネットワークプロセス１０は、ユーザ３６が体験データベース１００を効率的に検索することを可能にし得る検索ウィンドウ３００をレンダリングし得る。検索ウィンドウ３００は、ユーザ３６が（例えば、画面上ポインタ１３０または手のジェスチャを介して）図式体験識別子３０００、３００２、３００４、３００６、３００８のうちの１つ以上を選択し、検索条件をさらに精緻化し得るように、図式体験識別子３０００、３００２、３００４、３００６、３００８を含み得る。
【０２９５】
例えば、ユーザが（フィールド３０４、３０８、３１２、３１６、３２０、３２６、３３２、３３８内で定義される検索基準に加えて）図式体験識別子３００６を選択し、次いで、「検索」ボタン３４２を選択すると仮定すると、体験ソーシャルネットワーキングプロセス１０は、１つ以上の問い合わせられた図式体験識別子（すなわち、図式体験識別子３００６）を含む、関連クエリを受信し得２９０６、体験データベース１００内に含まれる体験データカード内に含まれる／体験データベース１００内に関係する図式体験識別子のうちのいずれかが、問い合わせられた図式体験識別子のうちのいずれか（すなわち、図式体験識別子３００６）に合致するかどうかを決定し得る２９０８。当然ながら、フィールド３０４、３０８、３１２、３１６、３２０、３２６、３３２、３３８内で定義される任意の追加の検索基準もまた、上記のクエリを処理するときに考慮され得る。
【０２９６】
体験データベース１００内に含まれる体験データカード内に含まれる／体験データベース１００内に関係する図式体験識別子のうちの少なくとも１つが、問い合わせられた図式体験識別子のうちの少なくとも１つ（すなわち、図式体験識別子３００６）に合致するとき、結果セット（図７に示される結果セット３５０等）が生成され、この実施例ではユーザ３６であるクエリの提供者に提示され得る２９１０。当然ながら、ユーザ３６に提示される２９１０任意の結果セットは、検索ウィンドウ３００のフィールド３０４、３０８、３１２、３１６、３２０、３２６、３３２、３３８内で定義される追加の検索基準を考慮し得る。
【０２９７】
（例示的システム１１）
いくつかの実施形態では、体験ソーシャルネットワーキングプロセス１０は、１つ以上の体験データカードへのリンクを提供し得る、カノニカルオブジェクトを作成するための技法を提供し得る。本明細書で使用される場合、「カノニカルオブジェクト」という語句は、その本来の意味、ならびにその種類の全ての他のオブジェクトを表す単一の代表的なオブジェクトを指し得る。
【０２９８】
本明細書で議論されるように、体験データカードは、体験のデータベースに記憶され得る。各体験データカードは、更新され得、例えば、自分自身で体験に参加すると、ソーシャルネットワークの他のユーザによって編集可能であり得る。更新された体験は、記憶され得、ソーシャルネットワークのメンバーによってアクセス可能であり得る。体験データカードは、第三者ウェブサイト、ソーシャルストリーム、携帯電話等を含むが、それらに限定されない、任意の数の方法でアクセスされ得る。
【０２９９】
ここで図３８を参照すると、ウェブサイト３２００が提供される。ウェブサイト３２０２は、ユーザ（例えば、ユーザ３６）がウェブサイトに関係し得る体験データカードを記憶することを可能にし得る、ユーザ選択可能オプション３２０２を含み得る。例えば、ウェブサイトを探索しているユーザ（例えば、ユーザ３６）が、後で保存したいコンテンツをブラウズし得る。このようにして、ユーザは、テキスト列をコピーする必要なく、ウェブサイトからカノニカルオブジェクトをつかむこと（ｇｒａｂｂｉｎｇ）によって、このコンテンツをつかむことが可能であり得る。カノニカルオブジェクトは、いくつかの場所に現れ得る。例えば、複数のウェブサイトの中、ソーシャルネットワーキングストリーム内、ユーザの携帯電話上等である。したがって、１つの場所（例えば、上記で議論されるウェブサイト）でオブジェクトに講じられるアクションが、あらゆる場所でそのオブジェクト（例えば、体験についてのコメント）に影響を及ぼし得る。
【０３００】
いくつかの実施形態では、体験ソーシャルネットワーキングプロセス１０は、１つ以上のコンピュータデバイスを介して、１つ以上の体験に関する体験コンテンツを第三者サーバに提供するように構成され得、第三者サーバは、第三者ウェブサイトを通して公的消費のために体験コンテンツを提供する。いくつかの実施形態では、第三者ウェブサイトは、娯楽、観光、またはレビューウェブサイトを含み得るが、それらに限定されない。
【０３０１】
いくつかの実施形態では、体験ソーシャルネットワーキングプロセス１０は、１つ以上のコンピュータデバイス上で、第三者サーバによって提供される体験コンテンツに関するユーザ解説を受信するように構成され得、ユーザ解説は、少なくとも部分的に、第三者ウェブサイトを介して１人以上のユーザによって提供されるユーザフィードバックに基づく。
【０３０２】
いくつかの実施形態では、体験ソーシャルネットワーキングプロセス１０は、１つ以上のコンピュータデバイスを介して、少なくとも部分的にユーザ解説に基づいて体験コンテンツを修正し、したがって、修正された体験コンテンツを生成するように構成され得る。
【０３０３】
いくつかの実施形態では、体験ソーシャルネットワーキングプロセス１０は、１つ以上のコンピュータデバイスを介してアクセス可能であるデータベース上に修正された体験コンテンツを記憶するように構成され得る。体験ソーシャルネットワーキングプロセス１０は、修正された体験コンテンツを１つ以上の追加の当事者に提供するように構成され得る。
【０３０４】
加えて、および／または代替として、ユーザ解説は、第三者サーバ上で作動するアプレットを介して、ソーシャルストリームを介して、または任意の追加のアプローチを使用して提供され得る。
【０３０５】
（例示的システム１２）
より具体的には、本明細書の実施形態は、上記で説明されるように、ユーザの体験に対応する概要へのリンクを提供し得る、体験データカードを作成するための技法を提供する。この概要は、体験のデータベース（例えば、体験データベース１００）に記憶され得る。体験の概要は、更新され得、例えば、自分自身で体験に参加すると、ソーシャルネットワークの他のメンバーによって編集可能であり得る。更新された体験は、記憶され得、ソーシャルネットワークのメンバーによってアクセス可能であり得る。体験データカードは、第三者ウェブサイト、ソーシャルストリーム、携帯電話等を含むが、それらに限定されない、任意の数の方法でアクセスされ得る。
【０３０６】
いくつかの実施形態では、体験データカードは、社会的類似性等の特定の基準に基づいて、異なるユーザにとって異なる様式で表示されるように構成され得る。例えば、体験データカードに関連付けられる画像は、その特定のユーザに合わせられ得る。この決定は、ユーザのソーシャルグラフに基づいて行われ得る。このようにして、体験データカードの外観は、ユーザによって異なり得る。
【０３０７】
例えば、ソーシャルネットワーキングストリームが特定のベーカリーでのカップケーキを表す１つの体験データカードを有すると想像されたい。ユーザ３６の友達のうちの１人（ユーザ３８）が、カップケーキを食べる自分（ユーザ３８）の写真を追加することによって、その体験データカードを更新していることもある。この体験データカードがユーザ３６に示されるように表示されたとき、体験データカードを提供するサーバは、（例えば、ユーザ３８がユーザ３６のサークルの中にいる、または２人のユーザのアカウントがソーシャルネットワーク内で「友達」としてリンクされているという事実に基づいて）ユーザ３６に示すようにユーザ３８の写真を選択し得る。したがって、体験データカードとともに示される写真は、（体験データカードとともに含まれる元の写真であった場合がある）そのベーカリーからのカップケーキの一般的な写真ではない場合があるが、代わりに、カップケーキを食べるユーザ３６の友達のうちの１人の写真であり得る。体験データカードは、カノニカルのままであり得、すなわち、そのオブジェクト（例えば、コメント）に講じられる全てのアクションは、カップケーキオブジェクトの全ての他のインスタンス化に影響を及ぼすが、オブジェクトの外観、説明等は、ユーザによって異なり得る。
【０３０８】
図３９−４１を参照すると、上記で議論されるように、体験ソーシャルネットワーキングプロセス１０は、クライアント電子デバイス（例えば、データ対応携帯電話２８、３０、携帯情報端末３２、パーソナルコンピュータ３４、ラップトップコンピュータ（図示せず）、タブレットコンピュータ（図示せず）、またはタッチスクリーンコンピュータ（図示せず））を介して、ユーザ体験に関するユーザ解説を受信するように構成され得る。上記で議論されるように、特定のユーザ（例えば、ユーザ３６）は、本明細書の以下でさらに詳細に議論されるように、任意の考えられる体験のための体験データカードを作成することを希望し得る。
【０３０９】
体験ソーシャルネットワーキングプロセス１０は、１つ以上のコンピュータデバイスで、第１のユーザ（例えば、ユーザ３６）から少なくとも１つの画像を有する体験データカードを生成する要求を受信する３３００ように構成され得る。体験データカードは、本明細書で説明される技法のうちのいずれかに従って生成され得る。
【０３１０】
したがって、体験ソーシャルネットワーキングプロセス１０は、少なくとも１つの画像を含むユーザ体験データカードを生成する３３０２ように構成され得る。例えば、第１のユーザ（例えば、ユーザ３６、３８、４０、４２のうちの１人以上）が、特定の現場での体験を目撃し得る（例えば、図４０に示される、埠頭にいる男の奇妙な行動）。次いで、第１のユーザ（例えば、ユーザ３６）は、ユーザ解説、例えば、埠頭にいる男の説明を生成し、それを体験データカード（例えば、体験データカード３４００）として体験データベース１００に記憶し得る。ユーザ解説はまた、写真、位置、説明等を含み得るので、説明に限定される必要はない。
【０３１１】
体験ソーシャルネットワーキングプロセス１０は、１つ以上のコンピュータデバイスを使用して、体験データカードデータベースに体験データカードを記憶する３３０４ように構成され得る。例えば、図１に示される体験データカードデータベース１００である。
【０３１２】
次いで、第２のユーザ（例えば、ユーザ３８）が、体験データカードに記載されるような埠頭にいる男を目撃しに行き得る。したがって、体験ソーシャルネットワーキングプロセス１０は、１つ以上のコンピュータデバイスを使用して、第２のユーザから、体験データカードの１つ以上の側面を拡張させる要求を受信する３３０６ように構成され得る。このようにして、次いで、第２のユーザ（例えば、ユーザ３８）は、自分自身の体験を反映するように、体験データカードに説明された体験を更新し得る。加えて、および／または代替として、第２のユーザ（例えば、ユーザ３８）は、体験データカードに説明された体験が、ユーザが将来的にいつか楽しむことを希望するものであると決定し得る。この実施例では、第２のユーザ（例えば、ユーザ３８）は、体験データカードを将来体験リストに保存し得る。したがって、体験ソーシャルネットワーキングプロセス１０は、個々のユーザ（例えば、ユーザ３８）が、後に検討および完成するために記憶され得る、将来体験リストを生成することを可能にし得る。
【０３１３】
上記で議論されるように、体験ソーシャルネットワーキングプロセス１０は、体験データベース１００にユーザ体験データカード（例えば、体験データカード３４００）を記憶するように構成され得る。いくつかの実施形態では、体験ソーシャルネットワーキングプロセス１０は、１つ以上のコンピュータデバイスを使用して、第２のユーザとの体験データカードの拡張された側面の関連性とともに、体験データカードの１つ以上の拡張された側面を記憶し得る３３０８。
【０３１４】
加えて、および／または代替として、記憶されたユーザ体験データカード（例えば、体験データカード３４００）は、ユーザ体験データカードの第１の表示に対応し得る。例えば、体験データカード３４００は、何らかの方法で体験に関する、画像３４０２を含み得る。この特定の実施例では、埠頭にいる男を示す写真が、体験データカード３４００に関連付けられ得る。
【０３１５】
上記で議論されるように、体験データカードは、画像３４０２、説明３４０４、位置／タイミング情報３４０６、地理情報３４０８、ならびにユーザ解説特徴３４１０および３４１２を含むが、それらに限定されない、多数の種類の情報を含み得る。この情報は、体験データベース１００に記憶され、体験データカード３４００に関連付けられ得る。任意の種類の情報が含まれ得、かつ任意の好適な様式で表示され得るので、体験データカード３４００上に記載される情報の種類および様式は、一例として提供されるにすぎないことに留意されたい。
【０３１６】
いくつかの実施形態では、体験ソーシャルネットワーキングプロセス１０は、第２のユーザ（例えば、ユーザ３８）から体験データカードの要求を受信するように構成され得る。例えば、ユーザ３８は、クライアント電子デバイス（例えば、データ対応携帯電話２８、３０、携帯情報端末３２、パーソナルコンピュータ３４、ラップトップコンピュータ（図示せず）、タブレットコンピュータ（図示せず）、またはタッチスクリーンコンピュータ（図示せず）等）を使用して、体験データベース１００内に位置する種々の体験データカードを回覧して検討し得る。この特定の実施例では、ユーザ３８が、ユーザ３６によって作成された体験データカード３４００、すなわち、埠頭にいる男の体験についてさらに知りたいと仮定されたい。ユーザ３８から要求を受信すると、体験ソーシャルネットワーキングプロセス１０は、ユーザ体験データカード３４００をユーザ３８に提供する３３０８ように構成され得る。
【０３１７】
いくつかの実施形態では、ユーザ３８がユーザ体験データカード３４００を受信すると、ユーザは、自分自身が体験に参加することを希望し得る。例えば、ユーザ３８は、埠頭にいる男の体験に参加し、おそらく、男と一緒に写真を撮ってもらう等し得る。次いで、ユーザ３８は、クライアント電子デバイス（例えば、データ対応携帯電話２８、３０、携帯情報端末３２、パーソナルコンピュータ３４、ラップトップコンピュータ（図示せず）、タブレットコンピュータ（図示せず）、またはタッチスクリーンコンピュータ（図示せず）等）を介して、体験に関する解説を提供し得る。加えて、および／または代替として、体験ソーシャルネットワーキングプロセス１０は、ユーザ３８がユーザ体験データカードを自分の将来体験リストに保存することを可能にし得る。
【０３１８】
ユーザ３８が体験に参加する場合において、体験ソーシャルネットワーキングプロセス１０は、ユーザ体験データカード３４００に関するフィードバックをユーザ３８から受信するように構成され得る。フィードバックは、上記で説明される写真および説明等のユーザ解説を含み得る。例えば、ユーザ解説は、ユーザ３８および埠頭にいる男が撮られた写真を含み得る。
【０３１９】
このようにして、体験ソーシャルネットワーキングプロセス１０は、ユーザ体験データカード３５００の第２の表示を生成するように構成され得る。第２の表示は、少なくとも部分的にユーザ３８からのフィードバック／ユーザ解説に基づき得る。例えば、ユーザ体験データカード３５００の第２の表示は、ユーザ３８および埠頭にいる男の写真を含み得る、画像３５０２を含み得る。換言すると、第２の表示（例えば、図４１）は、図４０に示される体験データカードの第１の表示とは明白に異なる、ユーザ体験データカードを提供し得る。第２のユーザ（例えば、ユーザ３８）が、ユーザ体験データカード３４００の任意または全ての側面（例えば、説明、時間、カードのレイアウト等）を変更し得るので、図４１に示されるユーザ体験データカード３５００の明確に異なる側面は、画像の変更のみに限定されないことに留意されたい。
【０３２０】
いくつかの実施形態では、体験ソーシャルネットワーキングプロセス１０は、１つ以上のコンピュータデバイスを使用して、第３のユーザから体験データカードの要求を受信する３３１０ように構成され得る。例えば、ユーザ４０が、体験データベース１００内の体験を検討した後に、埠頭にいる男の体験に関連付けられる体験データカードを受け取ることを希望し得る。
【０３２１】
したがって、体験ソーシャルネットワーキングプロセス１０は、１つ以上のコンピュータデバイスを使用して、第２のユーザ（例えば、ユーザ３８）によって提供される１つ以上の拡張された側面を伴う体験データカードを提供する３３１２ように構成され得る。いくつかの実施形態では、この決定は、第２のユーザ（例えば、ユーザ３８）と第３のユーザ（例えば、ユーザ４０）との間の類似性、およびユーザ３８との体験データカードの拡張された側面の関連性に基づき得る。
【０３２２】
いくつかの実施形態では、体験ソーシャルネットワーキングプロセス１０は、第３のユーザ（例えば、ユーザ４０）と第１のユーザ（例えば、ユーザ３６）および第２のユーザ（例えば、ユーザ３８）のそれぞれとの間の１つ以上の類似性をランク付けするように構成され得る。体験ソーシャルネットワーキングプロセス１０は、ランキングに基づいて最も適切な体験データカードを提供するように構成され得る。例えば、ユーザ４０がユーザ３６の友達であり、ユーザ３８を知らない場合には、そのバージョンの体験データカードが提供され得る。加えて、および／または代替として、体験ソーシャルネットワーキングプロセス１０は、体験データカードに関連付けられる１つ以上の受信したコメントに基づいて、ランク付けを動的に更新するように構成され得る。いくつかの実施形態では、体験ソーシャルネットワーキングプロセス１０は、第２のユーザおよび第３のユーザがソーシャルネットワーク内でリンクされるかどうかを決定するように構成され得る。リンク（例えば、ソーシャルネットワーキングリンク）があると決定された場合には、体験ソーシャルネットワーキングプロセス１０は、その決定に基づく体験データカードのバージョンを提供し得る。体験データカードは、ソーシャルネットワーキングストリームを介する等の本明細書で説明される技法のうちのいずれかを使用して、アクセスされ得る。
【０３２３】
（例示的システム１３）
いくつかの実施形態では、要求時に、提案された体験が、多種多様の要因に基づいて、体験のデータベースから選択され、ユーザに提供され得る。これらの要因のうちのいくつかは、気象条件、温度条件、時刻、気分、テーマ、時季、地理的位置、有効期限、社会的類似性、体験評定、体験パートナー等を含み得るが、それらに限定されない。例えば、特定の位置におけるユーザが、金曜日の午後１時の提案された体験を要求する場合、午後２時近くに始まるビンゴフライデー（Ｂｉｎｇｏ  Ｆｒｉｄａｙｓ）に関係する体験が、最も関連性があり得る。したがって、結果セットのこの部分がユーザに提示され得る。しかしながら、水曜日に、この体験は降格させられ得、最も関連性がない場合がある。したがって、水曜日に、ビンゴフライデーは、ユーザに提示される第１の体験ではないこともある。
【０３２４】
ユーザ３６が体験データベース１００内に含まれる種々の体験データカード（例えば、体験データカード１０２、１０４、１０６、１０８、１１０、１１２、１１４、１１６、１１８、１２０、１２２）をより効率的に検索することを可能にするために、体験ソーシャルネットワーキングプロセス１０は、ユーザ３６が体験データベース１００を検索することを可能にするように構成され得る。例えば、図４３も参照すると、ユーザ３６は、（例えば、画面上ポインタ１３２または手のジェスチャを介して）選択ボタン１４０（図２参照）を選択し得、体験ソーシャルネットワークプロセス１０は、ユーザ３６が体験データベース１００を効率的に検索することを可能にし得る、検索ウィンドウ３７００をレンダリングし得る。
【０３２５】
具体的には、体験データベース１００を検索するとき、ユーザ３６は、いくつかの要因を考慮し得る。以下の議論については、議論される要因は、例証目的にすぎず、本開示の制限であることを目的としていない。例えば、体験データベース１００内で検索可能である要因は、体験ソーシャルネットワーキングプロセス１０の管理者（図示せず）の目的に従って構成され得る。
【０３２６】
考慮され得る１つのそのような要因は、費用３７０２である。例えば、ユーザ３６が多額の金額を使うことを希望しない／使うことができない場合において、ユーザ３６は、低費用である体験（例えば、春にセントラルパークを歩く）のみを考慮することを希望し得る。代替として、費用が重要でない懸念である場合において、ユーザ３６は、より高い費用である体験（例えば、マンハッタンのプライベートヘリコプターツアー）を考慮することを希望し得る。したがって、体験ソーシャルネットワーキングプロセス１０は、ユーザ３６が検索ウィンドウ３７００の費用フィールド３７０４内で好ましい費用を選択することを可能にするように構成され得る。
【０３２７】
考慮され得る別の要因は、年齢３７０６である。例えば、ユーザ３６が単独である、または配偶者／成人の友達と一緒である場合において、ユーザ３６は、成人用体験（例えば、ソーホーの種々のバー／クラブを来訪する）を考慮することを希望し得る。代替として、ユーザ３６が家族（未成年の子供を含む）と一緒である場合において、ユーザ３６は、年齢制限がない体験（例えば、セントラルパークのフェアを来訪する）のみを考慮することを希望し得る。したがって、体験ソーシャルネットワーキングプロセス１０は、ユーザ３６が検索ウィンドウ３７００の年齢フィールド３７０８内で好ましい年齢を選択することを可能にするように構成され得る。
【０３２８】
考慮され得る別の要因は、持続時間１３．２．１０である。例えば、どれだけ長く体験をユーザ３６が考慮しているかである。一日中続き得る体験（例えば、ナパバレーのツア）を探しているか、または大幅に短くあり得る体験（例えば、アルカトラズ島のツアー）を探しているかである。したがって、体験ソーシャルネットワーキングプロセス１０は、ユーザ３６が検索ウィンドウ３７００の持続時間フィールド３７１２内で好ましい持続時間を選択することを可能にするように構成され得る。
【０３２９】
考慮され得る別の要因は、気分３７１４である。例えば、ユーザ３６が活動的な冒険（エンパイアステートビルディングの展望台への階段を上る）、またはよりくつろいだ体験（例えば、マンハッタン周辺のサークルラインに乗る）に関心があるかである。したがって、体験ソーシャルネットワーキングプロセス１０は、ユーザ３６が検索ウィンドウ３７００の気分フィールド３７１６内で好ましい気分を選択することを可能にするように構成され得る。
【０３３０】
考慮され得る別の要因は、位置３７１８である。例えば、ユーザ３６が、現在の位置（例えば、ニューヨーク市）での体験、または将来来訪するであろう位置（例えば、フランスのパリ）での体験に興味あるかである。したがって、体験ソーシャルネットワーキングプロセス１０は、ユーザ３６が検索ウィンドウ３７００の位置フィールド３７２０内で好ましい位置を選択することを可能にするように構成され得る。検索ウィンドウ３７００はまた、ユーザ３６が（例えば、三角測量またはＧＰＳ技術によって決定されるような）現在の位置を好ましい位置として迅速に定義することを可能にし得る、「私の現在の位置」ボタン３７２２を含み得る。
【０３３１】
加えて、１つ以上の構成メニュー（図示せず）を通して、ユーザ３６は、位置フィールド３７２０の半径／許容範囲を定義することが可能であり得る。例えば、体験ソーシャルネットワーキングプロセス１０は、例えば、好ましい位置の５マイル、１０マイル、または２５マイル半径内にある場合に、ユーザ３６が体験をある位置にあるものとして定義することを可能にするように構成され得る。
【０３３２】
考慮され得る別の要因は、季節３７２４である。例えば、ユーザ３６が、冬の間のみハンターマウンテンでスキーに行くことが可能であり得る一方で、ユーザ３６は、夏の間のみアディロンダック山地でハングライダーをしに行くことが可能であり得る。したがって、体験ソーシャルネットワーキングプロセス１０は、ユーザ３６が検索ウィンドウ３７００の季節フィールド３７２６内で好ましい季節を選択することを可能にするように構成され得る。検索ウィンドウ３７００はまた、ユーザ３６が（利用可能なカレンダーによって決定されるような）現在の季節を好ましい季節として迅速に定義することを可能にし得る、「私の現在の季節」ボタン３７２８を含み得る。
【０３３３】
考慮され得る別の要因は、天気３７３０である。例えば、ユーザ３６が、晴れているときはジャージーショアに行くことのみを所望し得る一方で、ユーザ３６は、雨が降っている／外が寒いときは屋内活動を行うこと（例えば、自然史博物館に行くこと）のみに関心があり得る。したがって、体験ソーシャルネットワーキングプロセス１０は、ユーザ３６が検索ウィンドウ３７００の天気フィールド３７３２内で好ましい天気を選択することを可能にするように構成され得る。検索ウィンドウ３７００はまた、ユーザ３６が（例えば、三角測量またはＧＰＳ技術およびアクセス可能な気象サービスによって決定されるような）現在の位置の現在の天気を好ましい天気として迅速に定義することを可能にし得る、「私の現在の天気」ボタン３７３４を含み得る。
【０３３４】
考慮され得る別の要因は、時間／日付３７３６である。例えば、ユーザ３６は、朝のみ日の出を見ることができ、夕方のみ日没を見ることができる。さらに、ユーザ３６は、（木曜の夜とは対照的に）金曜の夜のみフライデーナイトハーバークルーズ（Ｆｒｉｄａｙ  Ｎｉｇｈｔ  Ｈａｒｂｏｒ  Ｃｒｕｉｓｅ）に参加することが可能であり得る。したがって、体験ソーシャルネットワーキングプロセス１０は、ユーザ３６が検索ウィンドウ３７００の時間／日付フィールド３７３８内で好ましい時間／日付を選択することを可能にするように構成され得る。検索ウィンドウ３７００はまた、ユーザ３６が（例えば、利用可能な時計／カレンダーによって決定されるような）現在の時間／日付を好ましい時間／日付として迅速に定義することを可能にし得る、「私の現在の時間／日付」ボタン３７４０を含み得る。
【０３３５】
ここで図４２−４４を参照すると、いくつかの実施形態では、体験ソーシャルネットワーキングプロセス１０は、１つ以上のコンピュータデバイス上で、体験データベースに行われる体験検索の指示を受信する３６００ように構成され得る。例えば、ユーザ３６は、上記で議論されるように、体験データベース１００を検索することを所望し得る。体験検索は、１つ以上の検索基準を定義し得、かつ図４．３に記載されるもの等の１つ以上の外因性条件に関連付けられ得る。
【０３３６】
いくつかの実施形態では、体験ソーシャルネットワーキングプロセス１０は、複数の体験データカードを含む結果セットを生成するために、少なくとも部分的に１つ以上の検索基準に基づいて、１つ以上のコンピュータデバイス上で体験データベースを検索する３６０２ように構成され得る。１つの特定の結果セット３８００が、図４４に示されている。
【０３３７】
上記で議論されるように、体験ソーシャルネットワーキングプロセス１０は、少なくとも部分的に外因性条件に基づいて、１つ以上のコンピュータデバイス上で、複数の体験データカードを順序付ける３６０４ように構成され得る。例えば、特定の位置におけるユーザ（例えば、ユーザ３６）が、金曜日の午後１時の提案された体験を要求する場合、午後２時近くに始まるビンゴフライデー（Ｂｉｎｇｏ  Ｆｒｉｄａｙｓ）に関係する体験が、最も関連性があり得る。したがって、結果セットのこの部分がユーザに提示され得る。しかしながら、水曜日に、この体験は降格させられ得、最も関連性がない場合がある。したがって、水曜日に、ビンゴフライデーは、ユーザに提示される第１の体験ではないこともある。
【０３３８】
したがって、体験ソーシャルネットワーキングプロセス１０は、少なくとも部分的に順序付けられた体験データカードに基づいて、１つ以上のコンピュータデバイスを使用して、順序結果セット（例えば、３８００）を生成する３６０６ように構成され得る。このようにして、体験ソーシャルネットワーキングプロセス１０は、１つ以上のコンピュータデバイス上で、順序結果セット３８００の少なくとも一部分をユーザ（例えば、ユーザ３６）に提示する３６０８ように構成され得る。いくつかの実施形態では、順序結果セットの少なくとも一部分を提示することは、少なくとも部分的に人気測定基準に基づき得る。例えば、人気測定基準は、少なくとも部分的に体験データベースの全てのユーザからの総ランク付けに基づき得る。加えて、および／または代替として、人気測定基準は、ユーザ（例えば、ユーザ３６）に関連付けられる社会的類似性に基づき得る。
【０３３９】
上記で議論されるように、図４３を再び参照すると、検索ウィンドウ３７００がユーザ３６によって完全または部分的にデータ投入されると、ユーザ３６は、（画面上ポインタ１３０または手のジェスチャを介して）検索ウィンドウ３７００内の「検索」ボタン３７４２を選択し得る。図４４も参照して、「検索」ボタン３７４２を選択すると、上記の検索条件を満たす複数の体験データカードを含む結果セット３８００が、体験ソーシャルネットワーキングプロセス１０によって生成され得る。
ユーザ３６は、上記で説明される様式で、個々の体験データカード（すなわち、結果セット３８００内に含まれる体験データカード３８０２、３８０４、３８０６、３８０８、３８１０）を回覧して検討し得る。５つだけの体験データカードが結果セット３８００内に含まれることが示されているが、これは例証目的にすぎず、本開示の制限であることを目的としていない。
【０３４０】
上記で議論されるように、任意の数の要因および／または外因性条件が、体験データカード検索の根拠として使用され得る。いくつかの外因性条件／要因は、気象条件および温度条件、気分、テーマ、および時季、地理的位置、有効期限、社会的類似性、体験評定、体験パートナー、時刻等を含み得るが、それらに限定されない。
【０３４１】
加えて、および／または代替として、体験ソーシャルネットワーキングプロセス１０は、１つ以上のコンピュータデバイス上で、順序付け結果セットの体験に関連付けられるコメントを作成するオプションを第２のユーザに提供するように構成され得る。例えば、ユーザ３８は、ユーザ３６によって作成される体験データカードに関連付けられるコメントを作成することを希望し得る。したがって、体験ソーシャルネットワーキングプロセス１０は、ユーザ３８が自分のコメントをアップロードすることを可能にするように構成され得、また、ユーザ３８が、順序付け結果セットに関連して、ユーザ３８からのコメントを体験データベースに記憶することを可能にするように構成され得る。
【０３４２】
（例示的システム１４）
ある位置で過ごす定義された期間を有するときに、上記のシステムが日程をまとめることが望ましくあり得る。例えば、ユーザがニューヨーク市を来訪し、何も予定に入れられていない日がある場合、例えば、本システムが上記の体験データベースを検索して、ユーザによって識別される定義された期間内にどのような体験が利用可能であるかを決定し得るように、ユーザが利用可能である期間を識別することが望ましくあり得る。本システムに利用可能なリソースに応じて、運転／歩行方向がユーザに提供され得、および／または気象条件が考慮され得る。
【０３４３】
上記で議論されるように、ユーザ（例えば、ユーザ３６）が体験データベース１００内に含まれる種々の体験データカード（例えば、体験データカード１０２、１０４、１０６、１０８、１１０、１１２、１１４、１１６、１１８、１２０、１２２）をより効率的に検索することを可能にするために、体験ソーシャルネットワーキングプロセス１０は、ユーザ３６が体験データベース１００を検索することを可能にするように構成され得る。
【０３４４】
例えば、図４５も参照すると、ユーザ３６は、（例えば、画面上ポインタ１３０または手のジェスチャを介して）選択ボタン１４０（図２参照）を選択し得、体験ソーシャルネットワークプロセス１０は、ユーザ３６が体験データベース１００を効率的に検索することを可能にし得る、検索ウィンドウ３９００をレンダリングし得る。
【０３４５】
具体的には、体験データベース１００を検索するとき、ユーザ３６は、いくつかの要因を考慮し得る。以下の議論については、議論される要因は、例証目的にすぎず、本開示の制限であることを目的としていない。例えば、体験データベース１００内で検索可能である要因は、体験ソーシャルネットワーキングプロセス１０の管理者（図示せず）の目的に従って構成され得る。そのような要因の実施例は、費用３９０２、年齢３９０４、持続時間３９０６、気分３９０８、位置３９１０、季節３９１２、天気３９１４、および時間／日付３９１６を含む。
【０３４６】
上記で議論されるように、検索ウィンドウ３９００がユーザ３６によって完全または部分的にデータ投入されると、ユーザ３６は、（画面上ポインタ１３０または手のジェスチャを介して）検索ウィンドウ３９００内の「検索」ボタン３９１８を選択し得る。上記で議論されるように、これは、体験ソーシャルネットワーキングプロセス１０に、（複数の体験データカードの形態で）種々の体験オプションをユーザ３６に提供する結果セット（図７参照）を生成させるであろう。
【０３４７】
図４６および４７も参照すると、体験ソーシャルネットワーキングプロセス１０はさらに、例えば、ユーザ３６のための日程の生成を可能にするように構成され得る。例えば、検索ウィンドウ３９００は、日程４１００の生成をもたらし得る、「日程を生成する」ボタン３９２０を含むように構成され得る。例えば、体験ソーシャルネットワーキングプロセス１０は、潜在的な体験の選択された位置に関して、ユーザ３６から位置指示を受信する４０００ように構成され得る。この位置指示は、検索ウィンドウ３９００の位置フィールド３９１０内でユーザ３６によって定義され得、かつユーザ３６の現在の位置またはユーザ３６の将来の位置（例えば、計画された休暇）に基づき得る。
【０３４８】
加えて、体験ソーシャルネットワーキングプロセス１０は、時間指示を受信する４００２ように構成され得る。この時間指示は、検索ウィンドウ３９００の持続時間フィールド３９０６内でユーザ３６によって定義され得る。日程を定義するとき、上記の時間指示は、典型的には、時間枠であろう。例えば、持続時間フィールド３９０６は、「丸一日」を定義することが示されている。
【０３４９】
加えて、体験ソーシャルネットワーキングプロセス１０は、ユーザ３６から追加のデータポイントを受信し得る。例えば、体験ソーシャルネットワーキングプロセス１０は、ユーザ３６から、（潜在的な体験の所望のテーマに関する）テーマ指示および／または（潜在的な体験の要求予算に関する）予算指示を受信し得る４００４。そのようなテーマは、気分フィールド３９０８内で定義され得、その実施例は、活動的、くつろいだ、怖い、またはおもしろいものを含み得る。検索ウィンドウ３９００内の費用フィールド３９０２は、予算を「＄＄＄」として定義することが示され、この予算は、中道的であり得、「＄」が最低予算であり、「＄＄＄＄＄」が最高予算である。加えて、ユーザ３６は、年齢フィールド３９０４、季節フィールド３９１２、天気フィールド３９１４、および時間／日付フィールド３９１６の使用を通して、追加の指示を体験ソーシャルネットワーキングプロセス１０に提供し得る。
【０３５０】
ユーザ３６が「日程を生成する」ボタン３９２０を選択すると、体験ソーシャルネットワーキングプロセス１０は、選択された位置（フィールド３９１０内で定義されるような「ニューヨーク市」）で定義された期間（すなわち、フィールド３９０６内で定義されるような「丸一日」）内に連続的に行われ得る、２つ以上の体験（およびそれらの関連体験データカード）を識別するために、体験データベース１００に問い合わせを行い得る４００６。体験ソーシャルネットワーキングプロセス１０は、少なくとも部分的に上記で定義される２つ以上の体験に基づいて、ユーザ３６のための日程４１００を生成し得る４００８。日程４１００を生成する４００８とき、体験ソーシャルネットワーキングプロセス１０は、（以下でさらに詳細に議論される）２つ以上の体験の各々に対する指示を生成し得る４０１０。
【０３５１】
体験ソーシャルネットワーキングプロセス１０は、例えば、クライアント電子デバイス２８内に含まれるディスプレイ５４上に日程４１００をレンダリングすることによって、日程４１００をユーザ３６に提供し得る４０１２。
【０３５２】
例えば、ユーザ３６が家族とともにニューヨーク市を一日来訪しており、上記で議論される様式で検索ウィンドウ３９００内に含まれる種々のフィールドを定義すると仮定されたい。「日程を生成する」ボタン３９２０を選択すると、体験ソーシャルネットワーキングプロセス１０は、ユーザ３６のための日程４１００を生成し得る４００８。例証目的で、日程４１００が生成されたときに、ユーザ３６およびその家族がセントラルパークにいたと仮定されたい。この特定の実施例では、日程４１００は、ユーザ４６およびその家族のための３つの体験（および２つの交通機関体験）を定義する。例えば、ユーザ３６およびその家族が既にセントラルパークにいる場合、日程４１００は、ユーザ４６およびその家族が午前８時から午前１１時にセントラルパーク動物園を来訪することを推奨する。午前１１時から午前１２まで、日程４１００は、ユーザ３６およびその家族がサウスストリートシーポートに行くことを推奨する。
【０３５３】
体験ソーシャルネットワーキングプロセス１０は、日程４１００を生成するときに、体験間の地理的相違および気象条件等の種々の条件を考慮する４０１４ように構成され得る。
【０３５４】
体験ソーシャルネットワーキングプロセス１０が外部マッピング／ルートサービスと連動する場合、体験ソーシャルネットワーキングプロセス１０は、例えば、体験間の歩行指示、運転指示、または公共交通機関指示をユーザ３６に提供し得る。さらに、体験ソーシャルネットワーキングプロセス１０が気象サービスと連動する場合、体験ソーシャルネットワーキングプロセス１０は、天気予報に基づいて指示を修正し得る。例えば、雨が降っているか、非常に寒いとき、体験ソーシャルネットワーキングプロセス１０は、１つの体験から別の体験まで歩くこと、またはボートで移動することを推奨しないこともある。
【０３５５】
サウスストリートシーポートに到着すると、日程４１００は、ユーザ３６およびその家族が午後１２時から午後４時までマンハッタン島周辺のサークルラインに乗ることを推奨する。サウスストリートシーポートに戻ると、日程４１００は、ユーザ３６およびその家族がクイーンズのシティフィールドに行って午後６時から１０時までニューヨークメッツの野球の試合を見ることを推奨する。したがって、体験ソーシャルネットワーキングプロセス１０の使用を通して、馴染みがない都市への来訪者が、迅速にカスタム日程を自分のために生成させ得る。
【０３５６】
（例示的システム１５）
上記のシステムは、ユーザが体験データベース内に含まれる「カード」に関連付けられる種々の体験にチェックインすることを可能にすることが望ましくあり得る。例えば、体験が、ある海岸に面したサンフランシスコのシーフードレストランでツインロブスターテイルを試食することである場合、ユーザは、そこで食事をし、ツインロブスターテイルを試食すると、その体験に「チェックイン」し得る。チェックインするとき、ユーザは、（例えば、湾岸または一対のロブスターの尾の）写真を追加し得、解説（例えば、「ロブスターが思ったよりも美味しい」）を提供し得る）。
【０３５７】
上記で議論されるように、図４８−４９も参照すると、体験ソーシャルネットワーキングプロセス１０は、体験データベース１００を維持する４２００ように構成され得る。上記で議論されるように、体験データベース１００は、各々が体験に関連付けられ、各々が体験データベース１００のユーザによってアクセス可能である、複数の体験データカード（例えば、体験データカード１０２、１０４、１０６、１０８、１１０、１１２、１１４、１１６、１１８、１２０、１２２）を含み得る。
【０３５８】
さらに、体験データベース１００内に含まれる体験データカードのうちの１つ以上は、可用性基準を含み得る。例えば、体験データカード内で定義される可用性基準は、１つ以上の必須体験データカードを定義し得る。例えば、該当体験データカードが技術的に複雑なダイビングに関した場合、その体験データカードは、ユーザが、最初にあまり技術的に複雑ではないダイビングのための体験データカードにチェックインすることを要求し得る。したがって、検索を行う特定のユーザが、必須体験データカード（すなわち、あまり技術的に複雑ではないダイビング）にチェックインしなかった場合において、該当体験データカード（すなわち、より技術的に複雑なダイビング）は、ユーザが必須体験データカードにチェックインするまで、いかなるクエリ結果セットにも現れないであろう。
【０３５９】
上記で議論されるように、ユーザ３６、３８、４０、４２のうちの１人以上は、クライアント電子デバイス（例えば、（それぞれ）データ対応携帯電話２８、３０、携帯情報端末３２、パーソナルコンピュータ３４）を使用して、体験データベース１００内に含まれる種々の体験データカードを回覧して検討し得る。概して、ユーザ３６、３８、４０、４２のうちの１人以上は、体験データカードを閲覧することを希望し得、該当体験データカードを含んだ結果セットを生じたクエリを実行することの結果であり得る、同データカードに関する要望を示し得る。
【０３６０】
したがって、体験ソーシャルネットワーキングプロセス１０は、体験データベース１００内に含まれる体験データカード４３００を閲覧する要求に関して、例えば、ユーザ３６から閲覧指示を受信し得る４２０２。したがって、同指示に応答して、体験ソーシャルネットワーキングプロセス１０は、クライアント電子デバイス２８内に含まれるディスプレイ５４上にレンダリングされ得る、体験データカード４３００の表現をユーザ３６に提供し得る４２０４。
【０３６１】
さらに、例証目的で、ユーザ（例えば、ユーザ３６）が体験データカード４３００を検討するとき、ユーザ３６が体験データカード４３００内で定義される体験（すなわち、Ｊｏｅ’ｓでハンバーガーを食べること）に「チェックイン」することを希望すると仮定されたい。したがって、ユーザ（例えば、ユーザ３８）は、チェックイン指示を生成するために、（画面上ポインタ１３０または手のジェスチャを介して）「チェックイン」ボタン４３０２を選択し得る。チェックイン指示は、時間インジケータ（チェックインの日付／時間）および位置インジケータ（チェックインの位置）を含み得る。体験ソーシャルネットワーキングプロセス１０が、体験データカード４３００にチェックインすることに関してユーザ（例えば、ユーザ３６）からチェックイン指示を受信する４２０６と、ユーザから受信されるチェックイン指示４２０６は、体験ソーシャルネットワーキングプロセス１０によって処理され得る４２０８。
【０３６２】
解説が、体験データカード４３００に関連付けられる体験に関して、ユーザ（例えば、ユーザ３６）から（上記で議論され、図５に示される様式で）受信され得４２１０、体験ソーシャルネットワーキングプロセス１０は、ユーザ（例えば、ユーザ３６）から受信される解説を含むように体験データカード４３００を改訂し得る４２１２。上記で議論されるように、本開示については、解説は、ユーザによって提供され得る任意の解説（例えば、テキストベースの情報、写真ベースの情報、ビデオベースの情報、音声ベースの情報、評定、記号、色、および気分インジケータ）を含み得る。代替として、体験ソーシャルネットワーキングプロセス１０は、（上記で説明され、図３０で図示される様式で）体験データカード４３００に関連付けられる関連体験データカード４３０４を生成し得４２１４、関連体験データカード４３０４は、ユーザ（例えば、ユーザ３６）から受信される解説を含む。そのような関連体験データカードは、体験データカード４３００に関係し、それにリンクされる、サブカードとして機能し得る。
【０３６３】
この特定の実施例では、体験データカード４３００の元の生成元が定義されていないが、体験データカード４３００は、体験データカード４３００にチェックインした同一のユーザ（例えば、ユーザ３６）によって、または体験データカード４３００にチェックインした異なるユーザ（例えば、ユーザ３８）によって生成され得ることが理解される。したがって、同一のユーザまたは異なるユーザが、体験データカードを作成し、問い合わせ、閲覧し得る。
【０３６４】
当業者によって理解されるように、本開示は、方法、システム、またはコンピュータプログラム製品として具現化され得る。したがって、本開示は、全て概して、「回路」、「モジュール」、または「システム」と本明細書で称され得る、完全にハードウェアの実施形態、完全にソフトウェアの実施形態（ファームウェア、常駐ソフトウェア、マイクロコード等を含む）、またはソフトウェアおよびハードウェア側面を組み合わせる実施形態の形態を成し得る。さらに、本開示は、媒体で具現化されたコンピュータ使用可能プログラムコードを有する、コンピュータ使用可能記憶媒体上のコンピュータプログラム製品の形態を成し得る。
【０３６５】
図中のフローチャートおよびブロック図は、本開示の種々の実施形態によるシステム、方法、およびコンピュータプログラム製品の可能な実装のアーキテクチャ、機能性、および動作を図示する。この点に関して、フローチャートまたはブロック図の中の各ブロックは、特定論理機能を実装するための１つ以上の実行可能命令を備えている、モジュール、セグメント、またはコードの一部分を表し得る。また、いくつかの代替実装では、ブロックに記述された機能は、図に記述された順番外で起こり得ることにも留意されたい。例えば、連続的に示される２つのブロックは、実際に、実質的に同時に実行され得、またはブロックは、関与する機能性に応じて、時として逆順で実行され得る。また、ブロック図および／またはフローチャート図の各ブロック、ならびにブロック図および／またはフローチャート図の中のブロックの組み合わせは、特定機能または作用を行う特殊ハードウェアベースのシステム、または特殊ハードウェアおよびコンピュータ命令の組み合わせによって実装できることにも留意されたい。
【０３６６】
本明細書で使用される用語は、特定の実施形態を説明する目的にすぎず、本開示の制限であることを目的としていない。本明細書で使用されるように、「１つの（ａ、ａｎ）」および「該（ｔｈｅ）」という単数形は、文脈が他に明確に示さない限り、複数形も含むことを目的としている。さらに、「備える（ｃｏｍｐｒｉｓｅｓおよび／またはｃｏｍｐｒｉｓｉｎｇ）」という用語は、本明細書で使用されるとき、記述された特徴、整数、ステップ、動作、要素、および／または構成要素の存在を特定するが、１つ以上の他の特徴、整数、ステップ、動作、要素、構成要素、および／またはそれらのグループの存在または追加を除外しないことが理解されるであろう。
【０３６７】
全ての手段またはステップの対応する構造、材料、作用、および同等物、ならびに以下の請求項の中の機能要素は、具体的に請求されるような他の請求要素と組み合わせて機能を果たすための任意の構造、材料、または作用を含むことを目的としている。本開示の説明は、例証および説明の目的で提示されているが、包括的であること、または開示される形態の本開示に限定されることを目的としていない。本開示の範囲および精神から逸脱することなく、多くの修正および変形例が当業者に明白となるであろう。実施形態は、本開示および実用的な用途の原理を最良に説明するため、ならびに当業者が、考慮される特定の用途に適しているような種々の修正を伴う種々の実施形態のために本開示を理解することを可能にするために選択および説明された。
【０３６８】
このようにして本願の開示を詳細に説明し、その実施形態を参照することによって、添付の請求項で定義される本開示の範囲から逸脱することなく、修正および変形例が可能であることが明白となるであろう。
【図１】
2015507290.tif 000003
【図２】
2015507290.tif 000004
【図３】
2015507290.tif 000005
【図４】
2015507290.tif 000006
【図５】
2015507290.tif 000007
【図６】
2015507290.tif 000008
【図７】
2015507290.tif 000009
【図８】
2015507290.tif 000010
【図９】
2015507290.tif 000011
【図１０】
2015507290.tif 000012
【図１１】
2015507290.tif 000013
【図１２】
2015507290.tif 000014
【図１３】
2015507290.tif 000015
【図１４】
2015507290.tif 000016
【図１５】
2015507290.tif 000017
【図１６】
2015507290.tif 000018
【図１７】
2015507290.tif 000019
【図１８】
2015507290.tif 000020
【図１９】
2015507290.tif 000021
【図２０】
2015507290.tif 000022
【図２１】
2015507290.tif 000023
【図２２】
2015507290.tif 000024
【図２３】
2015507290.tif 000025
【図２４】
2015507290.tif 000026
【図２５】
2015507290.tif 000027
【図２６】
2015507290.tif 000028
【図２７】
2015507290.tif 000029
【図２８】
2015507290.tif 000030
【図２９】
2015507290.tif 000031
【図３０】
2015507290.tif 000032
【図３１】
2015507290.tif 000033
【図３２】
2015507290.tif 000034
【図３３】
2015507290.tif 000035
【図３４】
2015507290.tif 000036
【図３５】
2015507290.tif 000037
【図３６】
2015507290.tif 000038
【図３７】
2015507290.tif 000039
【図３８】
2015507290.tif 000040
【図３９】
2015507290.tif 000041
【図４０】
2015507290.tif 000042
【図４１】
2015507290.tif 000043
【図４２】
2015507290.tif 000044
【図４３】
2015507290.tif 000045
【図４４】
2015507290.tif 000046
【図４５】
2015507290.tif 000047
【図４６】
2015507290.tif 000048
【図４７】
2015507290.tif 000049
【図４８】
2015507290.tif 000050
【図４９】
2015507290.tif 000051
【国際調査報告】
2015507290.tif 000052